(57)【要約】【課題】３Ｄ眼鏡の性能を改良すること【解決手段】第１および第２液晶シャッターを有する一対の液晶シャッターを含む３Ｄ眼鏡において、１ミリ秒未満で最大光透過量のポイントまで前記第１液晶シャッターを開にし、第１時間の間、最大光透過量のポイントに前記第１液晶シャッターを保持するよう、キャッチ電圧を印加し、次に前記第１液晶シャッターを閉じ、１ミリ秒未満で最大光透過量のポイントまで前記第２液晶シャッターを開にし、第２時間の間、最大光透過量のポイントに前記第２液晶シャッターを保持するよう、キャッチ電圧を印加し、次に前記第２液晶シャッターを閉じる。【選択図】図１
2010124466.tif 000002
【特許請求の範囲】
【請求項１】
１ミリ秒未満で少なくとも２５％の光透過率となる液晶を開状態となるまで回転させるステップと、
前記液晶が最大光透過量のポイントまで回転するまで待つステップと、
最大光透過量のポイントで前記液晶の回転を停止させるステップと、
ある時間の間、最大光透過量のポイントに前記液晶を保持するステップとを備える、３Ｄ眼鏡で使用するための液晶シャッターを急速に開にするための方法。
【請求項２】
対応する第１および第２液晶シャッターを有する一対の液晶シャッターと、
制御回路とを備え、この制御回路は、
１ミリ秒未満で最大光透過量のポイントまで前記第１液晶シャッターを開にし、
第１時間の間、最大光透過量のポイントに前記第１液晶シャッターを保持するよう、キャッチ電圧を印加し、
次に前記第１液晶シャッターを閉じ、
１ミリ秒未満で最大光透過量のポイントまで前記第２液晶シャッターを開にし、
第２時間の間、最大光透過量のポイントに前記第２液晶シャッターを保持するよう、キャッチ電圧を印加し、
次に前記第２液晶シャッターを閉じるようになっており、
前記第１時間は、ユーザーの第１の眼に対する画像の表示に対応し、前記第２時間は、ユーザーの第２の眼に対する画像の表示に対応する、３Ｄ眼鏡のユーザーに三次元ビデオ画像を提供するためのシステム。
【請求項３】
前記制御回路は、第１時間および第２時間を決定するのに同期信号を使用するようになっている、請求項２に記載のシステム。
【請求項４】
前記キャッチ電圧は、２ボルトである、請求項２に記載のシステム。
【請求項５】
前記最大光透過量のポイントは、３２％よりも多い光を透過する、請求項２に記載のシステム。
【請求項６】
同期信号を発生する発生器を更に備え、前記同期信号により、前記制御回路は前記液晶シャッターのうちの１つを開にする、請求項２に記載のシステム。
【請求項７】
前記同期信号は、暗号化された信号を備える、請求項６に記載のシステム。
【請求項８】
前記制御回路は、前記暗号化された信号を有効と判断した後にしか作動しない、請求項７に記載のシステム。
【請求項９】
バッテリーセンサを更に備える、請求項２に記載のシステム。
【請求項１０】
前記制御回路は、低バッテリー状態の表示をするようになっている、請求項９に記載のシステム。
【請求項１１】
前記低バッテリー状態の表示は、ある時間の間、液晶シャッターを閉じ、次にある時間の間、開けることを含む、請求項１０に記載のシステム。
【請求項１２】
前記制御回路は、同期信号を検出し、この同期信号を検出した後に液晶シャッターの作動を開始するようになっている、請求項２に記載のシステム。
【請求項１３】
前記暗号化された信号は、この暗号化された信号を受信するようになっている制御回路を有する一対の液晶眼鏡しか作動させない、請求項７に記載のシステム。
【請求項１４】
前記一対の液晶シャッター眼鏡をつけているユーザーが見ることのできるレートで前記液晶シャッターを作動させるテスト信号を更に備える、請求項２に記載のシステム。
【請求項１５】
第１液晶シャッターを有する第１レンズおよび第２液晶シャッターを有する第２レンズを備える一対の眼鏡を備え、前記液晶シャッターの各々は、液晶を有すると共に１ミリ秒未満の開時間を有し、前記第１液晶シャッターと前記第２液晶シャッターとを交互に開にする制御回路を備え、
前記制御回路が前記シャッターを閉じるまで、液晶の配向は、最大光透過量のポイントに保持される、三次元ビデオ画像を提供するためのシステム。
【請求項１６】
キャッチ電圧が前記液晶を最大光透過量のポイントに保持する、請求項１５に記載のシステム。
【請求項１７】
前記最大光透過量のポイントは、３２％よりも多い光を透過する、請求項１５に記載のシステム。
【請求項１８】
同期信号を発生する発生器を更に備え、前記同期信号により、前記制御回路は前記液晶シャッターのうちの１つを開にする、請求項１５に記載のシステム。
【請求項１９】
前記同期信号は、暗号化された信号を備える、請求項１８に記載のシステム。
【請求項２０】
前記制御回路は、前記暗号化された信号を有効と判断した後にしか作動しない、請求項１９に記載のシステム。
【請求項２１】
バッテリーセンサを更に備える、請求項１５に記載のシステム。
【請求項２２】
前記制御回路は、低バッテリー状態の表示をするようになっている、請求項２１に記載のシステム。
【請求項２３】
前記低バッテリー状態の表示は、ある時間の間、液晶シャッターを閉じ、次にある時間の間、開けることを含む、請求項２２に記載のシステム。
【請求項２４】
前記制御回路は、同期信号を検出し、この同期信号を検出した後に液晶シャッターの作動を開始するようになっている、請求項１５に記載のシステム。
【請求項２５】
前記暗号化された信号は、この暗号化された信号を受信するようになっている制御回路を有する一対の液晶眼鏡しか作動させない、請求項１９に記載のシステム。
【請求項２６】
前記対の液晶シャッター眼鏡をつけている人が見ることのできるレートで前記液晶シャッターを作動させるテスト信号を更に備える、請求項１５に記載のシステム。
【請求項２７】
１ミリ秒未満で第１液晶シャッターを開にするステップと、
第１時間の間、最大光透過量のポイントに前記第１液晶シャッターを保持するステップと、
前記第１液晶シャッターを閉じ、１ミリ秒未満で第２液晶シャッターを開にするステップと、
第２時間の間、最大光透過量のポイントに前記第２液晶シャッターを保持するステップとを備え、
前記第１時間は、ユーザーの第１の眼に対する画像の表示に対応し、前記第２時間は、ユーザーの第２の眼に対する画像の表示に対応する、三次元ビデオ画像を提供するための方法。
【請求項２８】
キャッチ電圧により前記液晶シャッターを最大光透過量のポイントに保持するステップを更に備える、請求項２７に記載の方法。
【請求項２９】
前記キャッチ電圧は、２ボルトである、請求項２８に記載の方法。
【請求項３０】
前記最大光透過量のポイントは、３２％よりも多い光を透過する、請求項２７に記載の方法。
【請求項３１】
前記液晶シャッターの作動を制御するための同期信号を発生するステップを更に備える、請求項２７に記載の方法。
【請求項３２】
前記同期信号は、暗号化された信号を備える、請求項２７に記載の方法。
【請求項３３】
前記同期信号は、前記暗号化された信号が有効と判断された後にしか、前記液晶シャッターの制御回路の作動を制御しない、請求項３２に記載の方法。
【請求項３４】
バッテリーの電力レベルを検出するステップを更に備える、請求項２７に記載の方法。
【請求項３５】
前記バッテリーの電力レベルを表示するステップを更に備える、請求項３４に記載の方法。
【請求項３６】
低バッテリー電力レベルの表示をするステップは、ある時間の間、液晶シャッターを閉じ、次にある時間の間、開けることを含む、請求項３５に記載の方法。
【請求項３７】
同期信号を検出し、次に同期信号を検出した後に前記液晶シャッターを作動させるステップを更に備える、請求項２７に記載の方法。
【請求項３８】
特に前記液晶シャッター用に暗号化された信号を受信した後に限り、前記液晶シャッターを作動させるステップを更に含む、請求項３２に記載の方法。
【請求項３９】
ビューアーが見ることのできるレートで、前記液晶シャッターを作動させるテスト信号を発生するステップを更に備える、請求項２７に記載の方法。
【請求項４０】
液晶を開状態まで回転させ、前記液晶を１ミリ秒未満で少なくとも２５％の光透過率にするステップと、
前記液晶が最大光透過量のポイントまで回転するまで待つステップと、
最大光ポイントで前記液晶の回転を停止させるステップと、
ある時間の間、最大光透過量のポイントに前記液晶を保持するステップとを備える、３Ｄ眼鏡のユーザーに三次元ビデオ画像を提供するための、少なくとも１つの液晶シャッターを有する３Ｄ眼鏡用ハウジング内の、マシンで読み取り可能なメディアにインストールされたコンピュータプログラム。
【請求項４１】
１ミリ秒未満で第１液晶シャッターを開にするステップと、
第１時間の間、最大光透過量のポイントに前記第１液晶シャッターを保持するステップと、
前記第１液晶シャッターを閉にし、１ミリ秒未満で第２液晶シャッターを開にするステップと、
第２時間の間、最大光透過量のポイントに前記第２液晶シャッターを保持するステップとを備え、
前記第１時間は、ユーザーの第１の眼に対する画像の表示に対応し、前記第２時間は、ユーザーの第２の眼に対する画像の表示に対応する、第１および第２液晶シャッターを有する３Ｄ眼鏡のユーザーに三次元ビデオ画像を提供するための、マシンで読み取り可能なメディアにインストールされたコンピュータプログラム。
【請求項４２】
キャッチ電圧により前記液晶シャッターを最大光透過量のポイントに保持する、請求項４１に記載のコンピュータプログラム。
【請求項４３】
前記キャッチ電圧は、２ボルトである、請求項４２に記載のコンピュータプログラム。
【請求項４４】
前記最大光透過量のポイントは、３２％よりも多い光を透過する、請求項４１に記載のコンピュータプログラム。
【請求項４５】
前記液晶シャッターの作動を制御するための同期信号を発生するステップを更に備える、請求項４１に記載のコンピュータプログラム。
【請求項４６】
前記同期信号は、暗号化された信号である、請求項４１に記載のコンピュータプログラム。
【請求項４７】
前記同期信号は、前記暗号化された信号が有効と判断された後に限り、前記液晶シャッターの制御回路の作動を制御するステップを備える、請求項４６に記載のコンピュータプログラム。
【請求項４８】
バッテリーの電力レベルを検出するステップを更に備える、請求項４１に記載のコンピュータプログラム。
【請求項４９】
前記低バッテリー状態を表示するステップを更に備える、請求項４８に記載のコンピュータプログラム。
【請求項５０】
ある時間の間、液晶シャッターを閉じ、次にある時間の間、開けることにより、低バッテリーの電力レベルの表示をするステップを更に含む、請求項４９に記載のコンピュータプログラム。
【請求項５１】
同期信号を検出し、次に前記同期信号を検出した後に前記液晶シャッターを作動させるステップを更に備える、請求項４１に記載のコンピュータプログラム。
【請求項５２】
特に前記液晶シャッターの制御用に暗号化された信号を受信した後に限り、前記液晶シャッターを作動させるステップを更に含む、請求項４６に記載のコンピュータプログラム。
【請求項５３】
ユーザーが見ることのできるレートで、前記液晶シャッターを作動させるテスト信号を発生するステップを更に備える、請求項４１に記載のコンピュータプログラム。
【請求項５４】
液晶が１ミリ秒未満で少なくとも３２％の光透過率となるよう前記液晶に電圧を印加することにより液晶を回転させるための手段と、
前記液晶が最大光透過量のポイントまで回転するまで待つための手段と、
最大光ポイントで前記液晶の回転を停止させるための手段と、
ある時間の間、最大光透過量のポイントに前記液晶を保持するための手段とを備える、液晶シャッターを急速に開にするためのシステム。
【請求項５５】
１ミリ秒未満で第１液晶シャッターを開にするための手段と、
第１時間の間、最大光透過量のポイントに前記第１液晶シャッターを保持するための手段と、
前記第１液晶シャッターを閉じ、１ミリ秒未満で第２液晶シャッターを開にするための手段と、
第２時間の間、最大光透過量のポイントに前記第２液晶シャッターを保持するための手段とを備え、
前記第１時間は、ビューワーの第１の眼に対する画像の表示に対応し、前記第２時間は、ビューワーの第２の眼に対する画像の表示に対応する、第１および第２液晶シャッターを有する３Ｄ眼鏡のユーザーに三次元ビデオ画像を提供するためのシステム。
【請求項５６】
キャッチ電圧により前記第１および第２液晶シャッターのうちの少なくとも１つを最大光透過量のポイントに保持する、請求項５５に記載のシステム。
【請求項５７】
前記キャッチ電圧は、約２ボルトである、請求項５６に記載のシステム。
【請求項５８】
前記最大光透過量のポイントは、３２％よりも多い光を透過する、請求項５５に記載のシステム。
【請求項５９】
同期信号を発生するための手段を更に備え、前記同期信号は、前記液晶シャッターのうちの１つを開にする請求項５５記載のシステム。
【請求項６０】
前記同期信号は、暗号化された信号を備える、請求項５５に記載のシステム。
【請求項６１】
前記暗号化された信号が有効と判断された後に限り、前記液晶シャッターの制御回路を作動させるための手段を備える、請求項６０に記載のシステム。
【請求項６２】
バッテリーの作動状態を検出するための手段を備える、請求項５５に記載のシステム。
【請求項６３】
前記低バッテリー状態の表示をするための手段を更に備える、請求項６２に記載のシステム。
【請求項６４】
低バッテリー電力レベルの表示をするための前記手段は、ある時間の間、液晶シャッターを閉じ、次にある時間の間、開けるための手段を更に含む、請求項６３に記載のシステム。
【請求項６５】
同期信号を検出し、次に前記同期信号を検出した後に前記液晶シャッターを作動させるための手段を更に備える、請求項５５に記載のシステム。
【請求項６６】
特に前記液晶シャッターの作動用に暗号化された信号を受信した後に限り、前記液晶シャッターを作動させるための手段を更に含む、請求項６０に記載のシステム。
【請求項６７】
ビューワーが見ることのできるレートで、前記液晶シャッターを作動させるためのシステムを更に備える、請求項５５に記載のシステム。
【請求項６８】
液晶を開状態まで回転させるステップと、
前記液晶が最大光透過量のポイントまで回転するまで待つステップと、
最大光ポイントで前記液晶の回転を停止させるステップと、
ある時間の間、最大光透過量のポイントに前記液晶を保持するステップとを備え、前記液晶は、光学的に厚い液晶を有する、３Ｄ眼鏡で使用するための液晶シャッターを急速に開にするための方法。
【請求項６９】
暗号化された同期信号を送信するステップと、
前記暗号化された同期信号を遠隔地で受信するステップと、
前記暗号化され、受信された同期信号を有効と判断した後に、１ミリ秒未満で第１液晶シャッターを開にするステップと、
第１時間の間、最大光透過量のポイントに前記第１液晶シャッターを保持するステップと、
前記第１液晶シャッターを閉じ、次に１ミリ秒未満で第２液晶シャッターを開にするステップと、
第２時間の間、最大光透過量のポイントに前記第２液晶シャッターを保持するステップと、
前記液晶シャッターを開閉するためのバッテリー電力を供給するステップと、
前記バッテリー電力の電力レベルを検出するステップと、
ビューアーが見ることのできるレートで前記液晶シャッターを開閉することにより、前記バッテリー電力の検出された電力レベルを表示するステップとを備え、前記第１時間は、前記ビューアーの第１の眼に対する画像の表示に対応し、前記第２時間は、前記ビューアーの第２の眼に対する画像の表示に対応し、
前記液晶シャッターは、キャッチ電圧により最大光透過量のポイントに保持される、第１および第２液晶シャッターを有する３Ｄ眼鏡のユーザーに対し、三次元ビデオ画像を提供するための方法。
【請求項７０】
第１液晶シャッターを有する第１レンズと、第２液晶シャッターを有する第２レンズとを備える一対の眼鏡を備え、前記液晶シャッターは、液晶を有すると共に、１ミリ秒未満の開時間を有し、
前記第１液晶シャッターと前記第２液晶シャッターとを交互に開にする制御回路を備え、
前記制御回路が前記シャッターを閉じるまで、前記液晶の配向は最大光透過量のポイントに保持され、
更に低バッテリーインジケータを備え、この低バッテリーインジケータは、
制御回路に作動的に結合されたバッテリーと、
前記バッテリー内に残存する電力量を測定できるセンサと、
前記対の眼鏡が所定の時間よりも長く作動するのに、前記バッテリー内に残存する電力量が充分であるかどうかを判断するようになっているコントローラと、
前記眼鏡が、前記所定の時間よりも長くは作動しない場合に、ビューアーに信号を送るためのインジケータとを含む、三次元ビデオ画像を提供するためのシステム。
【請求項７１】
前記インジケータは、所定のレートで前記左右の液晶シャッターを開閉する、請求項７０に記載のシステム。
【請求項７２】
前記所定の時間は、３時間よりも長い、請求項７０に記載のシステム。
【請求項７３】
前記低バッテリーインジケータは、前記対の眼鏡が前記所定の時間よりも長く作動するのに、前記バッテリー内に残存する電力量が充分でないと判断してから、少なくとも３日間作動する、請求項７０に記載のシステム。
【請求項７４】
前記バッテリー内に残存する電力量を決定するようになっている前記コントローラは、同期パルスの数によって時間を測定する、請求項７０に記載のシステム。
【請求項７５】
第１液晶シャッターおよび第２液晶シャッターを備える一対の三次元ビュー眼鏡を設けるステップと、
１ミリ秒未満で前記第１液晶シャッターを開にするステップと、
第１時間の間、最大光透過量のポイントに前記第１液晶シャッターを保持するステップと、
前記第１液晶シャッターを閉にし、１ミリ秒未満で前記第２液晶シャッターを開にするステップと、
第２時間の間、最大光透過量のポイントに前記第２液晶シャッターを保持するステップとを備え、
前記第１時間は、ビューアーの第１の眼に対する画像の表示に対応し、前記第２時間は、前記ビューアーの第２の眼に対する画像の表示に対応し、
バッテリーに残存する電力量を検出するステップと、
前記対の三次元ビュー眼鏡が所定時間よりも長く作動するのに、前記バッテリー内に残存する前記電力量が充分であるかどうかを判断するステップと、
前記三次元ビュー眼鏡が前記所定の時間よりも長くは作動しない場合に、ビューアーに対して低バッテリー信号を表示するステップとを備える、三次元ビデオ画像を提供するための方法。
【請求項７６】
前記三次元ビュー眼鏡が前記所定時間よりも長くは作動しない場合に、低バッテリー信号をビューアーに表示する前記ステップは、所定のレートで第１および第２液晶シャッターを開閉することを備える、請求項７５に記載の方法。
【請求項７７】
前記所定の時間は３時間よりも長い、請求項７５に記載の方法。
【請求項７８】
前記三次元ビュー眼鏡が前記所定時間よりも長くは作動しない場合に、低バッテリー信号をビューアーに表示する前記ステップは、前記対の三次元ビュー眼鏡が所定の時間よりも長く作動するのに、前記バッテリー内に残存する電力量が充分でないと判断した後の少なくとも３日間、低バッテリー信号をビューアーに表示することを含む、請求項７５に記載の方法。
【請求項７９】
前記バッテリー内に残存する電力量を決定する前記ステップは、前記三次元ビュー眼鏡に送信される同期パルスの数を測定することを備える、請求項７５に記載の方法。
【請求項８０】
第１液晶シャッターおよび第２液晶シャッターを備える３Ｄ眼鏡のユーザーに対し三次元画像を提供するためのマシンで読み取り可能なメディアにインストールされたコンピュータプログラムであって、このコンピュータプログラムは、  １ミリ秒未満で前記第１液晶シャッターを開にするステップと、
第１時間の間、最大光透過量のポイントに前記第１液晶シャッターを保持するステップと、
前記第１液晶シャッターを閉にし、１ミリ秒未満で前記第２液晶シャッターを開にするステップと、
第２時間の間、最大光透過量のポイントに前記第２液晶シャッターを保持するステップとを備え、
前記第１時間は、ビューアーの第１の眼に対する画像の表示に対応し、前記第２時間は、前記ビューアーの第２の眼に対する画像の表示に対応し、
バッテリーに残存する電力量を検出するステップと、
前記対の三次元ビュー眼鏡が所定時間よりも長く作動するのに、前記バッテリー内に残存する前記電力量が充分であるかどうかを判断するステップと、
前記三次元ビュー眼鏡が前記所定の時間よりも長くは作動しない場合に、ビューアーに対して低バッテリー信号を表示するステップとを備える、マシンで読み取り可能なメディアにインストールされたコンピュータプログラム。
【請求項８１】
前記三次元ビュー眼鏡が前記所定時間よりも長くは作動しない場合に、低バッテリー信号をビューアーに表示する前記ステップは、所定のレートで第１および第２液晶シャッターを開閉することを備える、請求項８０に記載のコンピュータプログラム。
【請求項８２】
前記所定の時間は、３時間よりも長い、請求項８０に記載のコンピュータプログラム。
【請求項８３】
前記三次元ビュー眼鏡が前記所定時間よりも長くは作動しない場合に、低バッテリー信号をビューアーに表示する前記ステップは、前記対の三次元ビュー眼鏡が所定の時間よりも長く作動するのに、前記バッテリー内に残存する電力量が充分でないと判断した後の少なくとも３日間、低バッテリー信号をビューアーに表示することを含む、請求項８０に記載のコンピュータプログラム。
【請求項８４】
前記バッテリー内に残存する電力量を決定する前記ステップは、前記三次元ビュー眼鏡に送信される同期パルスの数を測定することを備える、請求項８０に記載のコンピュータプログラム。
【請求項８５】
１ミリ秒未満で前記第１液晶シャッターを開にする手段と、
第１時間の間、最大光透過量のポイントに前記第１液晶シャッターを保持する手段と、
前記第１液晶シャッターを閉にし、１ミリ秒未満で前記第２液晶シャッターを開にする手段と、
第２時間の間、最大光透過量のポイントに前記第２液晶シャッターを保持する手段とを備え、
前記第１時間は、ビューアーの第１の眼に対する画像の表示に対応し、前記第２時間は、前記ビューアーの第２の眼に対する画像の表示に対応し、
バッテリーに残存する電力量を検出する手段と、
前記対の三次元ビュー眼鏡が所定時間よりも長く作動するのに、前記バッテリー内に残存する前記電力量が充分であるかどうかを判断する手段と、
前記三次元ビュー眼鏡が前記所定の時間よりも長くは作動しない場合に、ビューアーに対して低バッテリー信号を表示する手段とを備える、第１液晶シャッターおよび第２液晶シャッターを備える３Ｄ眼鏡のユーザーに対し三次元画像を提供するためのシステム。
【請求項８６】
前記低バッテリー信号は、所定のレートで前記第１及び第２液晶シャッターを開閉することを含む、請求項８５に記載のシステム。
【請求項８７】
前記所定の時間は、３時間よりも長い、請求項８５に記載のシステム。
【請求項８８】
前記対の眼鏡が前記所定の時間よりも長く作動するのに、前記バッテリー内に残存する電力量が充分でないと判断してから、少なくとも３日間低バッテリー電力を表示するための手段を更に備える、請求項８５に記載のシステム。
【請求項８９】
前記同期パルスの数により時間を測定することにより、前記バッテリー内に残存する電力量を決定するための手段を更に備える、請求項８５に記載のシステム。
【請求項９０】
第１液晶シャッターを有する第１レンズおよび第２液晶シャッターを有する第２レンズを備える一対の三次元ビュー眼鏡と、
前記第１および第２液晶シャッターの作動を制御するための制御回路と、
前記制御回路に作動的に結合されたバッテリーと、
前記制御回路に作動的に結合された信号センサとを備え、前記制御回路は、前記信号センサによって検出される外部信号の数の関数として、前記一対の三次元ビュー眼鏡が所定の時間よりも長く作動するのに、バッテリー内に残存する電力量が充分であるかどうかを判断し、バッテリー内の電力量を表示するために前記第１、第２液晶シャッターを作動するようになっている、三次元ビデオ画像を提供するためのシステム。
【請求項９１】
前記視覚的表示は、所定のレートで前記第１および第２液晶シャッターを開閉することを備える、請求項９０に記載のシステム。
【請求項９２】
第１液晶シャッターおよび第２液晶シャッターを備える一対の三次元ビュー眼鏡を設けるステップと、
前記三次元ビュー眼鏡に送信される外部信号の数を測定することにより、バッテリー内に残存する電力量を検出するステップと、
前記対の三次元ビュー眼鏡が所定の時間よりも長く作動するのに、前記バッテリー内に残存する電力量が充分であるかどうかを判断するステップと、
前記三次元ビュー眼鏡が前記所定の時間よりも長くは作動しない場合に、低バッテリー信号をビューアーに表示するステップとを備える、三次元ビデオ画像を提供するための方法。
【請求項９３】
前記低バッテリー信号は、所定のレートで第１および第２液晶シャッターを開閉することを含む、請求項９２に記載の方法。
【請求項９４】
三次元ビデオ画像を提供するよう、第１液晶シャッターおよび第２液晶シャッターを備える一対の三次元ビュー眼鏡を作動させる際に使用するためのメモリデバイス内に記憶されたコンピュータプログラムであって、このコンピュータプログラムは、
前記三次元ビュー眼鏡に送信される外部信号の数を判断することにより、バッテリー内に残存する電力量を検出するステップと、
前記対の三次元ビュー眼鏡が所定の時間よりも長く作動するのに、前記バッテリー内に残存する電力量が充分であるかどうかを判断するステップと、
前記三次元ビュー眼鏡が前記所定の時間よりも長くは作動しない場合に、低バッテリー信号をビューアーに表示するステップとを備える、コンピュータプログラム。
【請求項９５】
低バッテリー信号は、所定のレートで前記第１および第２液晶シャッターを開閉することを備える、請求項９４に記載のコンピュータプログラム。
【請求項９６】
第１液晶シャッターおよび第２液晶シャッターを備える一対の三次元ビュー眼鏡を設けるステップと、
１ミリ秒未満で前記第１液晶シャッターを開にするステップと、
第１時間の間、最大光透過量のポイントに前記第１液晶シャッターを保持するステップと、
前記第１液晶シャッターを閉にし、１ミリ秒未満で前記第２液晶シャッターを開にするステップと、
第２時間の間、最大光透過量のポイントに前記第２液晶シャッターを保持するステップとを備え、
前記第１時間は、ビューアーの第１の眼に対する画像の表示に対応し、前記第２時間は、前記ビューアーの第２の眼に対する画像の表示に対応し、
バッテリーに残存する電力量を検出するステップと、
前記対の三次元ビュー眼鏡が所定時間よりも長く作動するのに、前記バッテリー内に残存する前記電力量が充分であるかどうかを判断するステップと、
前記三次元ビュー眼鏡が前記所定の時間よりも長くは作動しない場合に、ビューアーに対して低バッテリー信号を表示するステップとを備え、
前記三次元ビュー眼鏡が前記所定時間よりも長くは作動しない場合に、低バッテリー信号をビューアーに表示する前記ステップは、所定のレートで第１および第２液晶シャッターを開閉することを含み、
前記バッテリー内に残存する電力量を決定する前記ステップは、前記三次元ビュー眼鏡に送信される同期パルスの数を測定することを含む、３次元ビデオ画像を提供するための方法。
【請求項９７】
第１液晶シャッターを有する第１レンズおよび第２液晶シャッターを有する第２レンズを備える一対の眼鏡を備え、前記液晶シャッターの各々は、液晶を有すると共に１ミリ秒未満の開時間を有し、
更に前記第１液晶シャッターと前記第２液晶シャッターとを交互に開にする制御回路を備え、前記シャッターを閉じるまで液晶の配向は最大光透過量のポイントに保持され、
更に前記制御回路に作動的に結合された同期デバイスを備え、この同期デバイスは、
前記眼鏡のユーザーに表示される画像に対応する同期信号を検出するための信号受信機と、
送信される前記同期信号に応じ、前記画像が表示される時間の間、前記第１液晶シャッターまたは前記第２液晶シャッターを開にするために適合した制御回路を備える、三次元ビデオ画像を提供するためのシステム。
【請求項９８】
前記同期信号は、赤外光を備える、請求項９７に記載のシステム。
【請求項９９】
信号送信機を更に備え、この信号送信機は、反射器に向けて前記同期信号を投射し、前記同期信号は、反射器によって反射され、前記信号受信機は、反射された同期信号を検出する、請求項９７に記載のシステム。
【請求項１００】
前記反射器は、映画シアタースクリーンを含む、請求項９９に記載のシステム。
【請求項１０１】
前記信号送信機は、画像プロジェクタからのタイミング信号を受信する、請求項９９に記載のシステム。
【請求項１０２】
前記同期信号は、無線周波数信号を備える、請求項９７に記載のシステム。
【請求項１０３】
前記同期信号は、所定のインターバルでの一連のパルスを備える、請求項９７に記載のシステム。
【請求項１０４】
前記同期信号は、所定のインターバルでの一連のパルスを備え、第１の所定の数のパルスが前記第１液晶シャッターを開にし、第２の所定の数のパルスが前記第２液晶シャッターを開にする、請求項９７に記載のシステム。
【請求項１０５】
前記同期信号は、暗号化されている、請求項９７に記載のシステム。
【請求項１０６】
前記同期信号は、前記制御回路のための一連のパルスとコンフィギュレーションデータとを備える、請求項９７に記載のシステム。
【請求項１０７】
前記一連のパルスおよび前記コンフィギュレーションデータのうちの少なくとも一方は、暗号化されている、請求項１０６に記載のシステム。
【請求項１０８】
前記同期信号は、少なくとも１つのデータビットと、このデータビットに先行する少なくとも１つのクロックパルスとを備える、請求項９７に記載のシステム。
【請求項１０９】
前記同期信号は、同期シリアルデータ信号を備える、請求項９７に記載のシステム。
【請求項１１０】
前記第１液晶シャッターに対する画像の表示と前記第２液晶シャッターに対する画像の表示との間で、前記同期信号を検出する、請求項９７に記載のシステム。
【請求項１１１】
第１液晶シャッターおよび第２液晶シャッターを備える一対の三次元ビュー眼鏡を設けるステップと、
１ミリ秒未満で前記第１液晶シャッターを開にするステップと、
第１時間の間、最大光透過量のポイントに前記第１液晶シャッターを保持するステップと、
前記第１液晶シャッターを閉にし、１ミリ秒未満で前記第２液晶シャッターを開にするステップと、
第２時間の間、最大光透過量のポイントに前記第２液晶シャッターを保持するステップとを備え、
前記第１時間は、ビューアーの第１の眼に対する画像の表示に対応し、前記第２時間は、前記ビューアーの第２の眼に対する画像の表示に対応し、
前記ビューアーに表示される画像に対応する同期信号を送信するステップと、
前記同期信号を検出するステップと、
前記第１液晶シャッターまたは前記第２液晶シャッターをいつ開にするかを決定するために前記同期信号を使用するステップとを備える、三次元ビデオ画像を提供するための方法。
【請求項１１２】
前記同期信号は、赤外光を含む、請求項１１１に記載の方法。
【請求項１１３】
反射器に向けて前記同期信号を投射するステップと、反射器で前記同期信号を反射させるステップと、反射された同期信号を検出するステップとを更に備える、請求項１１１に記載の方法。
【請求項１１４】
前記反射器は、映画シアタースクリーンで前記同期信号を反射させるステップを更に備える、請求項１１１に記載の方法。
【請求項１１５】
画像プロジェクタからのタイミング信号を受信するステップを更に備える、請求項１１１に記載の方法。
【請求項１１６】
前記同期信号は、無線周波数信号を備える、請求項１１１に記載の方法。
【請求項１１７】
前記同期信号は、所定のインターバルでの一連のパルスを備える、請求項１１１に記載の方法。
【請求項１１８】
前記同期信号は、所定のインターバルでの一連のパルスを備え、第１の所定の数のパルスが前記第１液晶シャッターを開にし、第２の所定の数のパルスが前記第２液晶シャッターを開にする、請求項１１１に記載の方法。
【請求項１１９】
前記同期信号を暗号化するステップを更に備える、請求項１１１に記載の方法。
【請求項１２０】
前記同期信号は、前記制御回路のための一連のパルスとコンフィギュレーションデータとを備える、請求項１１１に記載の方法。
【請求項１２１】
前記一連のパルスおよび前記コンフィギュレーションデータのうちの少なくとも一方を、暗号化するステップを更に備える、請求項１１８に記載の方法。
【請求項１２２】
前記同期信号は、少なくとも１つのデータビットと、このデータビットに先行する少なくとも１つのクロックパルスとを備える、請求項１１１に記載の方法。
【請求項１２３】
前記同期信号は、同期シリアルデータ信号を備える、請求項１１１に記載の方法。
【請求項１２４】
前記第１液晶シャッターに対する画像の表示と前記第２液晶シャッターに対する画像の表示との間で、前記同期信号を検出する、請求項１１１に記載の方法。
【請求項１２５】
第１液晶シャッターを有する第１レンズおよび第２液晶シャッターを有する第２レンズを備える一対の眼鏡を備え、前記液晶シャッターの各々は、液晶を有すると共に１ミリ秒未満の開時間を有し、
更に前記第１液晶シャッターと前記第２液晶シャッターとを交互に開にする制御回路を備え、
前記シャッターを閉じるまで液晶の配向は最大光透過量のポイントに保持され、
更に前記制御回路に作動的に結合された同期デバイスを備え、この同期デバイスは、
前記対の眼鏡の前方に位置する反射デバイスと、
前記眼鏡のユーザーに表示される画像に対応する同期信号を前記ユーザーの眼鏡に向けて送る信号送信機と、
前記反射デバイスから反射される前記同期信号を検出するための信号受信機と、
前記画像が表示される時間の間、前記第１液晶シャッターまたは前記第２液晶シャッターを開にするために適合した制御回路とを備える、三次元ビデオ画像を提供するためのシステム。
【請求項１２６】
前記同期信号は、赤外光を備える、請求項１２５に記載のシステム。
【請求項１２７】
前記反射器は、映画シアタースクリーンを含む、請求項１２５に記載のシステム。
【請求項１２８】
前記送信機は、画像プロジェクタからのタイミング信号を受信する、請求項１２５に記載のシステム。
【請求項１２９】
前記同期信号は、所定のインターバルでの一連のパルスを備える、請求項１２５に記載のシステム。
【請求項１３０】
前記同期信号は、所定のインターバルでの一連のパルスを備え、第１の所定の数のパルスが前記第１液晶シャッターを開にし、第２の所定の数のパルスが前記第２液晶シャッターを開にする、請求項１２５に記載のシステム。
【請求項１３１】
前記同期信号は、暗号化されている、請求項１２５に記載のシステム。
【請求項１３２】
前記同期信号は、前記制御回路のための一連のパルスとコンフィギュレーションデータとを備える、請求項１２５に記載のシステム。
【請求項１３３】
前記一連のパルスおよび前記コンフィギュレーションデータのうちの少なくとも一方は、暗号化されている、請求項３６に記載のシステム。
【請求項１３４】
前記同期信号は、少なくとも１つのデータビットと、このデータビットに先行する少なくとも１つのクロックパルスとを備える、請求項１２５に記載のシステム。
【請求項１３５】
前記同期信号は、同期シリアルデータ信号を備える、請求項１２５に記載のシステム。
【請求項１３６】
前記第１液晶シャッターに対する画像の表示と、前記第２液晶シャッターに対する画像の表示との間で、前記同期信号を検出する、請求項１２５に記載のシステム。
【請求項１３７】
第１液晶シャッターおよび第２液晶シャッターを備える３Ｄ眼鏡のユーザーに対し３次元ビデオ画像を提供するためのマシンで読み取り可能なメディアにインストールされたコンピュータプログラムであって、このコンピュータプログラムは、
１ミリ秒未満で前記第１液晶シャッターを開にするステップと、
第１時間の間、最大光透過量のポイントに前記第１液晶シャッターを保持するステップと、
前記第１液晶シャッターを閉にし、１ミリ秒未満で前記第２液晶シャッターを開にするステップと、
第２時間の間、最大光透過量のポイントに前記第２液晶シャッターを保持するステップとを備え、
前記第１時間は、ビューアーの第１の眼に対する画像の表示に対応し、前記第２時間は、前記ビューアーの第２の眼に対する画像の表示に対応し、
ビューアーに表示される画像に対応する前記同期信号を検出するステップと、
前記第１液晶シャッターまたは前記第２液晶シャッターをいつ開にするかを決定するために前記検出された同期信号を使用するステップとを備える、コンピュータプログラム。
【請求項１３８】
前記同期信号は、赤外光を含む、請求項１３７に記載のコンピュータプログラム。
【請求項１３９】
反射器に向けて前記同期信号を投射するステップと、反射器で前記同期信号を反射させるステップと、反射された同期信号を検出するステップとを更に備える、請求項１３７に記載のコンピュータプログラム。
【請求項１４０】
前記反射器は、映画シアタースクリーンを含む、請求項１３９に記載のコンピュータプログラム。
【請求項１４１】
画像プロジェクタからのタイミング信号を受信するステップを更に備える、請求項１３９に記載のコンピュータプログラム。
【請求項１４２】
前記同期信号は、無線周波数信号を備える、請求項１３７に記載のコンピュータプログラム。
【請求項１４３】
前記同期信号は、所定のインターバルでの一連のパルスを備える、請求項１３７に記載のコンピュータプログラム。
【請求項１４９】
前記同期信号は、所定のインターバルでの一連のパルスを備え、第１の所定の数のパルスが前記第１液晶シャッターを開にし、第２の所定の数のパルスが前記第２液晶シャッターを開にする、請求項１３７に記載のコンピュータプログラム。
【請求項１５０】
前記同期信号を暗号化するステップを更に備える、請求項１３７に記載のコンピュータプログラム。
【請求項１５１】
前記同期信号は、前記制御回路のための一連のパルスとコンフィギュレーションデータとを備える、請求項１３７に記載のコンピュータプログラム。
【請求項１５２】
前記一連のパルスおよび前記コンフィギュレーションデータのうちの少なくとも一方を、暗号化するステップを更に備える、請求項１５１に記載のコンピュータプログラム。
【請求項１５３】
前記同期信号は、少なくとも１つのデータビットと、このデータビットに先行する少なくとも１つのクロックパルスとを備える、請求項１３７に記載のコンピュータプログラム。
【請求項１５４】
前記同期信号は、同期シリアルデータ信号を備える、請求項１３７に記載のコンピュータプログラム。
【請求項１５５】
前記第１液晶シャッターに対する画像の表示と前記第２液晶シャッターに対する画像の表示との間で、前記同期信号を検出する、請求項１３７に記載のコンピュータプログラム。
【請求項１５６】
３次元ビデオ画像を提供するためのシステムであって、このシステムは、
第１液晶シャッターおよび第２液晶シャッターを備える一対の３Ｄ眼鏡を備える手段と、
１ミリ秒未満で前記第１液晶シャッターを開にするための手段と、
第１時間の間、最大光透過量のポイントに前記第１液晶シャッターを保持するための手段と、
前記第１液晶シャッターを閉にし、１ミリ秒未満で前記第２液晶シャッターを開にするための手段と、
第２時間の間、最大光透過量のポイントに前記第２液晶シャッターを保持するための手段とを備え、
前記第１時間は、ビューアーの第１の眼に対する画像の表示に対応し、前記第２時間は、前記ビューアーの第２の眼に対する画像の表示に対応し、
ビューアーに表示される画像に対応する前記同期信号を検出するための手段と、
前記第１液晶シャッターまたは前記第２液晶シャッターをいつ開にするかを決定するために前記検出された同期信号を使用するための手段とを備える、システム。
【請求項１５７】
前記同期信号は、赤外光を備える、請求項１５６に記載のシステム。
【請求項１５８】
反射器に向けて前記同期信号を送信するための手段を更に備える、請求項１５６に記載のシステム。
【請求項１５９】
前記反射器は、映画シアタースクリーンを含む、請求項１５８に記載のシステム。
【請求項１６０】
前記送信手段は、画像プロジェクタからのタイミング信号を受信するための手段を更に備える、請求項１５８に記載のシステム。
【請求項１６１】
前記同期信号は、無線周波数信号を備える、請求項１５６に記載のシステム。
【請求項１６２】
前記同期信号は、所定のインターバルでの一連のパルスを備える、請求項１５６に記載のシステム。
【請求項１６３】
前記同期信号は、所定のインターバルでの一連のパルスを備え、第１の所定の数のパルスが前記第１液晶シャッターを開にし、第２の所定の数のパルスが前記第２液晶シャッターを開にする、請求項１５６に記載のシステム。
【請求項１６４】
前記同期信号を暗号化するための手段を更に備える、請求項１５６に記載のシステム。
【請求項１６５】
前記同期信号は、前記制御回路のための一連のパルスとコンフィギュレーションデータとを備える、請求項１５６に記載のシステム。
【請求項１６６】
前記一連のパルスおよび前記コンフィギュレーションデータのうちの少なくとも一方を、暗号化するための手段を更に備える、請求項１６５に記載のシステム。
【請求項１６７】
前記同期信号は、少なくとも１つのデータビットと、このデータビットに先行する少なくとも１つのクロックパルスとを備える、請求項１５６に記載のシステム。
【請求項１６８】
前記同期信号は、同期シリアルデータ信号を備える、請求項１５６に記載のシステム。
【請求項１６９】
前記第１液晶シャッターに対する画像の表示と前記第２液晶シャッターに対する画像の表示との間で、前記同期信号を検出する、請求項１５６に記載のシステム。
【請求項１７０】
第１液晶シャッターおよび第２液晶シャッターを備える一対の三次元ビュー眼鏡を設けるステップと、
１ミリ秒未満で前記第１液晶シャッターを開にするステップと、
第１時間の間、最大光透過量のポイントに前記第１液晶シャッターを保持するステップと、
前記第１液晶シャッターを閉にし、１ミリ秒未満で前記第２液晶シャッターを開にするステップと、
第２時間の間、最大光透過量のポイントに前記第２液晶シャッターを保持するステップとを備え、
前記第１時間は、ビューアーの第１の眼に対する画像の表示に対応し、前記第２時間は、前記ビューアーの第２の眼に対する画像の表示に対応し、
反射器に向けて暗号化された同期信号を投射するステップと、
前記反射器から前記暗号化された同期信号を反射させるステップと、
前記同期信号を検出するステップと、
検出された暗号化同期信号を解読するステップと、
前記第１液晶シャッターまたは前記第２液晶シャッターをいつ開にするかを決定するために前記検出された同期信号を使用するステップとを備え、
前記同期信号は、赤外光を含み、
前記同期信号は、一連のパルスおよびコンフィギュレーションデータを含み、第１の所定の数のパルスが前記第１液晶シャッターを開にし、
第２の所定の数のパルスが前記第２液晶シャッターを開にし、
前記同期信号は、少なくとも１つのデータビットと、このデータビットに先行する少なくとも１つのクロックパルスとを備え、
前記同期信号は、同期シリアルデータ信号を備え、
前記第１液晶シャッターに対する画像の表示と前記第２液晶シャッターに対する画像の表示との間で、前記同期信号を検出する、３次元ビデオ画像を提供するための方法。
【請求項１７１】
第１液晶シャッターを有する第１レンズおよび第２液晶シャッターを有する第２レンズを備える一対の眼鏡を備え、前記液晶シャッターは、液晶を有すると共に１ミリ秒未満の開時間を有し、
前記第１液晶シャッターと前記第２液晶シャッターとを交互に開にする制御回路を備え、
前記制御回路が前記液晶シャッターを閉じるまで前記液晶シャッターのうちの少なくとも１つの配向は、最大光透過量のポイントに保持され、
信号送信機、信号受信機およびビューアーが見ることのできるレートで前記第１および第２液晶シャッターを開閉するようになっているテストシステム制御回路を含むテストシステムを更に備える三次元ビデオ画像を提供するためのシステム。
【請求項１７２】
前記信号送信機は、プロジェクタからのタイミング信号を受信しない、請求項１７１に記載のシステム。
【請求項１７３】
前記信号送信機は、赤外線信号を発生する、請求項１７１に記載のシステム。
【請求項１７４】
前記赤外線信号は、一連のパルスを含む、請求項１７３に記載のシステム。
【請求項１７５】
前記信号送信機は、無線周波数信号を発生する、請求項１７１に記載のシステム。
【請求項１７６】
前記無線周波数信号は、一連のパルスを含む、請求項１７５に記載のシステム。
【請求項１７７】
第１液晶シャッターおよび第２液晶シャッターを備える一対の三次元ビュー眼鏡を設けるステップと、
１ミリ秒未満で前記第１液晶シャッターを開にするステップと、
第１時間の間、最大光透過量のポイントに前記第１液晶シャッターを保持するステップと、
前記第１液晶シャッターを閉にし、１ミリ秒未満で前記第２液晶シャッターを開にするステップと、
第２時間の間、最大光透過量のポイントに前記第２液晶シャッターを保持するステップとを備え、
前記第１時間は、ビューアーの第１の眼に対する画像の表示に対応し、前記第２時間は、前記ビューアーの第２の眼に対する画像の表示に対応し、
前記三次元ビュー眼鏡に向けてテスト信号を送信するステップと、
前記三次元眼鏡上のセンサーにより前記テスト信号を受信するステップと、
前記受信したテスト信号の結果として、前記第１および第２液晶シャッターを開閉するための制御回路を使用するステップとを備え、前記液晶は、眼鏡を付けているビューワーに観察できるレートで開閉する、３次元ビデオ画像を提供するための方法。
【請求項１７８】
前記信号送信機は、プロジェクタからのタイミング信号を受信しない、請求項１７７に記載の方法。
【請求項１７９】
前記信号送信機は、赤外線信号を発生する、請求項１７７に記載の方法。
【請求項１８０】
前記赤外線信号は、一連のパルスを含む、請求項１７９に記載の方法。
【請求項１８１】
前記信号送信機は、無線周波数信号を発生する、請求項１７７に記載の方法。
【請求項１８２】
前記無線周波数信号は、一連のパルスを含む、請求項１８１に記載の方法。
【請求項１８３】
第１液晶シャッターおよび第２液晶シャッターを備える一対の三次元ビュー眼鏡を使用して３次元ビデオ画像を提供するための、マシンで読み取り可能なメディアにインストールされたコンピュータプログラムであって、
１ミリ秒未満で前記第１液晶シャッターを開にするステップと、
第１時間の間、最大光透過量のポイントに前記第１液晶シャッターを保持するステップと、
前記第１液晶シャッターを閉にし、１ミリ秒未満で前記第２液晶シャッターを開にするステップと、
第２時間の間、最大光透過量のポイントに前記第２液晶シャッターを保持するステップとを備え、
前記第１時間は、ビューアーの第１の眼に対する画像の表示に対応し、前記第２時間は、前記ビューアーの第２の眼に対する画像の表示に対応し、
前記三次元ビュー眼鏡に向けてテスト信号を送信するステップと、
前記三次元眼鏡上のセンサーにより前記テスト信号を受信するステップと、
前記受信したテスト信号の結果として、前記第１および第２液晶シャッターを開閉するための制御回路を使用するステップとを備える、３次元ビデオ画像を提供するためのコンピュータプログラム。
【請求項１８４】
前記信号送信機は、プロジェクタからのタイミング信号を受信しない、請求項１８３に記載のコンピュータプログラム。
【請求項１８５】
前記信号送信機は、赤外線信号を発生する、請求項１８３に記載のコンピュータプログラム。
【請求項１８６】
前記赤外線信号は、一連のパルスを含む、請求項１８５に記載のコンピュータプログラム。
【請求項１８７】
前記信号送信機は、無線周波数信号を発生する、請求項１８３に記載のコンピュータプログラム。
【請求項１８８】
前記無線周波数信号は、一連のパルスを含む、請求項１８７に記載のコンピュータプログラム。
【請求項１８９】
第１液晶シャッターおよび第２液晶シャッターを備える一対の三次元ビュー眼鏡を設けるための手段と、
１ミリ秒未満で前記第１液晶シャッターを開にするための手段と、
第１時間の間、最大光透過量のポイントに前記第１液晶シャッターを保持するための手段と、
前記第１液晶シャッターを閉にし、１ミリ秒未満で前記第２液晶シャッターを開にするための手段と、
第２時間の間、最大光透過量のポイントに前記第２液晶シャッターを保持するための手段とを備え、
前記第１時間は、ビューアーの第１の眼に対する画像の表示に対応し、前記第２時間は、前記ビューアーの第２の眼に対する画像の表示に対応し、
前記三次元ビュー眼鏡に向けてテスト信号を送信するための手段と、
前記三次元眼鏡上のセンサーにより前記テスト信号を受信するための手段と、
前記受信したテスト信号の結果として、前記第１および第２液晶シャッターを開閉するための制御回路を使用するための手段とを備え、前記液晶は、眼鏡を付けているビューワーに観察できるレートで開閉する、３次元ビデオ画像を提供するためのシステム。
【請求項１９０】
前記信号送信機は、プロジェクタからのタイミング信号を受信しない、請求項１８９に記載のシステム。
【請求項１９１】
前記信号送信機は、赤外線信号を発生する、請求項１８９に記載のシステム。
【請求項１９２】
前記赤外線信号は、一連のパルスを含む、請求項１９１に記載のシステム。
【請求項１９３】
前記信号送信機は、無線周波数信号を発生する、請求項１８９に記載のシステム。
【請求項１９４】
前記無線周波数信号は、一連のパルスを含む、請求項１９３に記載のシステム。
【請求項１９５】
第１液晶シャッターおよび第２液晶シャッターを備える一対の三次元ビュー眼鏡を設けるステップと、
１ミリ秒未満で前記第１液晶シャッターを開にするステップと、
第１時間の間、最大光透過量のポイントに前記第１液晶シャッターを保持するステップと、
前記第１液晶シャッターを閉にし、１ミリ秒未満で前記第２液晶シャッターを開にするためのステップと、
第２時間の間、最大光透過量のポイントに前記第２液晶シャッターを保持するためのステップと、
前記第１時間は、ビューアーの第１の眼に対する画像の表示に対応し、前記第２時間は、前記ビューアーの第２の眼に対する画像の表示に対応し、
前記三次元ビュー眼鏡に向けて赤外線テスト信号を送信するためのステップと、
前記三次元眼鏡上のセンサーにより前記赤外線テスト信号を受信するためのステップと、
前記受信した赤外線テスト信号の結果として、前記第１および第２液晶シャッターを開閉するための制御回路を使用するための手段とを備え、前記液晶は、眼鏡を付けているビューワーに観察できるレートで開閉し、
前記信号送信機は、プロジェクタからのタイミング信号を受信せず、
前記赤外線信号は、一連のパルスを含み、
前記赤外線信号は、１つ以上のデータビットと、前記データビットの各々に先行する少なくとも１つのクロックパルスを含み、
前記赤外線信号は、同期シリアルデータ信号を含む、３次元ビデオ画像を提供するためのシステム。
【請求項１９６】
第１液晶シャッターを有する第１レンズおよび第２液晶シャッターを有する第２レンズを備える一対の眼鏡を備え、前記液晶シャッターの各々は、液晶を有すると共に、１ミリ秒未満の開時間を有し、
前記第１液晶シャッターと前記第２液晶シャッターとを交互に開にする制御回路を備え、
前記制御回路がシャッターを閉じるまで、前記液晶の配向は最大光透過量のポイントに保持され、
更に前記制御回路に作動的に結合された信号受信機を備え、前記制御回路は、
所定の第１時間インターバルで信号受信機を附勢し、
前記信号受信機が有効な信号を受信しているかどうかを判断し、
前記信号受信機が所定の第２の時間インターバル内に有効信号を受信しない場合に前記信号受信機を除勢し、
前記信号受信機が有効信号を受信しない場合に、前記有効信号に対応するインターバルで前記第１シャッターと第２シャッターとを交互に開閉するようになっている、三次元ビデオ画像を提供するためのシステム。
【請求項１９７】
前記第１時間は、少なくとも２秒を含む、請求項１９６に記載のシステム。
【請求項１９８】
前記第２時間は、わずか１００ミリ秒しか含まない、請求項１９６に記載のシステム。
【請求項１９９】
前記液晶シャッターの双方は、前記信号受信機が有効信号を受信するまで、開状態または閉状態のいずれかのままである、請求項１９６に記載のシステム。
【請求項２００】
第１液晶シャッターおよび第２液晶シャッターを含む一対の三次元ビュー眼鏡を設けるステップと、
１ミリ秒未満で前記第１液晶シャッターを開にするステップと、
第１時間の間、最大光透過量のポイントに前記第１液晶シャッターを保持するステップと、
前記第１液晶シャッターを閉にし、１ミリ秒未満で前記第２液晶シャッターを開にするステップと、
第２時間の間、最大光透過量のポイントに前記第２液晶シャッターを保持するステップとを備え、
前記第１時間は、ビューアーの第１の眼に対する画像の表示に対応し、前記第２時間は、ビューアーの第２の眼に対する画像の表示に対応し、
所定の第１時間インターバルで信号受信機を附勢するステップと、
前記受信機が信号送信機からの有効信号を受信しているかどうかを判断するステップと、
前記信号受信機が第２時間内に前記信号送信機からの有効信号を受信しない場合に、前記信号受信機を除勢するステップと、
前記信号受信機が前記信号送信機からの有効信号を受信した場合に、前記有効信号に対応するインターバルで前記第１および第２シャッターを開閉するステップとを備える、三次元ビデオ画像を提供するための方法。
【請求項２０１】
前記第１時間は、少なくとも２秒を含む、請求項２００に記載の方法。
【請求項２０２】
前記第２時間は、わずか１００ミリ秒しか含まない、請求項２００に記載の方法。
【請求項２０３】
前記液晶シャッターの双方は、前記信号受信機が有効信号を受信するまで、開状態または閉状態のいずれかのままである、請求項２００に記載の方法。
【請求項２０４】
第１液晶シャッターを有する第１レンズおよび第２液晶シャッターを有する第２レンズを含む一対の眼鏡を備え、前記液晶シャッターは、液晶を有すると共に１ミリ秒時間未満の開時間を有し、
前記第１液晶シャッターと前記第２液晶シャッターとを交互に開にできる制御回路を備え、
前記制御回路がシャッターを閉にするまで、最大光透過量のポイントに液晶の配向を保持し、
前記制御回路は、前記第１液晶シャッターおよび前記第２液晶シャッターの双方を開状態に保持するようになっている、三次元ビデオ画像を提供するためのシステム。
【請求項２０５】
前記制御回路は、同期信号を検出するまで前記第１液晶シャッターおよび前記第２液晶シャッターを開状態に保持する、請求項２０４に記載のシステム。
【請求項２０６】
前記第１および第２液晶シャッターに印加される電圧は、正と負の間で交互に変化する、請求項２０４に記載のシステム。
【請求項２０７】
第１液晶シャッターおよび第２液晶シャッターを含む一対の三次元ビュー眼鏡を設けるステップを備え、
前記第１液晶シャッターは、１ミリ秒未満で開となることができ、
前記第２液晶シャッターは、１ミリ秒未満で開となることができ、
前記第１および第２液晶シャッターがユーザーに透明なレンズと見えるようにするレートで、前記第１および第２液晶シャッターを開閉するステップとを備える、三次元ビデオ画像を提供するためのシステム。
【請求項２０８】
有効同期信号を検出するまで、前記液晶シャッターがユーザーに対して透明なレンズに見えるようにするレートで、前記第１および第２液晶シャッターを開閉するステップを更に備える、請求項２０７に記載の方法。
【請求項２０９】
有効同期信号を検出するまで、正と負の間で交互に変化する電圧を前記第１および第２液晶シャッターに印加するステップを更に含む、請求項２０７に記載の方法。
【請求項２１０】
第１液晶シャッターおよび第２液晶シャッターを含む３Ｄ眼鏡のユーザーに３次元ビデオ画像を提供するための、マシンで読み取り可能なメディアにインストールされたコンピュータプログラムであって、
１ミリ秒未満で前記第１液晶シャッターを開にするステップと、
第１時間の間、最大光透過量のポイントに前記第１液晶シャッターを保持するステップと、
前記第１液晶シャッターを閉にし、１ミリ秒未満で前記第２液晶シャッターを開にするステップと、
第２時間の間、最大光透過量のポイントに前記第２液晶シャッターを保持するステップとを備え、
前記第１時間は、ビューアーの第１の眼に対する画像の表示に対応し、前記第２時間は、ビューアーの第２の眼に対する画像の表示に対応し、
所定の第１時間インターバルで信号受信機を附勢するステップと、
前記受信機が信号送信機からの有効信号を受信しているかどうかを判断するステップと、
前記信号受信機が第２時間内に前記信号送信機からの有効信号を受信しない場合に、前記信号受信機を除勢するステップと、
前記信号受信機が前記信号送信機からの有効信号を受信した場合に、前記有効信号に対応するインターバルで前記第１および第２シャッターを開閉するステップとを備える、コンピュータプログラム。
【請求項２１１】
前記第１時間は、少なくとも２秒を含む、請求項２１０に記載のコンピュータプログラム。
【請求項２１２】
前記第２時間は、わずか１００ミリ秒しか含まない、請求項２１０に記載のコンピュータプログラム。
【請求項２１３】
前記液晶シャッターは、前記信号受信機が有効信号を受信するまで、開状態のままである、請求項２１０に記載のコンピュータプログラム。
【請求項２１４】
第１液晶シャッターおよび第２液晶シャッターを含む３Ｄ眼鏡のユーザーに対し３次元ビデオ画像を提供するための、マシンで読み取り可能なメディアにインストールされたコンピュータプログラムであって、
前記第１液晶シャッターは、１ミリ秒未満で開となることができ、
前記第２液晶シャッターは、１ミリ秒未満で開となることができ、
前記第１および第２液晶シャッターがユーザーに透明なレンズと見えるようにするレートで、前記第１および第２液晶シャッターを開閉するステップとを備える、コンピュータプログラム。
【請求項２１５】
有効同期信号を検出するまで、前記第１および第２液晶シャッターを開状態に保持するステップを更に備える、請求項２１４に記載のコンピュータプログラム。
【請求項２１６】
有効同期信号を検出するまで、正と負の間で交互に変化する電圧を前記第１および第２液晶シャッターに印加するステップを更に備える、請求項２１４に記載のコンピュータプログラム。
【請求項２１７】
第１液晶シャッターおよび第２液晶シャッターを含む一対の三次元ビュー眼鏡を設けるための手段と、
１ミリ秒未満で前記第１液晶シャッターを開にするための手段と、
第１時間の間、最大光透過量のポイントに前記第１液晶シャッターを保持するための手段と、
前記第１液晶シャッターを閉にし、１ミリ秒未満で前記第２液晶シャッターを開にするための手段と、
第２時間の間、最大光透過量のポイントに前記第２液晶シャッターを保持するための手段とを備え、
前記第１時間は、ビューアーの第１の眼に対する画像の表示に対応し、前記第２時間は、ビューアーの第２の眼に対する画像の表示に対応し、
所定の第１時間インターバルで信号受信機を附勢するための手段と、
前記受信機が信号送信機からの有効信号を受信しているかどうかを判断するための手段と、
前記信号受信機が第２時間内に前記信号送信機からの有効信号を受信しない場合に、前記信号受信機を除勢するための手段と、
前記信号受信機が前記信号送信機からの有効信号を受信した場合に、前記有効信号に対応するインターバルで前記第１および第２シャッターを開閉するための手段とを備える、三次元ビデオ画像を提供するためのシステム。
【請求項２１８】
前記第１時間は、少なくとも２秒を含む、請求項２１７に記載のシステム。
【請求項２１９】
前記第２時間は、わずか１００ミリ秒しか含まない、請求項２１７に記載のシステム。
【請求項２２０】
前記第１および第２液晶シャッターは、前記信号受信機が前記信号送信機からの有効信号を受信するまで、開状態のままである、請求項２１７に記載のシステム。
【請求項２２１】
第１液晶シャッターを有する第１レンズおよび第２液晶シャッターを有する第２レンズを含む一対の眼鏡を備え、前記液晶シャッターは、液晶を有すると共に１ミリ秒時間未満の開時間を有し、
前記第１液晶シャッターと前記第２液晶シャッターとを交互に開にする制御回路を備え、
前記制御回路がシャッターを閉にするまで、最大光透過量のポイントに液晶の配向を保持し、
前記制御回路は、所定時間の間眼鏡の電源がオンとなった後に前記第１液晶シャッターおよび前記第２液晶シャッターを開閉する、三次元ビデオ画像を提供するためのシステム。
【請求項２２２】
前記制御回路は、所定時間の間眼鏡の電源がオンとなった後に前記第１液晶シャッターおよび前記第２液晶シャッターを閉じる、請求項２２１記載のシステム。
【請求項２２３】
前記制御回路は、所定時間後に前記制御回路が受信した同期信号に応じて前記第１液晶シャッターおよび前記第２液晶シャッターを開閉する、請求項２２１記載のシステム。
【請求項２２４】
前記同期信号は、所定のインターバルでの一連のパルスを含む、請求項２２３に記載のシステム。
【請求項２２５】
前記同期信号は、所定のインターバルでの一連のパルスを含み、所定の第１の数のパルスは前記第１液晶シャッターを介して所定の第２の数のパルスが第２の液晶シャッターを開にする、請求項２２４に記載のシステム。
【請求項２２６】
前記一連のパルスの一部が暗号化されている、請求項２２４に記載のシステム。
【請求項２２７】
前記一連のパルスは、暗号化されていない所定の数のパルスと、前記パルスに続く暗号化されたデータとを含む、請求項２２６に記載のシステム。
【請求項２２８】
前記同期信号は、１つ以上のデータビットと、前記データビットの各々に先行する１つ以上のクロックパルスとを含む、請求項２２３に記載のシステム。
【請求項２２９】
前記同期信号は、同期シリアルデータ信号を含む、請求項２２３に記載のシステム。
【請求項２３０】
第１液晶シャッターおよび第２液晶シャッターを含む一対の三次元ビュー眼鏡を設けるステップと、
１ミリ秒未満で前記第１液晶シャッターを開にするステップと、
第１時間の間、最大光透過量のポイントに前記第１液晶シャッターを保持するステップと、
前記第１液晶シャッターを閉にし、１ミリ秒未満で前記第２液晶シャッターを開にするステップと、
第２時間の間、最大光透過量のポイントに前記第２液晶シャッターを保持するステップとを備え、
前記第１時間は、ビューアーの第１の眼に対する画像の表示に対応し、前記第２時間は、ビューアーの第２の眼に対する画像の表示に対応し、
前記眼鏡の電源をオンにするステップと、
前記眼鏡の電源をオンにしてから所定の時間の間、前記第１および第２液晶シャッターを開閉するステップとを備える、三次元ビデオ画像を提供するための方法。
【請求項２３１】
一部が暗号化されている同期信号を提供するステップと、
前記同期信号を検出するステップとを備え、前記所定の時間後に、暗号化された信号を受信した後に限り、前記検出した同期信号に対応するパターンで、前記第１および第２液晶シャッターが開閉する、請求項２３０に記載の方法。
【請求項２３２】
前記同期信号は、所定のインターバルでの一連のパルスを含み、所定の第１の数のパルスは前記第１液晶シャッターを開にし、所定の第２の数のパルスが第２の液晶シャッターを開にする、請求項２３１に記載の方法。
【請求項２３３】
前記一連のパルスの一部が暗号化されている、請求項２３２に記載の方法。
【請求項２３４】
前記一連のパルスは、暗号化されていない所定の数のパルスと、前記パルスに続く所定の数の暗号化されたパルスを含む、請求項２３２に記載の方法。
【請求項２３５】
連続する２つの暗号化された信号を受信した後に限り、前記同期信号に対応するパターンで前記第１および第２液晶シャッターが開閉する、請求項２３３に記載の方法。
【請求項２３６】
前記同期信号は、１つ以上のデータビットと、前記データビットの各々に先行する１つ以上のクロックパルスとを含む、請求項２３１に記載の方法。
【請求項２３７】
前記同期信号は、同期シリアルデータ信号を含む、請求項２３１に記載の方法。
【請求項２３８】
第１液晶シャッターおよび第２液晶シャッターを含む３Ｄ眼鏡のユーザーに対し３次元ビデオ画像を提供するための、マシンで読み取り可能なメディアにインストールされたコンピュータプログラムであって、
１ミリ秒未満で前記第１液晶シャッターを開にするステップと、
第１時間の間、最大光透過量のポイントに前記第１液晶シャッターを保持するステップと、
前記第１液晶シャッターを閉にし、１ミリ秒未満で前記第２液晶シャッターを開にするステップと、
第２時間の間、最大光透過量のポイントに前記第２液晶シャッターを保持するステップとを備え、
前記第１時間は、ビューアーの第１の眼に対する画像の表示に対応し、前記第２時間は、ビューアーの第２の眼に対する画像の表示に対応し、
前記眼鏡の電源をオンにするステップと、
前記眼鏡の電源をオンにしてから所定の時間の間、前記第１および第２液晶シャッターを開閉するステップとを備える、コンピュータプログラム。
【請求項２３９】
一部が暗号化されている同期信号を提供するステップと、
前記同期信号を検出するステップとを備え、
前記所定の時間後に、前記暗号化された信号を受信した後に限り、前記検出した同期信号に対応するパターンで、前記第１および第２液晶シャッターが開閉する、請求項２３８に記載のコンピュータプログラム。
【請求項２４０】
前記同期信号は、所定のインターバルでの一連のパルスを含み、所定の第１の数のパルスが前記第１液晶シャッターを開にし、所定の第２の数のパルスが第２の液晶シャッターを開にする、請求項２３９に記載のコンピュータプログラム。
【請求項２４１】
前記一連のパルスの一部が暗号化されている、請求項２４０に記載のコンピュータプログラム。
【請求項２４２】
前記一連のパルスは、暗号化されていない所定の数のパルスと、前記パルスに続く暗号化された所定の数のパルスを含む、請求項２４０に記載のコンピュータプログラム。
【請求項２４３】
連続する２つの暗号化された信号を受信した後に限り、前記同期信号に対応するパターンで前記第１および第２液晶シャッターが開閉する、請求項２４０に記載のコンピュータプログラム。
【請求項２４４】
前記同期信号は、１つ以上のデータビットと、前記データビットの各々に先行する１つ以上のクロックパルスとを含む、請求項２４０に記載のコンピュータプログラム。
【請求項２４５】
前記同期信号は、同期シリアルデータ信号を含む、請求項２４０に記載のコンピュータプログラム。
【請求項２４６】
第１液晶シャッターおよび第２液晶シャッターを含む一対の３次元ビュー眼鏡を設けるための手段を備え、
前記第１液晶シャッターは、１ミリ秒未満で開となることができ、
前記第２液晶シャッターは、１ミリ秒未満で開となることができ、
所定時間の間、前記眼鏡への給電を増加した後に前記第１および第２液晶シャッターを開閉するための手段を更に備える、３次元ビデオ画像を提供するためのシステム。
【請求項２４７】
所定時間後に同期信号を受信した時に前記第１および第２液晶シャッターを開閉するための手段を更に備える、請求項２４６記載のシステム。
【請求項２４８】
前記同期信号は、１つ以上のデータビットと、前記データビットの各々に先行する１つ以上のクロックパルスとを含む、請求項２４７に記載のシステム。
【請求項２４９】
前記同期信号は、同期シリアルデータ信号を含む、請求項２４７に記載のシステム。
【請求項２５０】
第１液晶シャッターおよび第２液晶シャッターを含む一対の三次元ビュー眼鏡を設けるための手段と、
１ミリ秒未満で前記第１液晶シャッターを開にするための手段と、
第１時間の間、最大光透過量のポイントに前記第１液晶シャッターを保持するための手段と、
前記第１液晶シャッターを閉にし、１ミリ秒未満で前記第２液晶シャッターを開にするための手段と、
第２時間の間、最大光透過量のポイントに前記第２液晶シャッターを保持するための手段とを備え、
前記第１時間は、ビューアーの第１の眼に対する画像の表示に対応し、前記第２時間は、ビューアーの第２の眼に対する画像の表示に対応し、
所定の時間の間、前記第１および第２液晶シャッターの給電を増加したあとに、前記第１および第２液晶シャッターを開閉するための手段とを備える、三次元ビデオ画像を提供するためのシステム。
【請求項２５１】
一部が暗号化されている同期信号を送信するための手段と、
前記同期信号を検出するための手段と、
前記所定の時間後に、前記暗号化された信号を受信した後に限り、前記同期信号に対応するパターンで、前記第１および第２液晶シャッターを開閉するための手段とを備える、請求項２５０に記載のシステム。
【請求項２５２】
前記同期信号は、所定のインターバルでの一連のパルスを含み、所定の第１の数のパルスが前記第１液晶シャッターを開にし、所定の第２の数のパルスが第２の液晶シャッターを開にする、請求項２５１に記載のシステム。
【請求項２５３】
前記一連のパルスの一部が暗号化されている、請求項２５１に記載のシステム。
【請求項２５４】
前記一連のパルスは、暗号化されていない所定の数のパルスと、それに続く暗号化された所定の数のパルスを含む、請求項２５１に記載のシステム。
【請求項２５５】
連続する２つの暗号化された信号を受信した後に限り、前記同期信号に対応するパターンで前記第１および第２液晶シャッターが開閉する、請求項２５１に記載のシステム。
【請求項２５６】
前記同期信号は、１つ以上のデータビットと、前記データビットの各々に先行する１つ以上のクロックパルスとを含む、請求項２５１に記載のコンピュータプログラム。
【請求項２５７】
前記同期信号は、同期シリアルデータ信号を含む、請求項２５１に記載のシステム。
【請求項２５８】
左右ビューシャッターを受けるための左右レンズ開口部を構成するフレームフロントと、
３Ｄ眼鏡のユーザーの頭部に装着するための、前記フレームフロントに結合され、前記フレーム前方部から延びる左右のつるとを備え、
前記左右のつるの各々は、蛇行した形状となっている、左右ビューシャッターを有する３Ｄ眼鏡のためのフレーム。
【請求項２５９】
左右テンプルの各々は、１つ以上の畝を含む、請求項２５８に記載のフレーム。
【請求項２６０】
左ビューシャッターの作動を制御するための、前記フレーム内に取り付けられた左シャッターコントローラと、
右ビューシャッターの作動を制御するための、前記フレーム内に取り付けられた右シャッターコントローラと、
前記左右シャッターコントローラの作動を制御するための、前記フレーム内に取り付けられた中央コントローラと、
外部ソースからの信号を検出するための前記中央コントローラに作動的に結合された信号センサと、
前記左右シャッターコントローラ、前記中央コントローラおよび前記信号センサに作動的に結合されており、前記左右シャッターコントローラ、前記中央コントローラおよび前記信号センサに給電するための、前記フレーム内に取り付けられたバッテリーとを備える、請求項２５８に記載のフレーム。
【請求項２６１】
前記ビューシャッターの各々は、１ミリ秒未満の開時間を有する液晶を備える、請求項２５８に記載のフレーム。
【請求項２６２】
前記バッテリーおよび前記中央コントローラに作動的に結合されており、前記バッテリーの作動ステータスをモニタすると共に、前記バッテリーの作動ステータスを表示する信号を前記中央コントローラに提供するバッテリーセンサを更に備える、請求項２６０に記載のフレーム。
【請求項２６３】
前記バッテリーおよび前記中央コントローラに作動的に結合されており、前記左右シャッターコントローラに高い電圧を供給する電荷ポンプを更に含む、請求項２６０に記載のフレーム。
【請求項２６４】
前記中央コントローラに作動的に結合されており、前記左右シャッターコントローラの作動を制御するための共通シャッターコントローラを更に備える、請求項２６０に記載のフレーム。
【請求項２６５】
前記信号センサは、
狭バンドパスフィルタと、
デコーダとを備える、請求項２６０に記載のフレーム。
【請求項２６６】
左右ビューシャッターを受けるための左右レンズ開口部を構成するフレームと、
左右ビューシャッターの作動を制御するための中央コントローラと、
前記コントローラの少なくとも一部へアクセスするための開口部を構成する、前記中央コントローラを収納するよう、前記フレームに結合されたハウジングと、
前記ハウジング内の開口部内に支持され、この開口部にシール状態で係合するカバーとを備える、左右ビューシャッターを有する３Ｄ眼鏡。
【請求項２６７】
前記カバーは、前記ハウジング内の開口部にシール状態で係合するためのＯリングシールを備える、請求項２６６に記載の３Ｄ眼鏡。
【請求項２６８】
前記カバーは、前記ハウジング内の開口部内に形成された相補的なリセスに係合するための１つ以上のキー部材を備える、請求項２６６に記載の３Ｄ眼鏡。
【請求項２６９】
左ビューシャッターの作動を制御するための、前記フレーム内に取り付けられた左シャッターコントローラと、
右ビューシャッターの作動を制御するための、前記フレーム内に取り付けられた右シャッターコントローラと、
外部ソースからの信号を検出するための前記中央コントローラに作動的に結合された信号センサと、
前記左右シャッターコントローラ、前記中央コントローラおよび前記信号センサに作動的に結合されており、前記左右シャッターコントローラ、前記中央コントローラおよび前記信号センサに給電するための、前記フレーム内に取り付けられたバッテリーとを備える、請求項２６６に記載の３Ｄ眼鏡。
【請求項２７０】
前記ビューシャッターの各々は、１ミリ秒未満の開時間を有する液晶を備える、請求項２６６に記載のフレーム。
【請求項２７１】
前記バッテリーおよび前記中央コントローラに作動的に結合されており、前記バッテリーの作動ステータスをモニタすると共に、前記バッテリーの作動ステータスを表示する信号を前記中央コントローラに提供するバッテリーセンサを更に備える、請求項２６６に記載のフレーム。
【請求項２７２】
前記バッテリーおよび前記中央コントローラに作動的に結合されており、前記左右シャッターコントローラに高い電圧を供給する電荷ポンプを更に含む、請求項２６６に記載のフレーム。
【請求項２７３】
前記中央コントローラに作動的に結合されており、前記左右シャッターコントローラの作動を制御するための共通シャッターコントローラを更に備える、請求項２６６に記載のフレーム。
【請求項２７４】
前記信号センサは、
狭バンドパスフィルタと、
デコーダとを備える、請求項２６６に記載のフレーム。
【請求項２７５】
ユーザーに付けるための左右ビュー要素を支持するためのフレームを設けるステップと、
３Ｄ眼鏡用コントローラを収納するためのハウジングを前記フレーム内に設けるステップと、
前記ハウジングにシール状態で係合するためのシール要素を有する取り外し自在なカバーを使って、前記フレーム内に前記ハウジングをシールするステップとを備える、左右ビュー要素を有する３Ｄ眼鏡のためのコントローラを収納するための方法。
【請求項２７６】
前記カバーは、１つ以上の凹部を含む、請求項２７５に記載の方法。
【請求項２７７】
前記ハウジングをシールする前記ステップは、このハウジングのカバー内の凹部に係合するためのキーを操作することを含む、請求項２７６に記載の方法。
【請求項２７８】
前記ハウジングは、前記３Ｄ眼鏡のための前記コントローラに給電するための取り外し自在なバッテリーを更に収納する、請求項２７５に記載の方法。
【請求項２７９】
電源と、
前記電源に作動的に結合された第１および第２液晶シャッターと、
前記電源および前記液晶シャッターに作動的に結合された制御回路とを備え、この制御回路は、
第１時間の間、前記第１液晶シャッターを開にし、
第２時間の間、前記第１液晶シャッターを閉にし、
前記第２時間の間、前記第２液晶シャッターを開にし、
前記第１時間の間、前記第２液晶シャッターを閉にし、
前記第１時間および前記第２時間のうちの少なくとも一方の一部の間で前記第１液晶シャッターと前記第２液晶シャッターとの間で電荷を転送するようになっており、
前記第１時間は、３Ｄユーザーの第１の眼に対する画像の表示に対応し、前記第２時間は、前記ユーザーの第２の眼に対する画像の表示に対応する、３Ｄ眼鏡のユーザーに対して三次元ビデオ画像を提供するためのシステム。
【請求項２８０】
前記制御回路は、前記第１時間および第２時間を決定するために同期信号を使用するようになっている、請求項２７９に記載のシステム。
【請求項２８１】
同期信号を発生する発生器を更に備え、前記同期信号により前記制御回路は前記液晶シャッターのうちの一方を開にする、請求項２７９に記載のシステム。
【請求項２８２】
前記同期信号は、暗号化された信号を含む、請求項２８１に記載のシステム。
【請求項２８３】
前記制御回路は、前記暗号化された信号を有効と判断した後にしか作動しない、請求項２８２に記載のシステム。
【請求項２８４】
前記制御回路は、同期信号を検出すると共に、前記同期信号の検出後、前記液晶シャッターの作動を開始するようになっている、請求項２７９に記載のシステム。
【請求項２８５】
前記暗号化された信号は、前記暗号化された信号を受信するようになっている制御回路を有する一対の液晶眼鏡しか作動させない、請求項２８２に記載のシステム。
【請求項２８６】
前記同期信号は、１つ以上のデータビットと、前記データビットの各々に先行する１つ以上のクロックパルスとを含む、請求項２８１に記載のシステム。
【請求項２８７】
前記同期信号は、同期シリアルデータ信号を含む、請求項２８１に記載のシステム。
【請求項２８８】
第１液晶シャッターを有する第１レンズおよび第２液晶シャッターを有する第２レンズを含む一対の眼鏡を備え、前記液晶シャッターの各々は、液晶を有し、
前記第１液晶シャッターと前記第２液晶シャッターとを交互に開にし、前記液晶シャッターの間で電荷を転送する制御回路を備える、三次元ビデオ画像を提供するためのシステム。
【請求項２８９】
同期信号を発生する発生器を更に備え、前記同期信号により前記制御回路は前記液晶シャッターのうちの一方を開にする、請求項２８８に記載のシステム。
【請求項２９０】
前記同期信号は、暗号化された信号を含む、請求項２８９に記載のシステム。
【請求項２９１】
前記制御回路は、前記暗号化された信号を有効と判断した後にしか作動しない、請求項２９０に記載のシステム。
【請求項２９２】
前記制御回路は、同期信号を検出すると共に、前記同期信号の検出後、前記液晶シャッターの作動を開始するようになっている、請求項２８８に記載のシステム。
【請求項２９３】
前記暗号化された信号は、前記暗号化された信号を受信するようになっている制御回路を有する一対の液晶眼鏡しか作動させない、請求項２９０に記載のシステム。
【請求項２９４】
前記同期信号は、１つ以上のデータビットと、前記データビットの各々に先行する１つ以上のクロックパルスとを含む、請求項２８９に記載のシステム。
【請求項２９５】
前記同期信号は、同期シリアルデータ信号を含む、請求項２８９に記載のシステム。
【請求項２９６】
前記第１液晶シャッターを閉にすると共に、前記第２液晶シャッターを開にするステップと、
次に前記第２液晶シャッターを閉にすると共に、前記第１液晶シャッターを開にするステップと、
前記第１液晶シャッターと前記第２液晶シャッターとの間で電荷を転送するステップとを備える、前記第１および第２液晶シャッターを使って三次元ビデオ画像を提供するための方法。
【請求項２９７】
同期信号を提供するステップと、
この同期信号に応答して前記液晶シャッターのうちの一方を開にするステップとを更に備える、請求項２９６に記載の方法。
【請求項２９８】
前記同期信号は、暗号化された信号を含む、請求項２９７に記載の方法。
【請求項２９９】
前記暗号化された信号を有効と判断した後に限り、作動させるステップを更に含む、請求項２９８に記載の方法。
【請求項３００】
前記同期信号を検出すると共に、前記同期信号の検出後、前記液晶シャッターの作動を開始するステップを更に含む、請求項２９６に記載の方法。
【請求項３０１】
前記同期信号は、１つ以上のデータビットと、前記データビットの各々に先行する１つ以上のクロックパルスとを含む、請求項２９７に記載の方法。
【請求項３０２】
前記同期信号は、同期シリアルデータ信号を含む、請求項２９７に記載の方法。
【請求項３０３】
第１液晶シャッターおよび第２液晶シャッターを含む３Ｄ眼鏡のユーザーに対し３次元ビデオ画像を提供するための、マシンで読み取り可能なメディアにインストールされたコンピュータプログラムであって、
前記第１液晶シャッターを閉にすると共に、前記第２液晶シャッターを開にするステップと、
次に前記第２液晶シャッターを閉にすると共に、前記第１液晶シャッターを開にするステップと、
前記第１液晶シャッターと前記第２液晶シャッターとの間で電荷を転送するステップとを備える、マシンで読み取り可能なメディアにインストールされたコンピュータプログラム。
【請求項３０４】
同期信号を発生するステップと、
前記同期信号に応答し、前記液晶シャッターのうちの１つを開にするステップとを更に備える、請求項３０３に記載のコンピュータプログラム。
【請求項３０５】
前記同期信号は、暗号化された信号を含む、請求項３０４記載のコンピュータプログラム。
【請求項３０６】
前記暗号化された信号の有効性を判断するステップを更に含む、請求項３０５に記載のコンピュータプログラム。
【請求項３０７】
前記同期信号を検出し、前記同期信号の検出後、前記液晶シャッターを作動させるステップを更に含む、請求項３０３に記載のコンピュータプログラム。
【請求項３０８】
前記同期信号は、１つ以上のデータビットと、前記データビットの各々に先行する１つ以上のクロックパルスとを含む、請求項３０４に記載のコンピュータプログラム。
【請求項３０９】
前記同期信号は、同期シリアルデータ信号を含む、請求項３０４に記載のコンピュータプログラム。
【請求項３１０】
前記第１液晶シャッターを閉にすると共に、前記第２液晶シャッターを開にするための手段と、
次に前記第２液晶シャッターを閉にすると共に、前記第１液晶シャッターを開にするための手段と、
前記第１液晶シャッターと前記第２液晶シャッターとの間で電荷を転送するための手段とを備える、前記第１および第２液晶シャッターを使って三次元ビデオ画像を提供するためのシステム。
【請求項３１１】
同期信号を提供するための手段と、
この同期信号により前記液晶シャッターのうちの１つを開にさせるための手段とを更に備える、請求項３１０に記載のシステム。
【請求項３１２】
前記同期信号は、暗号化された信号を含む、請求項３１１に記載のシステム。
【請求項３１３】
前記暗号化された信号を有効と判断した後に限り、作動させるための手段を更に含む、請求項３１２に記載のシステム。
【請求項３１４】
前記同期信号は、１つ以上のデータビットと、前記データビットの各々に先行する１つ以上のクロックパルスとを含む、請求項３１１に記載のシステム。
【請求項３１５】
前記同期信号は、同期シリアルデータ信号を含む、請求項３１１に記載のシステム。
【請求項３１６】
同期信号を検出するための手段と、前記同期信号を検出した後に前記液晶シャッターを作動させるための手段とを更に備える、請求項３１０に記載のシステム。
【請求項３１７】
左右液晶シャッターに作動的に結合されたコントローラと、
前記コントローラに作動的に結合されたバッテリーと、
前記コントローラに作動的に結合された電荷ポンプとを備え、
前記コントローラは前記左または右の液晶シャッターのいずれかの作動状態を変えるときに、左液晶シャッターと右液晶シャッターとの間で電荷を転送するようになっており、
前記電荷ポンプは、前記コントローラが左または右の液晶シャッターのいずれかの作動状態を変更するときに電位を累積するようになっている、左右液晶シャッターを含む３Ｄ眼鏡に電力を供給するためのシステム。
【請求項３１８】
前記電荷ポンプは、前記電位レベルが所定のレベルに等しくなったときに電位の累積を停止するようになっている、請求項３１７に記載のシステム。
【請求項３１９】
左または右液晶シャッターのいずれかの作動状態を変えるときに、前記左液晶シャッターと前記右液晶シャッターとの間で電荷を転送するステップと、
前記左または右液晶シャッターのいずれかの作動状態を変更する際に電位を累積するステップとを備える、左右液晶シャッターを含む３Ｄ眼鏡に電力を供給する方法。
【請求項３２０】
前記電位レベルが所定のレベルに等しくなったときに電位の累積を停止するステップを更に含む、請求項３１９に記載の方法。
【請求項３２１】
第１液晶シャッターおよび第２液晶シャッターを含む３Ｄ眼鏡に電力を供給するための、マシンで読み取り可能なメディアに記憶されたコンピュータプログラムであって、
左または右液晶シャッターのいずれかの作動状態を変えるときに、前記左液晶シャッターと前記右液晶シャッターとの間で電荷を転送するステップと、
前記左または右液晶シャッターのいずれかの作動状態を変更する際に電位を累積するステップとを備える、マシンで読み取り可能なメディアに記憶されたコンピュータプログラム。
【請求項３２２】
前記電位レベルが所定のレベルに等しくなったときに電位の累積を停止するステップを更に含む、請求項３２１に記載のコンピュータプログラム。
【請求項３２３】
左または右液晶シャッターのいずれかの作動状態を変えるときに、前記左液晶シャッターと前記右液晶シャッターとの間で電荷を転送するための手段と、
前記左または右液晶シャッターのいずれかの作動状態を変更する際に電位を累積するための手段とを備える、第１液晶シャッターおよび第２液晶シャッターを含む３Ｄ眼鏡に電力を供給するためのシステム。
【請求項３２４】
前記電位レベルが所定のレベルに等しくなったときに電位の累積を停止する手段を更に含む、請求項３２３に記載のシステム。
【請求項３２５】
信号送信機からの信号を受信し、３Ｄ眼鏡を作動させるためのコントローラにデコードされた信号を送るよう、３Ｄ眼鏡で使用するための信号センサであって、
前記信号送信機から受信した信号をフィルタするためのバンドパスフィルタと、
前記バンドパスフィルタに作動的に結合され、前記フィルタされた信号をデコードし、デコードされた信号を前記３Ｄ眼鏡の前記コントローラに提供するためのデコーダとを備える信号センサ。
【請求項３２６】
前記信号送信機から受信した前記信号は、１つ以上のデータビットと、前記データビットのうちの対応する１つに先行する１つ以上のクロックパルスとを含む、請求項３２５に記載の信号センサ。
【請求項３２７】
前記信号送信機から受信した前記信号は，同期シリアルデータ送信信号を含む、請求項３２５に記載の信号センサ。
【請求項３２８】
前記信号送信機から受信した前記信号は、前記３Ｄ眼鏡の作動を制御するための同期信号を含む、請求項３２５に記載の信号センサ。
【請求項３２９】
信号送信機から受信した信号をフィルタするためのバンドパスフィルタと、
前記バンドパスフィルタに作動的に結合され、前記フィルタされた信号をデコードするためのデコーダと、
前記デコーダに作動的に結合され、前記デコードされた信号を受信するためのコントローラと、
前記コントローラに作動的に結合され、前記デコードされた信号に応じて前記コントローラによって制御される左右の光学的シャッターとを備える３Ｄ眼鏡。
【請求項３３０】
前記信号送信機から受信した前記信号は、１つ以上のデータビットと、前記データビットのうちの対応する１つに先行する１つ以上のクロックパルスとを含む、請求項３２９に記載の３Ｄ眼鏡。
【請求項３３１】
前記信号送信機から受信した前記信号は、同期シリアルデータ送信信号を含む、請求項３２９に記載の３Ｄ眼鏡。
【請求項３３２】
３Ｄ眼鏡に同期シリアルデータ信号を送信するステップを備える、３Ｄ眼鏡にデータ信号を送信する方法。
【請求項３３３】
前記データ信号は、１つ以上のデータビットを備え、前記データビットの各々には対応するクロックパルスが先行する、請求項３３２に記載の方法。
【請求項３３４】
帯域外ノイズを除去するように、前記データ信号をフィルタするステップを更に含む、請求項３３２に記載の方法。
【請求項３３５】
前記同期シリアルデータ信号は、３Ｄ眼鏡の作動を制御するための同期信号を含む、請求項３３２に記載の方法。
【請求項３３６】
３Ｄ眼鏡に同期シリアルデータ信号を送信するステップと、
前記データ信号内に符号化されたデータに応じて、左右の光学的シャッターの作動を制御するステップとを備える、左右の光学的シャッターを有する３Ｄ眼鏡を作動させる方法。
【請求項３３７】
前記データ信号は、１つ以上のデータビットを備え、前記データビットの各々には対応するクロックパルスが先行する、請求項３３６に記載の方法。
【請求項３３８】
帯域外ノイズを除去するように、前記データ信号をフィルタするステップを更に含む、請求項３３６に記載の方法。
【請求項３３９】
３Ｄ眼鏡に同期シリアルデータ信号を送信するステップを備える、３Ｄ眼鏡にデータ信号を送信するための有形のメディアに記憶されたコンピュータプログラム。
【請求項３４０】
前記データ信号は、１つ以上のデータビットを備え、前記データビットの各々には対応するクロックパルスが先行する、請求項３３９に記載のコンピュータプログラム。
【請求項３４１】
帯域外ノイズを除去するように、前記データ信号をフィルタにかけるステップを更に含む、請求項３３９に記載のコンピュータプログラム。
【請求項３４２】
前記同期シリアルデータ信号は、３Ｄ眼鏡の作動を制御するための同期信号を含む、請求項３３９に記載のコンピュータプログラム。
【請求項３４３】
３Ｄ眼鏡に同期シリアルデータ信号を送信するステップと、
前記データ信号内に符号化されたデータに応じて、左右の光学的シャッターの作動を制御するステップとを備える、左右の光学的シャッターを有する３Ｄ眼鏡を作動させるための有形のメディアに記憶されたコンピュータプログラム。
【請求項３４４】
前記データ信号は、１つ以上のデータビットを備え、前記データビットの各々には対応するクロックパルスが先行する、請求項３４３に記載のコンピュータプログラム。
【請求項３４５】
帯域外ノイズを除去するように、前記データ信号をフィルタするステップを更に含む、請求項３４３に記載のコンピュータプログラム。
【請求項３４６】
一対の三次元ビュー眼鏡内の１つ以上の光学的シャッターを作動させるための同期信号であって、この同期信号は、マシンで読み取り可能なメディア内に記憶されており、
前記対の三次元ビューメディア内の光学的シャッターのうちの１つ以上の作動を制御するための１つ以上のデータビットと、
前記データビットの各々に先行する１つ以上のクロックパルスとを備える、同期信号。
【請求項３４７】
前記信号は、送信機に作動的に結合された、マシンで読み取り可能なメディア内に記憶されている、請求項３４６に記載の信号。
【請求項３４８】
前記送信機は、赤外線送信機を含む、請求項３４７に記載の信号。
【請求項３４９】
前記送信機は、可視光送信機を含む、請求項３４７に記載の信号。
【請求項３５０】
前記送信機は、無線周波数送信機を含む、請求項３４７に記載の信号。
【請求項３５１】
前記信号は、受信機に作動的に結合された、マシンで読み取り可能なメディア内に記憶されている、請求項３４６に記載の信号。
【請求項３５２】
前記送信機は、赤外線送信機を備える、請求項３５１に記載の信号。
【請求項３５３】
前記送信機は、可視光送信機を備える、請求項３５１に記載の信号。
【請求項３５４】
前記送信機は、無線周波数送信機を備える、請求項３５１に記載の信号。
【発明の詳細な説明】
【技術分野】
【０００１】
１．関連出願とのクロスレファレンス
本願は、２００８年１０月２０日に「３Ｄ眼鏡」を発明の名称とし、カーロ外により米国特許庁に出願された米国意匠特許出願第２９／３２６，４９８号に関連し、本願では、この意匠特許出願の全体を参考例として援用する。
【０００２】
本願は、２００８年１１月１７日に米国特許庁に出願された米国仮特許出願第６１／１１５，４７７号の出願日の権利を主張するものであり、本願では、この米国仮特許出願の開示を参考例として援用する。
【０００３】
本願は、２００９年３月１３日に「更に改良された３Ｄ眼鏡」を発明の名称とし、カーロ外により米国特許庁に出願された米国意匠特許出願第２９／３１４，２０２号に関連し、本願では、この意匠特許出願の全体を参考例として援用する。
【０００４】
本願は、２００９年５月１３日に「更に改良された３Ｄ眼鏡」を発明の名称とし、カーロ外により米国特許庁に出願された米国意匠特許出願第２９／３１４，９６６号に関連し、本願では、この米国意匠特許出願の全体を参考例として援用する。
【０００５】
本願は、２００９年５月１９日に米国特許庁に出願された米国仮特許出願第６１／１７９，２４８号の出願日の権利を主張するものであり、本願では、この米国仮特許出願の開示を参考例として援用する。
【背景技術】
【０００６】
２．背景
本明細書は、ビューアー（観察者）に三次元のように見えるビデオ画像を表示するための画像処理システムに関する。
【図面の簡単な説明】
【０００７】
【図１】三次元画像を提供するためのシステムの一実施形態の図である。
【０００８】
【図２】図１のシステムを作動させるための方法の一実施形態のフローチャートである。
【０００９】
【図３】図２の方法の作動を示すグラフである。
【００１０】
【図４】図２の方法の作動の一実験的実施形態を示すグラフである。
【００１１】
【図５】図１のシステムを作動させるための方法の一実施形態のフローチャートである。
【００１２】
【図６】図１のシステムを作動させるための方法の一実施形態のフローチャートである。
【００１３】
【図７】図１のシステムを作動させるための方法の一実施形態のフローチャートである。
【００１４】
【図８】図７の方法の作動を示すグラフである。
【００１５】
【図９】図１のシステムを作動させるための方法の一実施形態のフローチャートである。
【００１６】
【図１０】図９の方法の作動を示すグラフである。
【００１７】
【図１１】図１のシステムを作動させるための方法の一実施形態のフローチャートである。
【００１８】
【図１２】図１１の方法の作動を示すグラフである。
【００１９】
【図１３】図１のシステムを作動させるための方法の一実施形態のフローチャートである。
【００２０】
【図１４】図１３の方法の作動を示すグラフである。
【００２１】
【図１５】図１のシステムを作動させるための方法の一実施形態のフローチャートである。
【００２２】
【図１６】図１のシステムを作動させるための方法の一実施形態のフローチャートである。
【００２３】
【図１７】図１のシステムの３Ｄ眼鏡の一実施形態の図である。
【００２４】
【図１８】３Ｄ眼鏡の一実施形態の略図である。
【図１８ａ】３Ｄ眼鏡の一実施形態の略図である。
【図１８ｂ】３Ｄ眼鏡の一実施形態の略図である。
【００２５】
【図１９】図１８、１８ａおよび１８ｂの３Ｄ眼鏡のシャッターコントローラのデジタル制御されるアナログスイッチの略図である。
【００２６】
【図２０】図１８、１８ａおよび１８ｂの３Ｄ眼鏡のシャッターコントローラのデジタル制御されるアナログスイッチ、シャッターおよびＣＰＵの制御信号の略図である。
【００２７】
【図２１】図１８、１８ａおよび１８ｂの３Ｄ眼鏡の作動の一実施形態のフローチャートである。
【００２８】
【図２２】図１８、１８ａおよび１８ｂの３Ｄ眼鏡の作動の一実施形態を示すグラフである。
【００２９】
【図２３】図１８、１８ａおよび１８ｂの３Ｄ眼鏡の作動の一実施形態のフローチャートである。
【００３０】
【図２４】図１８、１８ａおよび１８ｂの３Ｄ眼鏡の作動の一実施形態を示すグラフである。
【００３１】
【図２５】図１８、１８ａおよび１８ｂの３Ｄ眼鏡の作動の一実施形態のフローチャートである。
【００３２】
【図２６】図１８、１８ａおよび１８ｂの３Ｄ眼鏡の作動の一実施形態を示すグラフである。
【００３３】
【図２７】図１８、１８ａおよび１８ｂの３Ｄ眼鏡の作動の一実施形態のフローチャートである。
【００３４】
【図２８】図１８、１８ａおよび１８ｂの３Ｄ眼鏡の作動の一実施形態を示すグラフである。
【００３５】
【図２９】図１８、１８ａおよび１８ｂの３Ｄ眼鏡の作動の一実施形態を示すグラフである。
【００３６】
【図３０】３Ｄ眼鏡の一実施形態の略図である。
【図３０ａ】３Ｄ眼鏡の一実施形態の略図である。
【図３０ｂ】３Ｄ眼鏡の一実施形態の略図である。
【００３７】
【図３１】図３０、３０ａおよび３０ｂの３Ｄ眼鏡のシャッターコントローラのデジタル制御されたアナログスイッチの略図である。
【００３８】
【図３２】図３０、３０ａおよび３０ｂの３Ｄ眼鏡のシャッターコントローラのデジタル制御されたアナログスイッチの作動の略図である。
【００３９】
【図３３】図３０、３０ａおよび３０ｂの３Ｄ眼鏡の作動の一実施形態のフローチャートである。
【００４０】
【図３４】図３０、３０ａおよび３０ｂの３Ｄ眼鏡の作動の一実施形態を示すグラフである。
【００４１】
【図３５】図３０、３０ａおよび３０ｂの３Ｄ眼鏡の作動の一実施形態のフローチャートである。
【００４２】
【図３６】図３０、３０ａおよび３０ｂの３Ｄ眼鏡の作動の一実施形態を示すグラフである。
【００４３】
【図３７】図３０、３０ａおよび３０ｂの３Ｄ眼鏡の作動の一実施形態のフローチャートである。
【００４４】
【図３８】図３０、３０ａおよび３０ｂの３Ｄ眼鏡の作動の一実施形態を示すグラフである。
【００４５】
【図３９】図３０、３０ａおよび３０ｂの３Ｄ眼鏡の作動の一実施形態のフローチャートである。
【００４６】
【図４０】図３０、３０ａおよび３０ｂの３Ｄ眼鏡の作動の一実施形態のフローチャートである。
【００４７】
【図４１】図３０、３０ａおよび３０ｂの３Ｄ眼鏡の作動の一実施形態を示すグラフである。
【００４８】
【図４２】図３０、３０ａおよび３０ｂの３Ｄ眼鏡の作動の一実施形態のフローチャートである。
【００４９】
【図４３】図３０、３０ａおよび３０ｂの３Ｄ眼鏡の作動の一実施形態を示すグラフである。
【００５０】
【図４４】３Ｄ眼鏡の一実施形態の平面図である。
【００５１】
【図４５】図４４の３Ｄ眼鏡の背面図である。
【００５２】
【図４６】図４４の３Ｄ眼鏡の底面図である。
【００５３】
【図４７】図４４の３Ｄ眼鏡の正面図である。
【００５４】
【図４８】図４４の３Ｄ眼鏡の斜視図である。
【００５５】
【図４９】図４４の３Ｄ眼鏡のためのバッテリー用のハウジングカバーを操作するためのキーの使用の斜視図である。
【００５６】
【図５０】図４４の３Ｄ眼鏡のためのバッテリー用のハウジングカバーを操作するために使用されるキーの斜視図である。
【００５７】
【図５１】図４４の３Ｄ眼鏡のためのバッテリー用のハウジングカバーの斜視図である。
【００５８】
【図５２】図４４の３Ｄ眼鏡の側面図である。
【００５９】
【図５３】図４４の３Ｄ眼鏡のためのハウジングカバー、バッテリーおよびｏリングシールの斜視側面図である。
【００６０】
【図５４】図４４の３Ｄ眼鏡のためのハウジングカバー、バッテリーおよびｏリングシールの斜視底面図である。
【００６１】
【図５５】図４４の眼鏡の別の実施形態および図５０のハウジングカバーを操作するのに使用されるキーの別の実施形態の斜視図である。
【００６２】
【図５６】１つ以上の実施形態で使用するための信号センサの一実施形態の略図である。
【００６３】
【図５７】図５６の信号センサと共に使用するようになっているデータ信号の一例を示すグラフである。
【発明を実施するための形態】
【００６４】
以下の図面および記載では、明細書および図面全体にわたって同様な部品には同じ参照番号を付する。図面は必ずしも寸法どおりではない。本発明の所定の特徴は、寸法を誇張して示したり、または多少略して示すことがあり、明瞭かつ簡潔にするために従来の要素の一部の細部は表示しない場合がある。本発明は、異なる実施形態にすることができ、本開示は本発明の原理の明示であると見なし、発明を明細書に記載し、図示する例のみに限定するものではないことを理解しながら、特定の実施形態について詳細に説明し、図面に示す。以下説明する実施形態の異なる教示内容は、所望する結果を得るように別々に、または適当な任意の組み合わせで使用できると理解すべきである。当業者が添付図面を参照しながら、実施形態の次の詳細な説明を読めば、上記種々の特徴だけでなく、以下より詳細に説明する他の特徴および特性が容易に明らかとなろう。
【００６５】
まず図１を参照すると、映画スクリーン１０２上で三次元（３Ｄ）映画を見るためのシステム１００は、左シャッター１０６および右シャッター１０８を有する一対の３Ｄ眼鏡１０４を含む。一実施形態では、３Ｄ眼鏡１０４は、フレームを備え、シャッター１０６および１０８は、フレーム内に取り付けられ、フレーム内に支持された左右のビューレンズとして設けられている。
【００６６】
一実施形態では、シャッター１０６および１０８は液晶セルであり、セルが不透明状態から透明状態になったときにセルは開き、セルが透明状態から不透明状態に戻ったときにセルは、閉じる。この場合における透明状態とは、映画スクリーン１０２に投影されている画像を３Ｄ眼鏡１０４のユーザーが見るのに充分な光を透過する状態と定義される。一実施形態では、３Ｄ眼鏡１０４のシャッター１０６および／または１０８の液晶セルが２５〜３０％の透過率となったときに、３Ｄ眼鏡１０４のユーザーは映画スクリーン１０２上に投影された画像を見ることができる。従って、シャッター１０６および／または１０８の液晶セルは、液晶セルが２５〜３０％の透過率となったときに開いていると見なされる。シャッター１０６および／または１０８の液晶セルは、液晶セルが開いているときに２５〜３０％を超える光を透過することもできる。
【００６７】
一実施形態では、３Ｄ眼鏡１０４のシャッター１０６および１０８は、例えばメルク社ＭＬＣ６０８０のような低粘性、高屈折率の液晶材料を利用するＰｉ−セル構造を有する液晶セルを含む。一実施形態では、Ｐｉ−セルの厚さは、セルが弛緩状態のときに２分の１波長のリターダー（位相遅延器）を形成するように調節されている。一実施形態では、フル弛緩状態よりも低い状態で２分の１波長状態が得られるように、Ｐｉ−セルは、より厚くされる。適当な液晶材料のうちの１つは、メルク社によって製造されているＭＬＣ６０８０であるが充分高い光学的異方性、低い回転粘性および／または複屈折性を有する任意の液晶も使用できる。３Ｄガラス１０４のシャッター１０６および１０８は、例えば４ミクロンのギャップを含む小さいセルギャップも使用できる。更に、充分高い屈折率および低粘性を有する液晶も、３Ｄ眼鏡１０４のシャッター１０６および１０８で使用するのに適す。
【００６８】
一実施形態では、３Ｄ眼鏡１０４のシャッター１０６および１０８のＰｉ−セルは、電気的に制御される複屈折（ＥＣＢ）原理で作動する。複屈折とは、Ｐｉ−セル分子の長い寸法に対して平行に偏光した光および長い寸法に対して垂直に偏光した光に対して、電圧を印加しないときと、低いキャッチ電圧を印加したときに、Ｐｉ−セルが異なる屈折率ｎｏおよびｎｅを有することを意味する。屈折率の差ｎｏ−ｎｅ＝Δｎは、光学的異方性であり、Δｎ×ｄ（ここでｄはセルの厚さである）は、光学的厚さである。Δｎ×ｄ＝１／２λのとき、Ｐｉ−セルは、偏光子の軸に対してセルが４５°に配置されると、２分の１波長リタルダーとして作動する。従って、単なる厚さではなく、光学的厚さが重要である。一実施形態では、３Ｄ眼鏡１０４のシャッター１０６および１０８のＰｉ−セルは、光学的に過度に厚く（このことはΔｎ×ｄ＞１／２λであることを意味する）なっている。光学的異方性が大きくなればなるほど、セルはより薄くなり、セルの弛緩もより高速となる。一実施形態では、電圧を印加すると、３Ｄ眼鏡１０４のシャッター１０６および１０８のＰｉ−セルの分子の長軸は、基板に対して垂直となり、すなわちホメオトロピックアライメント状態となるので、この状態では複屈折は生じることはなく、偏光子の光透過軸が交差するので、光は透過されない。一実施形態では、偏光子が交差しているＰｉ−セルは、電圧が印加されないときに通常のホワイトモードで作動し、光を透過するように作動すると称される。偏光子の光透過軸が互いに平行に配向しているＰｉ−セルは、電圧を印加したときに通常のブラックモード、すなわち光を透過するモードで作動する。
【００６９】
一実施形態では、Ｐｉ−セルから高電圧を除くと、シャッター１０６および／または１０８の開口がスタートする。この開口は、弛緩プロセスであり、Ｐｉ−セル内の液晶（ＬＣ）分子が平衡状態に戻ること、すなわち分子がアライメント層と整合し、分子が基板のラビング方向に戻ることを意味する。このＰｉ−セルの弛緩時間は、セルの厚さおよび流体の回転粘性によって決まる。
【００７０】
一般にＰｉ−セルが薄くなればなるほど、弛緩もより高速となる。一実施形態では、重要なパラメータは、Ｐｉ−セルのギャップｄ自体ではなく、むしろそのギャップとの積Δｎｄ（ここでΔｎは液晶流体の複屈折率である）である。一実施例では、開状態における光の透過を最大にするために、Ｐｉ−セルのヘッドオン光学的リターデーション（位相差）Δｎｄをλ／２としなければならない。複屈折率をより大きくすれば、セルをより薄くでき、よってセルの弛緩をより高速にできる。可能なスイッチングを最高速にするために、低回転粘性およびより高い複屈折率、Δｎを有する流体（例えばＥＭインダストリーズ社のＭＬＣ６０８０）が使用される。
【００７１】
一実施形態では、Ｐｉ−セル内で低回転粘性およびより高い複屈折率を有するスイッチング流体を使用する外に、不透明状態から透明状態へのスイッチングをより高速にするために、フル弛緩状態よりも低い状態で２分の１波長状態が得られるよう、Ｐｉ−セルを光学的に過度に厚く製造する。通常、Ｐｉ−セルの厚さは弛緩状態において２分の１波長リターダーを形成するように調節されている。しかしながら、フル弛緩状態よりも低い状態で２分の１波長状態が得られるようにＰｉ−セルを光学的に過度に厚く製造する結果、不透明状態から透明状態へのスイッチングがより高速となる。このように、実施形態のシャッター１０６および１０８は、従来の液晶シャッターデバイスと比較して開口速度が速くなり、この速度は実験的実施形態では予期しない結果をもたらした。
【００７２】
一実施形態では、Ｐｉ−セル内のＬＣ分子が過度に大きく回転する前にＬＣ分子の回転を停止させるのに、キャッチ電圧を使用できる。このようにＰｉ−セル内のＬＣ分子の回転を停止させることにより、ピーク値に、またはその近くに光の透過状態が保持される。
【００７３】
一実施形態では、システム１００は、映画スクリーン１０２に向かって信号を送信する、中央処理ユニット（ＣＰＵ）１１０ａを有する信号送信機１１０を更に含む。一実施形態では、送信された信号は、映画スクリーン１０２上で、信号センサ１１２に向かって反射される。送信される信号は、例えば赤外線（ＩＲ）信号、可視光信号、マルチカラー信号または白色光のうちの１つ以上とすることができる。一部の実施形態では、信号センサ１１２に向かって直接送信信号が送信されるので、映画スクリーン１０２で反射させなくてもよい。一部の実施形態では、送信信号は、例えば映画スクリーン１０２で反射されない無線周波数（ＲＦ）信号とすることができる。
【００７４】
信号センサ１１２は、ＣＰＵ１１４に作動的に結合されている。一実施形態では、信号センサ１１２は送信信号を検出し、この信号が存在することをＣＰＵ１１４に伝える。ＣＰＵ１１０ａおよびＣＰＵ１１４の各々は、例えば汎用プログラマブルコントローラ、アプリケーション特定集積回路（ＡＳＩＣ）、アナログコントローラ、ローカライズドコントローラ、分散コントローラ、プログラマブルステートコントローラおよび／または上記デバイスのうちの１つ以上の組み合わせを含むことができる。
【００７５】
ＣＰＵ１１４は、左シャッターコントローラ１１６および右シャッターコントローラ１１８に作動的に結合されており、これらシャッターコントローラの作動をモニタし、制御するようになっている。一実施形態では、左シャッターコントローラ１１６および右シャッターコントローラ１１８は、次に３Ｄ眼鏡１０４の左シャッター１０６および右シャッター１０８に作動的に結合され、これら左右のシャッターの作動をモニタし、制御するようになっている。シャッターコントローラ１１６および１１８は、例えば汎用プログラマブルコントローラ、ＡＳＩＣ、アナログコントローラ、アナログまたはデジタルスイッチ、ローカライズドコントローラ、分散コントローラ、プログラマブルステートコントローラおよび／または上記デバイスのうちの１つ以上の組み合わせを含むことができる。
【００７６】
少なくともＣＰＵ１１４にはバッテリー１２０が作動的に結合されており、３Ｄ眼鏡１０４のＣＰＵ、信号センサ１１２およびシャッターコントローラ１１６および１１８のうちの１つ以上を作動させるために給電をするようになっている。ＣＰＵ１１４およびバッテリー１２０にはバッテリーセンサ１２２が作動的に結合されており、バッテリー内の残存電力量をモニタするようになっている。
【００７７】
一実施形態では、ＣＰＵ１１４が信号センサ１１２、シャッターコントローラ１１６および１１８、およびバッテリーセンサ１２２のうちの１つ以上の作動をモニタおよび／または制御できる。これとは異なり、またはこれに加え、信号センサ１１２、シャッターコントローラ１１６および１１８、およびバッテリーセンサ１２２のうちの１つ以上は、別個の専用コントローラおよび／または複数のコントローラを含むことができ、このコントローラは、信号センサ１１２、シャッターコントローラ１１６および１１８、およびバッテリーセンサ１２２のうちの１つ以上をモニタおよび／または制御してもよいし、しなくてもよい。上記とは異なり、またはそれに加えて、３Ｄ眼鏡１０４の他の要素のうちの１つ以上にわたってＣＰＵ１１４の作動を少なくとも部分的に分散させてもよい。
【００７８】
一実施形態では、３Ｄ眼鏡１０４のフレーム内に信号センサ１１２、ＣＰＵ１１４、シャッターコントローラ１１６および１１８、バッテリー１２０およびバッテリーセンサ１２２が取り付けられ、支持されている。映画シアター内に映画スクリーン１０２が位置している場合、映画スクリーンに１つ以上のビデオ画像を投影するためのプロジェクタ１３０を設けることができる。一実施形態では、プロジェクタ１３０の近くに信号送信機１１０を設けてもよいし、このプロジェクタ内に設けてもよい。一実施形態では、プロジェクタ１３０は、例えば映画スクリーン１０２上に１つ以上のビデオ画像をディスプレイするための、電子プロジェクタデバイス、電気機械式プロジェクタデバイス、フィルムプロジェクタ、デジタルビデオプロジェクタまたはコンピュータディスプレイを含むことができる。映画スクリーン１０２とは別に、またはそれに加えて、テレビ（ＴＶ）または他のビデオディスプレイデバイス、例えばフラットスクリーンＴＶ、プラズマＴＶ、液晶ＴＶまたは３Ｄ眼鏡のユーザーが見るための画像をディスプレイするための他のディスプレイデバイスも使用でき、この３Ｄ眼鏡は、例えば信号送信機１１０または３Ｄ眼鏡１０４に信号を送るための別の信号送信機を含むことができ、この別の信号送信機は、ディスプレイデバイスのディスプレイ表面の近くおよび／またはその内部に位置していてもよい。
【００７９】
一実施形態では、システム１００の作動中、ＣＰＵ１１４は信号送信機１１０からの信号センサ１１２によって受信される信号に応じ、および／またはバッテリーセンサ１２２からのＣＰＵによって受信される信号に応じ、３Ｄ眼鏡１０４のシャッター１０６および１０８の作動を制御する。一実施形態では、ＣＰＵ１１４は左シャッター１０６を開けるよう、左シャッターコントローラ１１６を制御でき、および／または右シャッター１０８を開けるように右シャッターコントローラ１１８を制御できる。
【００８０】
一実施形態では、シャッターコントローラ１１６および１１８は、シャッターの液晶セルの両端に電圧を印加することによって、シャッター１０６および１０８の作動をそれぞれ制御する。一実施形態では、シャッター１０６および１０８の液晶セルの両端に印加される電圧は、負電圧と正電圧の間で交互に変化する。一実施形態では、シャッター１０６および１０８の液晶セルは、印加電圧が正であるか負であるかにかかわらず、同じように開閉する。印加電圧を交互に変化させることにより、シャッター１０６および１０８の液晶セルの材料が、セルの表面に付着することを防止できる。
【００８１】
一実施形態では、システム１００の作動中、図２および３に示されるように、システムは左右シャッター方法２００を実施できる。この方法では、２０２ａで、左シャッター１０６が閉状態、右シャッター１０８が開状態となり、２０２ｂで、シャッターコントローラ１１６により左シャッター１０６に高電圧２０２ｂａが印加され、シャッターコントローラ１１８により右シャッター１０８には電圧２０２ｂｂは印加されず、その後、右シャッター１０８には低キャッチ電圧２０２ｂｃが印加される。一実施形態では、左シャッター１０６に高電圧２０２ｂａが印加されると、左シャッターが閉じ、右シャッター１０８に電圧が印加されないと、右シャッターの開状態がスタートする。一実施形態では、右シャッター１０８にその後、低キャッチ電圧２０２ｂｃを印加することによって、右シャッター１０８が開状態の間に右シャッター内の液晶が過度に大きく回転することが防止される。この結果、２０２ｂにおいて左シャッター１０６は閉状態となり、右シャッター１０８は開状態となる。
【００８２】
２０２ｃにおいて、左シャッター１０６が開状態となり、右シャッター１０８は閉状態となり、次に２０２ｄで、シャッターコントローラ１１８によって右シャッター１０８に高電圧２０２ｄａが印加され、シャッターコントローラ１１６によって左シャッター１０６には電圧２０２ｄｂは印加されず、次に低キャッチ電圧２０２ｄｃが印加される。一実施形態では、右シャッター１０８に高電圧２０２ｄａが印加されると、右シャッターが閉じ、左シャッター１０６に電圧が印加されない状態で、左シャッターの開状態がスタートする。一実施形態では、次に左シャッター１０６に低キャッチ電圧２０２ｄｃが印加されることにより、左シャッター１０６の開状態中に左シャッター内の液晶が過度に大きく回転することが防止される。
【００８３】
一実施形態では、２０２ｂおよび２０２ｄで使用されるキャッチ電圧の大きさは、２０２ｂおよび２０２ｄで使用される高電圧の大きさの約１０〜２０％の範囲である。
【００８４】
一実施形態では、システム１００の作動中、方法２００において、左シャッター１０６が２０２ｂにおいて閉状態であり、右シャッター１０８が開状態である時間の間、右目にはビデオ画像が表示され、２０２ｄにおいて左シャッター１０６が開状態であり、右シャッター１０８が閉状態となっている時間の間、左目にビデオ画像が表示される。一実施形態では、映画シアタースクリーン１０２、ＬＣＤテレビスクリーン、デジタル光処理（ＤＬＰ）テレビ、ＤＬＰプロジェクタ、プラズマスクリーンなどのうちの１つ以上にビデオ画像をディスプレイできる。
【００８５】
一実施形態では、システム１００が作動中に、ＣＰＵ１１４は各シャッター１０６および１０８に命令し、そのシャッターおよびビューアーの眼のための画像が表示されるのと同時に、各シャッターを開状態にする。一実施形態では、正しい時間にシャッター１０６および１０８を開状態にするように、同期信号を使用してもよい。
【００８６】
一実施形態では、信号送信機１１０により同期信号が送信され、この同期信号は、例えば赤外線光を含むことができる。一実施形態では、信号送信機１１０は反射表面に向けて同期信号を送信し、この反射表面は、この信号を反射し、３Ｄ眼鏡１０４のフレーム内に位置決めされ、取り付けられた信号センサ１１２に向ける。反射表面は、３Ｄ眼鏡１０４のユーザーが映画を見ている間に一般に反射器の方に向くよう、例えば映画シアタースクリーン１０２でもよいし、また映画スクリーン上またはその近くに位置する別の反射デバイスでもよい。一実施形態では、信号送信機１１０がセンサ１１２へ直接同期信号を送ってもよい。一実施形態では、信号センサ１１２は、３Ｄ眼鏡１０４のフレームに支持され、取り付けられたフォトダイオードを含むことができる。
【００８７】
同期信号は、各左右のレンズシャッターシーケンス２００の開始時にパルスを発生できる。この同期信号は、例えば各シャッター１０６または１０８それぞれの開口を命令するためのパルスを発生するように、より高い周波数とすることができる。この同期信号は、シャッターシーケンス（２００）ごとにパルスを１つ、５回のシャッターシーケンスごとにパルスを１つ、または１００回のシャッターシーケンスごとにパルスを１つ発生するよう、より低い周波数とすることができる。ＣＰＵ１１４は、同期信号がない場合に適当なシャッターシーケンス制御を維持するための内部タイマーを有することができる。
【００８８】
一実施形態では、シャッター１０６および１０８内の粘性液晶材料と狭いセルギャップとを組み合わせる結果、セルの光学的厚さは過度の厚さとなる。シャッター１０６および１０８内の液晶は、電圧を印加したときに光の透過をブロックする。印加された電圧を除くと、シャッター１０６および１０８内の液晶内の分子は、アライメント層の配向に戻るように回転する。アライメント層は光の透過を可能にするように、液晶セル内の分子を配向させる。光学的に過度に厚い液晶セルでは、電力を除くと液晶分子は急速に回転し、よって光の透過を急速に高めるが、次に分子は過度に回転し、光の透過量は減少する。液晶セルの分子の回転がスタートしたときから光の透過が安定化するまで、すなわち液晶分子の回転が停止するまでの時間が真のスイッチング時間となる。
【００８９】
一実施形態では、シャッターコントローラ１１６および１１８がシャッター１０６および１０８に低キャッチ電圧を印加すると、このキャッチ電圧はシャッター内の液晶セルが過度に回転する前にシャッター内の液晶セルの回転を停止させる。シャッター１０６および１０８内の液晶セル内の分子が過度に回転する前に、これら分子の回転を停止させることにより、シャッター内の液晶セル内の分子を通過する光の透過量は、そのピーク値またはその近くに保持される。従って、有効スイッチング時間は、シャッター１０６および１０８内の液晶セルがその回転をスタートしてから液晶セル内の分子の回転がピークの光透過量のポイントまたはその近くで停止するまでの時間となる。
【００９０】
次に図４を参照する。透過とは、シャッター１０６または１０８を通過する光の量を意味し、透過量の値１というのは、シャッター１０６または１０８の液晶セルを通過する光の最大透過量のポイントまたは最大透過量近くのポイントを意味する。従って、シャッター１０６または１０８が最大３７％の光を透過できる場合は、透過量レベル１とはシャッター１０６または１０８が、利用できる光の最大量、すなわち３７％を透過することを意味する。当然ながら、使用する特定の液晶セルによっては、シャッター１０６または１０８が透過する光の最大量は、例えば３３％、３０％、またはこれら値よりも大幅に多いか少ない、任意の値となり得る。
【００９１】
図４に示されるように、実験的実施形態では、方法２００の作動中にシャッター１０６または１０８を作動させ、光透過量４００を測定した。シャッター１０６または１０８の実験的実施形態では、シャッターを約０．５ミリ秒で閉じ、次に約７ミリ秒の間シャッターサイクルの最初の半分にわたって、閉じたままにし、次にシャッターを約１ミリ秒で最大光透過量の約９０％まで開け、次に約７ミリ秒の間、シャッターを開状態を維持し、次に閉じた。比較として、方法２００の作動中に、市販されているシャッターも作動させたところ、光透過量４０２を示した。方法２００の作動中の本実施形態のシャッター１０６および１０８の光透過率は、図４に示されるように、約１ミリ秒内に約２５〜３０％の透過率、すなわち最大光透過量の約９０％に達したが、他方のシャッターは、図４に示されるように、約２５〜３０％の透過率、すなわち最大光透過量の約９０％に達するのに約２．５ミリ秒もかかった。従って、本実施形態のシャッター１０６および１０８は、市販されているシャッターよりも大幅に応答性の速い作動を示した。これは予期しない結果であった。
【００９２】
次に図５を参照する。一実施形態では、システム１００は作動方法５００を実施し、この作動方法では、５０１において、信号センサ１１４が信号送信機１１０からの赤外線同期（ｓｙｎｃ）パルスを受信し、３Ｄ眼鏡１０４が５０４でランモードとなっていなければ、ＣＰＵ１１４は３Ｄ眼鏡１０４がオフモードとなっているかどうかを５０６で判断する。３Ｄ眼鏡１０４がオフモードとなっていないと５０６でＣＰＵ１１４が判断した場合、ＣＰＵ１１４は５０８での通常の処理を続け、次に５０２に戻る。３Ｄ眼鏡１０４がオフモードになっていると５０６でＣＰＵ１１４が判断した場合、ＣＰＵ１１４は５１０で同期インバータ（ＳＩ）および有効フラグをクリアし、次の暗号化された信号に対してＣＰＵ１１４が準備できるようにし、５１０にてシャッター１０６および１０８のためのウォームアップシーケンスを開始し、次に通常の作動５０８を続け、５０２に戻る。
【００９３】
３Ｄ眼鏡１０４が５０４でランモードになっている場合、ＣＰＵ１１４は３Ｄ眼鏡１０４が既に暗号化のためにコンフィギュアされているかどうかを５１４で判断する。３Ｄ眼鏡１０４が５１４において既に暗号化のためにコンフィギュアされている場合、ＣＰＵ１１４は５０８で通常の作動を続け、５０２に進む。３Ｄ眼鏡１０４が５１４で既に暗号化のためにコンフィギュアされていない場合、ＣＰＵ１１４は着信信号が３パルスの同期信号であるかどうかを５１４でチェックして判断する。５１６において、着信信号が３パルスの同期信号でない場合、ＣＰＵ１１４は５０８で通常の動作を続け、５０２に進む。５１６において着信信号が３パルスの同期信号である場合、ＣＰＵ１１４は信号センサ１１２を使って５１８にて信号送信機１１０からのコンフィギュレーションデータを受信する。次にＣＰＵ１１４は受信したコンフィギュレーションデータを解読し、データが有効であるかどうかを５２０で判断する。受信したコンフィギュレーションデータが５２０で有効である場合、ＣＰＵ１１４は、５２２にて、新しいコンフィギュレーションＩＤ（ＣＯＮＩＤ）が前のＣＯＮＩＤに一致しているかどうかを５２２でチェックする。一実施形態では、前のＣＯＮＩＤを、３Ｄ眼鏡１０４の製造中または現場でのプログラミング中にＣＰＵ１１４に作動的に結合されるメモリデバイス、例えば不揮発性メモリデバイスに記憶できる。新しいＣＯＮＩＤが５２２にて前のＣＯＮＩＤに一致していない場合、ＣＰＵ１１４は、５２４にて、クリアモードとなるように３Ｄ眼鏡１０４のシャッター１０６および１０８に命令する。５２２にて、新しいＣＯＮＩＤが前のＣＯＮＩＤに一致している場合、ＣＰＵ１１４は５２６にて、三次元画像を見るためノーマルモードのシャッターシーケンスをトリガーするよう、ＳＩおよびＣＯＮＩＤフラグをセットする。
【００９４】
一実施形態では、ランモードまたはノーマルモードにおいて、３Ｄ眼鏡１０４は完全に作動可能である。一実施形態では、オフモードにおいて、３Ｄ眼鏡は作動できず、一実施形態では、ノーマルモードにおいて３Ｄ眼鏡は作動可能であり、方法２００を実現できる。
【００９５】
一実施形態では、シアタープロジェクタ１３０の近くに信号送信機１１０を設けることができる。一実施形態では、この信号送信機１１０は、別の機能として３Ｄ眼鏡１０４の信号センサ１１２に同期信号を送る。その代わりに、またはそれに加えて、信号送信機１１０はシアタープロジェクタ１３０および／または任意のディスプレイおよび／または任意の発光デバイスからの同期信号を受信することもできる。実施形態では、正しい暗号信号を含まない信号の送信機１１０により３Ｄ眼鏡１０４が作動するのを防止するために暗号信号を使用できる。更に、一実施形態では、暗号化された送信信号は、暗号化された信号を受信したり、処理するようには構成されていない３Ｄ眼鏡１０４を、適正に作動させない。一実施形態では、信号送信機１１０が、３Ｄ眼鏡１０４に暗号化データを送ることもできる。
【００９６】
次に図６を参照すると、一実施形態では、作動中にシステム１００は作動方法６００を実施する。この方法では、６０２で電源がオンにされたばかりであるので、システムは信号送信機１１０がリセットされたかどうかを６０２にて判断する。６０２は電源がオンにされているために、信号送信機１１０がリセットされている場合、信号送信機は、６０４にて新しいランダム同期反転フラグを発生する。信号送信機１１０がリセット条件で電力を有していない場合、信号送信機１１０のＣＰＵ１１０ａは、同じ同期符号化が所定の時間よりも長い時間使用されたかどうかを６０６で判断する。一実施形態では、６０６における所定の時間を４時間または代表的な映画の時間長さまたは他の適当な時間長さとすることができる。６０６において、同じ同期符号化が４時間よりも長く使用された場合、信号送信機１１０のＣＰＵ１１０ａは、６０４にて新しい同期反転フラグを発生する。
【００９７】
次に、信号送信機１１０のＣＰＵ１１０ａは、信号送信機がまだプロジェクタ１３０からの信号を受信中であるかどうかを６０８で判断する。信号送信機１１０が６０８にてプロジェクタ１３０からの信号を受信していない場合、信号送信機１１０は６０１にて、自らの内部同期信号発生器を使って適正な時間に信号センサ１１２への同期信号の送信を続けることができる。
【００９８】
作動中、信号送信機１１０は、例えば２パルスの同期信号と３パルスの同期信号とに交互に切り替えてもよい。一実施形態では、２パルスの同期信号が左シャッター１０８を開けるように３Ｄ眼鏡１０４に命令し、３パルス同期信号が右シャッター１０６を開けるように３Ｄ眼鏡１０４に命令する。一実施形態では、ｎ番目の信号ごとに信号送信機１１０が暗号信号を送ることができる。
【００９９】
信号送信機１１０が３パルス同期信号を送らなければならないと６１２にて判断した場合、信号送信機は最終同期サイクルからの信号カウントを６１４で決定する。一実施形態では、信号送信機１１０は、１０個の信号ごとに暗号信号を１回だけ送る。しかしながら、一実施形態では、暗号信号の間の信号サイクルをより多くしたり少なくしたりすることも可能である。信号送信機１１０のＣＰＵ１０ａが、この信号がｎ番目の３パルス同期信号でないと６１４で判断した場合、ＣＰＵは、標準的な３パルス同期信号を送ることを６１６で信号送信機に命令する。同期信号がｎ番目の３パルス信号である場合、信号送信機１１０のＣＰＵ１１０ａは、６１８でデータを暗号化し、６２０にてコンフィギュレーションデータが埋め込まれている３パルス同期信号を送る。信号送信機１１０が３パルス同期信号を送るべきでないと６１２で判断した場合、信号送信機は６２２にて２パルス同期信号を送る。
【０１００】
次に図７および８を参照する。一実施形態ではシステム１００の作動中、信号送信機１１０は作動方法７００を実施し、この方法では、同期パルスと符号化されたコンフィギュレーションデータとが組み合わされ、信号送信機１１０によって送信される。特に信号送信機１１０は、クロック信号８００を発生するファームウェア内部クロックを含む。信号送信機１１０のＣＰＵ１１０ａは、クロック信号８００がクロックサイクル８０２の最小にあるかどうかを７０２で判断する。クロック信号８００がクロックサイクルの最初にあると信号送信機１１０のＣＰＵ１１０ａが７０２で判断した場合、信号送信機のＣＰＵはコンフィギュレーションデータ信号８０４が高であるか低であるかを７０４でチェックする。コンフィギュレーションデータ信号８０４が高であれば、７０６にて、データパルス信号８０６は高の値にセットされる。コンフィギュレーションデータ信号８０４が低であれば、７０８にてデータパルス信号８０６を低の値にセットする。一実施形態では、データパルス信号８０６は既に同期信号を含むことができる。従って、７１０にてデータパルス信号８０６と同期信号とを組み合わせ、７１０にて信号送信機１１０により送信する。
【０１０１】
一実施形態では、暗号化動作の前または後において−同期信号シーケンスが埋め込まれ、同期信号シーケンスが重ねられ、または同期信号シーケンスと組み合わされた所定の数の同期信号シーケンスの後で、どの同期信号シーケンスの間でも暗号化されたフォームのコンフィギュレーションデータ信号８０４を送ることができる。更に、２パルス同期信号または３パルス同期信号のいずれか、またはその双方、もしくは他の任意の数のパルスの信号で、暗号化されたフォームのコンフィギュレーションデータ信号８０４を送ることができる。更に、送信のいずれかの終了時において、同期信号を暗号化するか、または暗号化しないで、同期信号送信シーケンスの送信の間で、暗号化されたコンフィギュレーションデータを送信することもできる。
【０１０２】
一実施形態では、例えばマンチェスター符号化を使って同期信号シーケンスにより、または同期信号シーケンスによらないで、コンフィギュレーションデータ信号８０４の暗号化を行うことができる。
【０１０３】
次に図２、５、８、９および１０を参照する。一実施形態では、システム１００の作動中に３Ｄ眼鏡１０４は作動方法９００を実施し、この方法では、９０２にて３Ｄ眼鏡１０４のＣＰＵ１１４がウェイクアップモードのタイムアウトをチェックする。一実施形態では、２秒毎に生じ得る１００ミリ秒または他の所定の時間長さを有する高レベルパルス９０２ａａを備えたクロック信号９０２ａにより、９０２におけるウェイクアップモードのタイムアウトの存在を示す。一実施形態では、高レベルパルス９０２ａａが存在することは、ウェイクアップモードのタイムアウトを示す。
【０１０４】
ＣＰＵ１１４が９０２にてウェイクアップタイムアウトを検出した場合、ＣＰＵは９０４にて信号センサ１１２を使って、同期信号が存在するか存在しないかをチェックする。ＣＰＵ１１４が９０４にて同期信号を検出した場合、ＣＰＵは９０６にて、３Ｄ眼鏡１０４をクリアモードで作動させる。一実施形態では、クリア作動モードの際、３Ｄ眼鏡は方法２００および５００のうちの１つ以上の少なくとも一部を実行し、同期パルスを受信し、および／またはコンフィギュレーションデータ８０４を処理する。一実施形態では、クリア作動モードの場合に、３Ｄ眼鏡は、少なくとも後述する作動方法１３００を実施できる。
【０１０５】
９０４にて、ＣＰＵ１１４が同期信号を検出しない場合、ＣＰＵは９０８にて３Ｄ眼鏡１０４をオフモードで作動させ、次に９０２にて、ＣＰＵはウェイクアップモードのタイムアウトをチェックする。一実施形態では、オフ作動モードでは３Ｄ眼鏡はノーマル作動モードまたはクリアモードの機能を実施しない。
【０１０６】
一実施形態では、３Ｄ眼鏡がオフモードまたはクリアモードいずれかとなっているとき、３Ｄ眼鏡１０４によって方法９００が実施される。
【０１０７】
次に図１１および１２を参照する。一実施形態では、システム１００の作動中、３Ｄ眼鏡１０４はウォームアップ作動方法１１００を実施する。この方法では、３Ｄ眼鏡のＣＰＵ１１４は、３Ｄ眼鏡の電源オンを１１２０にてチェックする。一実施形態では、ユーザーが電源オンスイッチを作動させるか、または自動ウェイクアップシーケンスのいずれかにより、３Ｄ眼鏡１０４の電源をオンにできる。３Ｄ眼鏡１０４の電源がオンにされた場合、３Ｄ眼鏡のシャッター１０６および１０８は、例えばウォームアップシーケンスを必要とし得る。電力を有しないシャッター１０６および１０８の液晶セルの分子は、ある時間の間、不定状態となり得る。
【０１０８】
３Ｄ眼鏡１０４のＣＰＵ１１４が１１０２にて３Ｄ眼鏡の電源オンを検出した場合、ＣＰＵは、１１０４にて交番電圧信号１１０４ａおよび１１０４ｂをそれぞれシャッター１０６および１０８に印加する。一実施形態では、シャッターの液晶セル内のイオン化の問題を防止するために、シャッター１０６および１０８に印加される電圧は、正のピーク値と負のピーク値との間で交互に切り換えられる。一実施形態では、電圧信号１１０４ａと１１０４ｂとは、互いに位相が少なくとも部分的にずれる。これとは異なり、電圧信号１１０４ａと１１０４ｂは、位相が合っていてもよいし、位相が完全にずれていてもよい。一実施形態では、電圧信号１１０４ａおよび１１０４ｂの一方または双方は、ゼロ電圧とピーク電圧との間で交互に変化できる。一実施形態では、シャッターの液晶セルが一定の作動状態となるように、シャッター１０６および１０８に他のフォームの電圧信号を印加してもよい。一実施形態では、シャッター１０６および１０８に電圧信号１１０４ａおよび１１０４ｂを印加することにより、同一時間または異なる時間にシャッターが開閉される。これとは異なり、電圧信号１１０４ａおよび１１０４ｂの印加によってシャッター１０６および１０８はすべての時間で閉じられる。
【０１０９】
シャッター１０６および１０８に電圧信号１１０４ａおよび１１０４ｂを印加する間、ＣＰＵ１１４は１１０６にて、ウォームアップタイムアウトをチェックする。１１０６にてＣＰＵ１１４がウォームアップタイムアウトを検出した場合、ＣＰＵは１１０８にてシャッター１０６および１０８への電圧信号１１０４ａおよび１１０４ｂの印加を停止する。
【０１１０】
一実施形態では、１１０４および１１０６にてＣＰＵ１１４はシャッターの液晶セルを作動させるのに充分な時間の間、シャッター１０６および１０８に電圧信号１１０４ａおよび１１０４ｂを印加する。一実施形態では、ＣＰＵ１１４は、２秒のタイムアウト時間の間、シャッター１０６および１０８に電圧信号１１０４ａおよび１１０４ｂを印加する。一実施形態では、電圧信号１１０４ａおよび１１０４ｂの最大の大きさを１４ボルトとすることができる。一実施形態では、１１０６におけるタイムアウト時間を２秒にすることができる。一実施形態では、電圧信号１１０４ａおよび１１０４ｂの最大の大きさを１４ボルトよりも低くするか、または高くし、タイムアウト時間をより長くしてもよいし、より短くしてもよい。一実施形態では、方法１１００の間、ＣＰＵ１１４は映画を見るのに使用されているレートと異なるレートでシャッター１０６および１０８を開閉できる。一実施形態では、１１０４においてシャッター１０６および１０８に印加される電圧信号１１０４ａおよび１１０４ｂは、映画を見るのに使用されているレートと異なるレートで交互に変化する。一実施形態では、１１０４において、シャッター１０６および１０８に印加される電圧信号は、交互に変化せず、ウォームアップ時間中、一定の状態で印加されるので、全ウォームアップ時間中、シャッターの液晶セルを不透明状態に維持できる。一実施形態では、同期信号が存在しても、または存在しなくても、ウォームアップ方法１１００を行うことができる。従って、この方法１１００は、３Ｄ眼鏡１０４に対するウォームアップ作動モードを実施する。一実施形態では、ウォームアップ方法１１００を実施した後に、３Ｄ眼鏡はノーマルラン作動モードとされ、方法２００を実施できる。これとは異なり、一実施形態では、ウォームアップ方法１１００を実行後、３Ｄ眼鏡はクリア作動モードとされ、次に後述する方法１３００を実施できる。
【０１１１】
次に図１３および１４を参照する。一実施形態では、システム１００の作動中、３Ｄ眼鏡１０４は作動方法１３００を実行する。この方法では、１３０２にてＣＰＵ１１４は、信号センサ１１２が検出した同期信号が有効であるか無効であるかをチェックする。同期信号が有効であるとＣＰＵ１１４が１３０２にて判断した場合、ＣＰＵは１３０４にて、電圧信号１３０４ａおよび１３０４ｂをそれぞれ３Ｄ眼鏡１０４のシャッター１０６および１０８へ印加する。一実施形態では、シャッター１０６および１０８に印加される電圧は、シャッターの液晶セル内のイオン化問題を防止するよう、正のピーク値と負のピーク値との間で交互に変化する。一実施形態では、電圧信号１１０４ａおよび１１０４ｂの一方または双方は、ゼロ電圧とピーク電圧との間で交互に変化する。一実施形態では、シャッターの液晶セルが開状態のままとなり、３Ｄ眼鏡１０４のユーザーがシャッターを通して正常に見ることができるように、シャッター１０６および１０８に他のフォームの電圧信号を印加できる。一実施形態では、シャッター１０６および１０８に電圧信号１１０４ａおよび１１０４ｂを印加することによって、シャッターは開となる。
【０１１２】
シャッター１０６および１０８に電圧信号１３０４ａおよび１３０４ｂを印加する間、ＣＰＵ１１４は１３０６にてクリアリングタイムアウトをチェックする。１３０６にてＣＰＵ１１４がクリアリングタイムアウトを検出した場合、ＣＰＵは１３０８にてシャッター１０６および１０８への電圧信号１３０４ａおよび１３０４ｂの印加を停止する。
【０１１３】
従って、一実施形態では、３Ｄ眼鏡１０４が有効な同期信号を検出しない場合、眼鏡１０４はクリア作動モードとなり、方法１３００を実施する。クリア作動モードでは、一実施形態では、３Ｄ眼鏡１０４の双方のシャッター１０６および１０８は、開状態のままとなるので、ビューアーは３Ｄ眼鏡のシャッターを通して正常に見ることができる。一実施形態では、３Ｄ眼鏡のシャッター１０６および１０８の液晶セルをクリア（透明）状態に維持するよう、正電圧または負電圧に交互に変化する一定の電圧を加える。定電圧は２〜３ボルトの範囲でよいが、この定電圧は適当に透明なシャッターを維持するのに適した他の任意の電圧でもよい。一実施形態では、３Ｄ眼鏡１０４のシャッター１０６および１０８は、３Ｄ眼鏡が暗号化信号を有効と見なすことができるまで、３Ｄ眼鏡１０４のシャッター１０６および１０８は、透明なままでよい。一実施形態では、３Ｄ眼鏡のシャッター１０６および１０８は、３Ｄ眼鏡のユーザーが正常に見ることができるレートで交互に開閉してもよい。
【０１１４】
従って、方法１３００は、３Ｄ眼鏡１０４の作動を透明にし、よってクリア作動モードの方法を実施する。
【０１１５】
次に図１５を参照する。一実施形態では、システム１００が作動中に３Ｄ眼鏡１０４はバッテリー１２０をモニタする方法１５００を実行する。この方法では、１５０２にて、３Ｄ眼鏡のＣＰＵ１１４はバッテリーセンサ１２２を使用してバッテリーの残存有効寿命を決定する。バッテリー１２０の残存有効寿命が適当でないと、３Ｄ眼鏡のＣＰＵ１１４が１５０２にて判断した場合、ＣＰＵは１５０４にて、バッテリー寿命が短い状態である旨の表示をする。
【０１１６】
一実施形態では、不適当なバッテリー残存寿命を、例えば３時間よりも短い任意の時間とすることができる。一実施形態では、３Ｄ眼鏡のメーカーによって適当なバッテリー残存寿命をプリセットしてもよいし、および／または３Ｄ眼鏡のユーザーがプログラムしてもよい。
【０１１７】
一実施形態では、３Ｄ眼鏡１０４のＣＰＵ１１４は、１５０４にて３Ｄ眼鏡のシャッター１０６および１０８を低速でブリンクさせたり、３Ｄ眼鏡のユーザーに分かる適正なレートでシャッターを同時にブリンクさせたり、インジケータのライトを点滅させたり、可聴音などを発生させたりすることにより、バッテリー寿命が短くなったことを表示する。
【０１１８】
一実施形態では、特定の時間の間持続するのにバッテリー残存寿命が不充分であることを３Ｄ眼鏡１０４のＣＰＵ１１４が検出した場合、３Ｄ眼鏡のＣＰＵは１５０４でバッテリーの低状態を表示し、ユーザーが３Ｄ眼鏡をオンにすることを防止する。
【０１１９】
一実施形態では、３Ｄ眼鏡１０４のＣＰＵ１１４は、３Ｄ眼鏡がクリア作動モードに移るたびに、バッテリー残存寿命が適当であるかどうかを判断する。
【０１２０】
一実施形態では、バッテリーが少なくとも適当な時間持続すると３Ｄ眼鏡１１４が判断した場合、３Ｄ眼鏡は通常の作動を続ける。通常の作動は、信号送信機１１０からの有効寿命をチェックしながら、５分間、クリア作動モードに留まり、次に３Ｄ眼鏡１０４が信号送信機からの信号をチェックするよう、周期的にウェークアップするオフモードに進むことを含む。
【０１２１】
一実施形態では、３Ｄ眼鏡１０４のＣＰＵ１１４は、３Ｄ眼鏡をシャットオフする直前のバッテリーの低状態をチェックする。一実施形態では、所定の適当な残存寿命時間の間バッテリー１２０が持続しない場合、シャッター１０６および１０８はゆっくりとしたブリンキングを開始する。
【０１２２】
一実施形態では、バッテリーが適当な所定の残存寿命時間の間持続しなければ、シャッター１０６および／または１０８は不透明状態にされる。すなわち２秒間の間、液晶セルは閉じられ、次に透明状態にされる。すなわち液晶セルは１秒の１０分の１の間、開けられる。シャッター１０６および／または１０８を開閉する時間を任意の時間とすることができる。
【０１２３】
一実施形態では、３Ｄ眼鏡１０４は、ウォームアップ中の時間、正常な作動中の時間、クリアモードの間の時間、パワーオフモードの間の時間を含む任意の状態の間の過渡時間に、バッテリー低状態をチェックできる。一実施形態では、ビューアーが映画を見ている途中でバッテリーの低寿命状態が検出された場合、３Ｄ眼鏡１０４がバッテリーの低状態を即座に表示することはできない。
【０１２４】
一部の実施形態では、３Ｄ眼鏡１０４のＣＰＵ１１４がバッテリーの低レベルを検出した場合、ユーザーが３Ｄ眼鏡をオンにすることはできなくなる。
【０１２５】
次に図１６を参照する。一実施形態では、３Ｄ眼鏡１０４の近くにテスター１６００を設け、３Ｄ眼鏡が正しく作動していることを確認するようにできる。一実施形態では、このテスター１６００は３Ｄ眼鏡の信号センサ１１２にテスト信号１６００ｂを送信するための信号送信機１６００ａを含む。一実施形態では、テスト信号１６００ｂは３Ｄ眼鏡１０４のシャッター１０６および１０８を３Ｄ眼鏡のユーザーに見える低レートでブリンクさせるよう、低周波数レートを有する同期信号を含むことができる。一実施形態では、テスト信号１６００ｂに応答してシャッター１０６および１０８がブリンクできないことは、３Ｄ眼鏡１０４の部品が正しく作動できないことを示す。
【０１２６】
次に図１７を参照する。一実施形態では、３Ｄ眼鏡１０４は、更にＣＰＵ１１４、シャッターコントローラ１１６および１１８、バッテリー１２０に作動的に結合され、シャッターコントローラを作動させるのに使用するための、より高い出力電圧にバッテリーの出力電圧を変換するための電荷ポンプ１７００を更に含む。
【０１２７】
図１８、１８ａおよび１８ｂを参照する。以下、説明するものを除き、これまで説明し、図示した３Ｄ眼鏡１０４と構造および作動が実質的に同一の３Ｄ眼鏡１８００の一実施形態について説明する。この３Ｄ眼鏡１８００は、左シャッター１８０２と、右シャッター１８０４と、左シャッターコントローラ１８０６と、右シャッターコントローラ１８０８と、ＣＰＵ１８１０と、バッテリーセンサ１８１２と、信号センサ１８１４と、電荷ポンプ１８１６とを含む。一実施形態では、３Ｄ眼鏡１８００の左シャッター１８０２、右シャッター１８０４、左シャッターコントローラ１８０６、右シャッターコントローラ１８０８、ＣＰＵ１８１０、バッテリーセンサ１８１２、信号センサ１８１４、電荷ポンプ１８１６の構造と作動は、これまで説明し、図示した３Ｄ眼鏡１０４の左シャッター１０６、右シャッター１０８、左シャッターコントローラ１１６、右シャッターコントローラ１１８、ＣＰＵ１１４、バッテリーセンサ１２２、信号センサ１１２、電荷ポンプ１７００の作動と構造に実質的に同一である。
【０１２８】
一実施形態では、３Ｄ眼鏡１８００は次の部品を含む。
【表１】
2010124466.tif 000003
【０１２９】
一実施形態では、左シャッターコントローラ１８０６は、デジタル制御されたアナログスイッチＵ１を備え、このスイッチＵ１はＣＰＵ１８１０の制御に従い、作動モードに応じて左シャッターの作動を制御するよう、左シャッター１８０２の両端に電圧を印加する。同様に、右シャッターコントローラ１８０８は、デジタル制御されたアナログスイッチＵ２を含み、このスイッチはＣＰＵ１８１０の制御に従い、作動モードに応じて右シャッターの作動を制御するよう、右シャッター１８０４の両端に電圧を印加する。一実施形態では、Ｕ１およびＵ２は部品番号ＵＴＣ４０５２およびＴＩ４０５２として、それぞれユニソックテクノロジー社およびテキサスインスツルメンツ社から入手できる従来の市販のデジタル制御されたアナログスイッチである。
【０１３０】
当業者であれば理解できるように、４０５２デジタル制御アナログスイッチは、制御入力信号Ａ、ＢおよびＩＮＨＩＢＩＴ（ＩＮＨ）、スイッチＩ／Ｏ信号Ｘ０、Ｘ１、Ｘ２、Ｘ３、Ｙ０、Ｙ１、Ｙ２およびＵ３、並びに出力信号ＸおよびＹを含み、更に次の真理値表を提供する。
【表２】
2010124466.tif 000004
図１９に示されるように、４０５２デジタル制御アナログスイッチは、機能図１９００も提供する。従って、４０５２デジタル制御アナログスイッチは、各々が２つの独立したスイッチを有するデジタル制御アナログスイッチを構成し、このスイッチは左シャッターコントローラ１８０６および右シャッターコントローラ１８０８がそれぞれ左シャッター１８０２および右シャッター１０８４の両端に、制御された電圧を選択的に印加し、これらシャッターの作動を制御できるようにしている。
【０１３１】
一実施形態では、ＣＰＵ１８１０は、左シャッターコントローラ１８０６のデジタル制御アナログスイッチＵ１および右シャッターコントローラ１８０８のデジタル制御アナログスイッチＵ２を制御するための出力信号Ａ、Ｂ、Ｃ、Ｄを発生するマイクロコントローラＵ３を有する。マイクロコントローラＵ３の出力制御信号Ａ、ＢおよびＣは、デジタル制御アナログスイッチＵ１およびＵ２の各々に対する次の入力制御信号ＡおよびＢを発生する。
【表３】
2010124466.tif 000005
【０１３２】
一実施形態では、マイクロコントローラＵ３の出力制御信号ＤおよびＥは、デジタル制御アナログスイッチＵ１およびＵ２のスイッチＩ／Ｏ信号Ｘ０、Ｘ１、Ｘ２、Ｘ３、Ｙ０、Ｙ１、Ｙ２、Ｙ３を発生するか、またはそうでない場合にはこれらに影響を与える。
【表４】
2010124466.tif 000006
【０１３３】
一実施形態では、ＣＰＵ１８１０のマイクロコントローラＵ３は、マイクロチップ社から市販されているモデル番号ＰＩＣ１６Ｆ６３６プログラマブルマイクロコントローラである。
【０１３４】
一実施形態では、バッテリーセンサ１８２は、バッテリー１２０の電圧を検出するための電力検出器Ｕ６を含む。一実施形態では、電力検出器Ｕ６はマイクロチップ社から市販されているモデルＭＣＰ１１１マイクロパワー電力検出器である。
【０１３５】
一実施形態では、信号センサ１８１４は、信号送信機１１０による同期信号および／またはコンフィギュレーションデータを含む信号の送信を検出するためのフォトダイオードＤ２を含む。一実施形態では、フォトダイオードＤ２は、オスラム（Ｏｓｒａｍ）社から市販されているモデルＢＰ１０４ＦＳフォトダイオードである。一実施形態では、信号センサ１８１４は、作動増幅器Ｕ５−１およびＵ５−２および関連する信号条件化部品、すなわち抵抗器Ｒ１、Ｒ２、Ｒ３、Ｒ４、Ｒ５、Ｒ６、Ｒ７、Ｒ９、Ｒ１１およびＲ１２、コンデンサＣ５、Ｃ６、Ｃ７およびＣ１０、およびショットキーダイオードＤ１およびＤ３を含む。
【０１３６】
一実施形態では、電荷ポンプ１８１６は、電荷ポンプを使ってバッテリー１２０の出力電圧の値を３Ｖ〜−１２Ｖまで増幅する。一実施形態では、電荷ポンプ１８１６は、ＭＯＳＦＥＴ  Ｑ１と、ショットキーダイオードＤ５と、インダクタＬ１と、ツェナーダイオードＤ６とを含む。一実施形態では、電荷ポンプ１８１６の出力信号は、左シャッターコントローラ１８０６のデジタル制御アナログスイッチＵ１のＩ／Ｏ信号Ｘ２およびＹ０をスイッチングするための入力信号として、更に右シャッターコントローラ１８０８のデジタル制御アナログスイッチＵ２のＩ／Ｏ信号Ｘ３およびＹ１をスイッチングするための入力信号として提供される。
【０１３７】
図２０に示されるように、一実施形態では、３Ｄ眼鏡１８００の作動中、ＣＰＵ１８１０の制御信号Ａ、Ｂ、Ｃ、ＤおよびＥの制御下のデジタル制御アナログスイッチＵ１およびＵ２は、左シャッター１８０２および右シャッター１８０４の一方または双方の両端に種々の電圧を供給できる。詳細には、ＣＰＵ１８１０の制御信号Ａ、Ｂ、Ｃ、ＤおよびＥの制御下のデジタル制御アナログスイッチＵ１およびＵ２は、１）左シャッター１８０２および右シャッター１８０４の一方または双方の両端に正または負の１５ボルトを供給するか、２）左シャッターおよび右シャッターの一方または双方の両端に２〜３ボルトのレンジ内の正または負の電圧を供給するか、または３）左シャッターおよび右シャッターの一方または双方の両端に０ボルトを供給し、すなわち中性状態にすることができる。一実施形態では、ＣＰＵ１８１０の制御信号Ａ、Ｂ、Ｃ、ＤおよびＥの制御下にあるデジタル制御アナログスイッチＵ１およびＵ２は、例えば左シャッター１８０２および右シャッター１８０４の一方または双方の両端で１５ボルトの電圧差が得られるよう、例えば＋３ボルトと−１２ボルトを組み合わせることによって、１５ボルトを発生できる。一実施形態では、ＣＰＵ１８１０の制御信号Ａ、Ｂ、Ｃ、ＤおよびＥの制御下にあるデジタル制御アナログスイッチＵ１およびＵ２は、例えば部品Ｒ８およびＲ１０を含む分圧器によりバッテリー１２０の３ボルトの出力電圧を２ボルトに下げることにより、２ボルトのキャッチ電圧を発生できる。
【０１３８】
上記とは異なり、ＣＰＵ１８１０の制御信号Ａ、Ｂ、Ｃ、ＤおよびＥの制御下のデジタル制御アナログスイッチＵ１およびＵ２は、１）左シャッター１８０２および右シャッター１８０４の一方または双方の両端に正または負の１５ボルトを供給するか、２）左シャッターおよび右シャッターの一方または双方の両端に約２ボルトの正または負の電圧を供給するか、または３）左シャッターおよび右シャッターの一方または双方の両端に約３ボルトの正または負の電圧を供給するか、４）左シャッターおよび右シャッターの一方または双方の両端に０ボルト、供給し、すなわち中性状態にすることができる。一実施形態では、ＣＰＵ１８１０の制御信号Ａ、Ｂ、Ｃ、ＤおよびＥの制御下にあるデジタル制御アナログスイッチＵ１およびＵ２は、例えば左シャッター１８０２および右シャッター１８０４の一方または双方の両端で１５ボルトの電圧差が生じるよう、例えば＋３ボルトと−１２ボルトを組み合わせることによって、１５ボルトを発生できる。一実施形態では、ＣＰＵ１８１０の制御信号Ａ、Ｂ、Ｃ、ＤおよびＥの制御下にあるデジタル制御アナログスイッチＵ１およびＵ２は、例えば部品Ｒ８およびＲ１０を含む分圧器によりバッテリー１２０の３ボルトの出力電圧を２ボルトに下げることにより、２ボルトのキャッチ電圧を発生できる。
【０１３９】
次に、図２１および２２を参照する。一実施形態では、３Ｄ眼鏡１８００の作動中に、３Ｄ眼鏡はノーマル作動モード２１００を実施し、この作動モードではＣＰＵ１８１０が発生する制御信号Ａ、Ｂ、Ｃ、Ｄ、Ｅを使って左シャッターコントローラ１８０６および右シャッターコントローラ１８０８の作動を制御し、次に信号センサ１８１４が検出する同期信号のタイプに応じて、左シャッター１８０２および右シャッター１８０４の作動を制御する。
【０１４０】
より詳細には、信号センサ１８１４が同期信号を受信したとＣＰＵ１８１０が２１０２にて判断した場合、ＣＰＵは受信した同期信号のタイプを２１０４で判断する。一実施形態では、３つのパルスを含む同期信号は、左シャッター１８０２を閉じ、右シャッター１８０４を開けることを示しているが、２つのパルスを含む同期信号は、左シャッターを開にし、右シャッターを閉にすべきであることを示している。より一般的には、左シャッター１８０２および右シャッター１８０４の開閉を制御するのに任意の数の異なるパルスを使用できる。
【０１４１】
左シャッター１８０２を閉じ、右シャッター１８０４を開けるべきであると受信した同期信号が示しているとＣＰＵ１８１０が２１０４で判断した場合、ＣＰＵは、２１０６において、左シャッターコントローラ１８０６および右シャッターコントローラ１８０８に制御信号Ａ、Ｂ、Ｃ、Ｄ、Ｅを送信し、左シャッター１８０２に高電圧を印加すると共に、右シャッター１８０４には電圧を印加せず、その後、低キャッチ電圧を印加する。一実施形態では、２１０６において、左シャッター１８０２に印加される高電圧の値は１５ボルトである。一実施形態では、２１０６において右シャッター１８０４に印加されるキャッチ電圧の大きさは２ボルトである。一実施形態では、低、高またはオープン状態のいずれかとすることができる、制御信号Ｄの作動状態をオープン状態に制御し、よって分圧器の部品Ｒ８およびＲ１０の作動をイネーブルし、制御信号Ｅを高レベルに維持することにより、２１０６において右シャッター１８０４にキャッチ電圧が印加される。一実施形態では、所定の時間中、右シャッターの液晶内の分子の、より高速な回転を可能にするよう、２１０６において右シャッター１８０４に対するキャッチ電圧の印加は所定時間だけ遅延される。この所定時間の終了後のキャッチ電圧をその後印加することにより、右シャッターが開の間に右シャッター１８０４内の液晶内の分子が過度に回転するのが防止される。
【０１４２】
上記とは異なり、左シャッター１８０２を開にし、右シャッター１８０４を閉にすべきであると受信した同期信号が示しているとＣＰＵ１８２０が２１０４にて判断した場合、ＣＰＵは、２１０８において、左シャッターコントローラ１８０６および右シャッターコントローラ１８０８に制御信号Ａ、Ｂ、Ｃ、Ｄ、Ｅを送信し、右シャッター１８０４に高電圧を印加すると共に、左シャッター１８０２には電圧を印加せず、その後、低キャッチ電圧を印加する。一実施形態では、２１０８において、右シャッター１８０４に印加される高電圧の値は１５ボルトである。一実施形態では、２１０８において左シャッター１８０２に印加されるキャッチ電圧の大きさは２ボルトである。一実施形態では、制御信号Ｄを開に制御し、よって分圧器の部品Ｒ８およびＲ１０の作動をイネーブルすると共に、制御信号Ｅを高レベルに維持することにより、２１０８において左シャッター１８０２はキャッチ電圧が印加される。一実施形態では、所定の時間中、左シャッターの液晶内の分子の、より高速な回転を可能にするよう、２１０８において左シャッター１８０２に対するキャッチ電圧の印加は所定時間だけ遅延される。その後、この所定時間の終了後にキャッチ電圧を印加することにより、左シャッターが開状態となっている間に左シャッター１８０２内の液晶内の分子が過度に回転するのが防止される。
【０１４３】
一実施形態では、方法２１００の間に左シャッター１８０２および右シャッター１０８４に印加される電圧は、ステップ２１０６および２１０８のその後の繰り返しにおいて正または負に交互に変化され、左右シャッターの液晶セルに対する損傷を防止する。
【０１４４】
従って、方法２１０は、３Ｄ眼鏡１８００のためのノーマル作動モードまたはラン作動モードを行う。
【０１４５】
次に図２３および２４を参照する。一実施形態では、３Ｄ眼鏡１８００の作動中、３Ｄ眼鏡はウォームアップ作動方法２３００を実施し、この方法ではＣＰＵ１８１０が発生する制御信号Ａ、Ｂ、Ｃ、ＤおよびＥが、左シャッターコントローラ１８０６および右シャッターコントローラ１８０８の作動を制御し、次に左シャッター１８０２および右シャッター１８０４の作動を制御するのに使用される。
【０１４６】
２３０３にて、３Ｄ眼鏡のＣＰＵ１８１０は、３Ｄ眼鏡の電源オンをチェックする。一実施形態では、ユーザーが電源オンスイッチを作動させるか、または自動ウェイクアップシーケンスのいずれかにより、３Ｄ眼鏡１８００に給電できる。３Ｄ眼鏡１８００の電源がオンになった場合、３Ｄ眼鏡のシャッター１８０２および１８０４はウォームアップシーケンスを必要とし得る。ある時間の間、電力を供給されないシャッター１８０２および１８０４の液晶セルは不定状態となり得る。
【０１４７】
３Ｄ眼鏡１８００のＣＰＵ１８１０が２３０２において３Ｄ眼鏡の電源オンを検出した場合、ＣＰＵは２３０４において左シャッター１８０２および右シャッター１８０４に交流電圧信号２３０４ａおよび２３０４ｂをそれぞれ印加する。一実施形態では、左シャッター１８０２および右シャッター１８０４に印加される電圧は、シャッターの液晶セル内のイオン化の問題を防止するように、正のピーク値と負のピーク値の間で交互に変化する。一実施形態では、電圧信号２３０４ａおよび２３０４ｂは、少なくとも互いに部分的に位相がずれていてもよい。一実施形態では、電圧信号２３０４ａおよび２３０４ｂの一方または双方は、ゼロ電圧とピーク電圧の間で交互に変化してもよい。一実施形態では、シャッターの液晶セルを一定の作動状態にするよう、左シャッター１８０２および右シャッター１８０４に他のフォームの電圧信号を印加してもよい。一実施形態では、左シャッター１８０２および右シャッター１８０４に電圧信号２３０４ａおよび２３０４ｂをそれぞれ印加することによって、同一時間または異なる時間のいずれかにシャッターが開閉される。この方法とは異なり、左シャッター１８０２および右シャッター１８０４にそれぞれ電圧信号２３０４ａおよび２３０４ｂを印加することによって、シャッターを閉状態に維持してもよい。
【０１４８】
左シャッター１８０２および右シャッター１８０４に電圧信号２３０４ａ、２３０４ｂを印加する間、ＣＰＵ１８１０は２３０４においてウォームアップのタイムアウトをチェックする。２３０６においてＣＰＵ１８１０がウォームアップタイムアウトを検出した場合、ＣＰＵは２３０８において左シャッター１８０２および右シャッター１８０４に対する電圧信号２３０４ａおよび２３０４ｂの印加を停止する。
【０１４９】
一実施形態では、２３０４および２３０６において、ＣＰＵ１８１０はシャッターの液晶セルを作動させるのに充分長い時間、左シャッター１８０２および右シャッター１８０４にそれぞれ電圧信号２３０４ａおよび２３０４ｂを印加する。一実施形態では、２秒の間、左シャッター１８０２および右シャッター１８０４にそれぞれ電圧信号２３０４ａおよび２３０４ｂを印加する。一実施形態では、電圧信号２３０４ａおよび２３０４ｂの最大の大きさを１５ボルトとすることができる。一実施形態では、２３０６におけるタイムアウトを２秒とすることができる。一実施形態では、電圧信号２３０４ａおよび２３０４ｂの最大の大きさを１５ボルトよりも大または小とすることができ、タイムアウト時間を上記値よりも長くしたり、短くしたりすることもできる。一実施形態では、方法２３００の間、ＣＰＵ１８１０は映画を見るために使用されるレートと異なるレートで、左シャッター１８０２および右シャッター１８０４を開閉できる。一実施形態では、２３０４において、左シャッター１８０２および右シャッター１８０４に印加される電圧信号は交互に変化せず、ウォームアップ時間中に一定に印加され、よってシャッターの液晶セルは全ウォームアップ時間中、不透明状態のままになり得る。一実施形態では、同期信号が存在する状態または存在しない状態で、ウォームアップ方法２３００を実施できる。従って、方法２３００は、３Ｄ眼鏡１８００のためのウォームアップ作動モードを実施する。一実施形態では、ウォームアップ方法２３００を実施した後に、３Ｄ眼鏡１８００をノーマル作動モードまたはラン作動モードとされ、次に方法２１００を実施する。上記とは異なり、一実施形態では、ウォームアップ方法２３００を実施した後に、３Ｄ眼鏡１８００をクリア作動モードにし、次に下記の方法２５００を実施してもよい。
【０１５０】
次に図２５および２６を参照する。一実施形態では、３Ｄ眼鏡１８００の作動中、３Ｄ眼鏡はウォームアップ作動方法２５００を実施し、この方法ではＣＰＵ１８１０が発生する制御信号Ａ、Ｂ、Ｃ、ＤおよびＥが、左シャッターコントローラ１８０６および右シャッターコントローラ１８０８の作動を制御し、次に信号センサー１８１４が受信する同期信号に応じ左シャッター１８０２および右シャッター１８０４の作動を制御するように使用される。
【０１５１】
信号センサ１８１４が受信した同期信号が有効であるか無効であるかを２５０２でＣＰＵ１８１０がチェックする。２５０２において同期信号が無効であるとＣＰＵ１８１０が判断した場合、ＣＰＵは２５０４において３Ｄ眼鏡１８００の左シャッター１８０２および右シャッター１８０４にそれぞれ電圧信号２５０４ａおよび２５０４ｂを印加する。一実施形態では、左シャッター１８０２および右シャッター１８０４にそれぞれ印加される電圧２５０４ａおよび２５０４ｂは、シャッターの液晶セル内のイオン化の問題を防止するように、正のピーク値と負のピーク値の間で交互に変化される。一実施形態では、電圧信号２５０４ａおよび２５０４ｂの一方または双方は、ゼロ電圧とピーク電圧の間で交互に変化してよい。一実施形態では、シャッターの液晶セルを開状態のままにし、よって３Ｄ眼鏡１８００のユーザーがシャッターを通して正常に見ることができるように、左シャッター１８０２および右シャッター１８０４に他のフォームの電圧信号を印加してもよい。一実施形態では、左シャッター１８０２および右シャッター１８０４に電圧信号２５０４ａおよび２５０４ｂをそれぞれ印加することによって、シャッターは開にされる。
【０１５２】
左シャッター１８０２および右シャッター１８０４に電圧信号２５０４ａおよび２５０４ｂがそれぞれ印加される間、ＣＰＵ１８１０は２５０６においてクリアリングタイムアウトをチェックする。ＣＰＵ１８１０が２５０６におけるクリアリングタイムアウトを検出した場合、ＣＰＵ１８１０は、２５０８においてシャッター１８０２および１８０４に対する電圧信号２５０４ａおよび２５０４ｂの印加を停止する。
【０１５３】
従って、一実施形態では、３Ｄ眼鏡１８００が有効な同期信号を検出しない場合、これら眼鏡はクリア作動モードとなり、方法２５００を実施できる。一実施形態では、このクリア作動モードでは、３Ｄ眼鏡１８００の双方のシャッター１８０２および１８０４は、ビューアーが３Ｄ眼鏡のシャッターを通して正常に見ることができるように開状態のままである。一実施形態では、３Ｄ眼鏡１８００のシャッター１８０２および１８０４の液晶セルを透明状態に維持するよう、正の値と負の値を交互にとる定電圧が印加される。この定電圧は２〜３ボルトのレンジ内の値でよいが、この定電圧は適当に透明なシャッターを維持するのに適した他の任意の電圧とすることもできる。一実施形態では、３Ｄ眼鏡１８００のシャッター１８０２および１８０４は、３Ｄ眼鏡が暗号化信号を有効と判断できるまで、および／またはクリアモードがタイムアウトするまで、透明状態のままでよい。一実施形態では、３Ｄ眼鏡１８００のシャッター１８０２および１８０４は、３Ｄ眼鏡が同期化信号を有効と判断でき、次に方法２１００を実施できるまで、および／または２５０６においてタイムアウトが生じ、次に方法９００を実施できる場合に、透明状態のままでよい。一実施形態では、３Ｄ眼鏡１８００のシャッター１８０２および１８０４は、３Ｄ眼鏡のユーザーが正常に見ることができるようにするレートで交互に開閉できる。
【０１５４】
従って、方法２５００は３Ｄ眼鏡１８００の作動をクリアにする方法を実施し、よってクリア作動モードを提供する。
【０１５５】
次に図２７および２８を参照する。一実施形態では、３Ｄ眼鏡１８００の作動中に３Ｄ眼鏡はバッテリー１２０をモニタする方法２７００を実施し、この方法では、ＣＰＵ１８１０が発生する制御信号Ａ、Ｂ、Ｃ、ＤおよびＥを使って左シャッターコントローラ１８０６および右シャッターコントローラ１８０８の作動を制御し、次にバッテリーセンサ１８１２が検出するバッテリー１２０の状態に応じて、左シャッター１８０２および右シャッター１８０４の作動を制御する。
【０１５６】
２７０２において、３Ｄ眼鏡のＣＰＵ１８１０は、バッテリー１２０の残存有効寿命を決定するためにバッテリーセンサ１８１２を使用する。バッテリー１２０の残存有効寿命が適当でないと３Ｄ眼鏡１８００のＣＰＵ１８１０が２７０２で判断した場合、ＣＰＵは２７０４においてバッテリー寿命状態が短いという表示を発生する。
【０１５７】
一実施形態では、３時間よりも短い任意の時間を不適当なバッテリー残存寿命とすることができる。一実施形態では、適当なバッテリー残存寿命を３Ｄ眼鏡１８００のメーカーがプリセットしてもよいし、および／または３Ｄ眼鏡のユーザーがプログラムしてもよい。
【０１５８】
一実施形態では、２７０４において、３Ｄ眼鏡１８００のＣＰＵ１８１０は、３Ｄ眼鏡の左シャッター１８０２および右シャッター１８０４を低速でブリンクさせたり、３Ｄ眼鏡のユーザーが見ることができる適当なレートでシャッターを同時にブリンクさせたり、インジケータのライトを点灯させたり、可聴音を発生するなどして、バッテリーの残存寿命が短い状態であることを表示する。
【０１５９】
一実施形態では、３Ｄ眼鏡１８００のＣＰＵ１８１０は、特定の時間持続するのにバッテリー残存寿命が不充分であることを検出した場合、３Ｄ眼鏡のＣＰＵは２７０４においてバッテリー残存寿命が短い状態であることを表示し、ユーザーが３Ｄ眼鏡をオンにすることを防止する。
【０１６０】
一実施形態では、３Ｄ眼鏡がオフ作動モードおよび／またはクリア作動モードに切り換わるごとに、３Ｄ眼鏡１８００のＣＰＵ１８１０はバッテリーの残存寿命が適当であるかどうかを判断する。
【０１６１】
一実施形態では、少なくとも所定の適当な時間の間、バッテリーが持続すると３Ｄ眼鏡１８００のＣＰＵ１８１０が判断した場合、３Ｄ眼鏡は正常に作動し続ける。作動は通常、信号送信機１１０からの信号をチェックしながら、５分間、クリア作動モードに留まり、次に３Ｄ眼鏡１８００が信号送信機からの信号をチェックするために周期的にウェークアップするオフ作動モードまたはターンオンモードになるステップを含むことができる。
【０１６２】
一実施形態では、３Ｄ眼鏡１８００のＣＰＵ１８１０は、３Ｄ眼鏡をシャットオフする直前にバッテリーの残存寿命が短い状態をチェックする。一実施形態では、所定の適当な残存寿命時間の間、バッテリー１２０が持続しない場合、シャッター１８０２および１８０４は、低速でブリンクし始める。
【０１６３】
一実施形態では、バッテリー１２０が所定の適当な残存寿命時間の間持続しない場合、シャッター１８０２および／または１８０４は、２秒間不透明状態、すなわち液晶セルが閉状態とされ、次に１秒の１０分の１の間、透明状態、すなわち液晶セルが開状態とされる。シャッター１８０２および／または１８０４が開閉されている時間は、任意の時間長さとすることができる。一実施形態では、シャッター１８０２および１８０４のブリンキングは、信号センサ１８１４での給電と同期化され、信号送信機１１０からの信号を信号センサがチェックできるようにしている。
【０１６４】
一実施形態では、ウォームアップ中、正常な作動中、透明モード中、電力オフモード中、または任意の状態の過渡時を含む任意の時間に、３Ｄ眼鏡１８００はバッテリーの寿命が短い状態をチェックできる。一実施形態では、ビューアーが映画の途中となる可能性が高い時間でバッテリーの寿命が短い状態が検出された場合、３Ｄ眼鏡１８００はバッテリーの寿命が短いことを即座に表示しなくてもよい。
【０１６５】
一実施形態では、３Ｄ眼鏡１８００のＣＰＵ１８１０がバッテリーの低レベル状態を検出した場合、ユーザーは３Ｄ眼鏡の電源をオンにすることはできない。
【０１６６】
次に図２９を参照する。一実施形態では、３Ｄ眼鏡１８００の作動中、３Ｄ眼鏡は３Ｄ眼鏡をシャットダウンする方法を実施する。この方法では、ＣＰＵ１８１０が発生する制御信号Ａ、Ｂ、Ｃ、ＤおよびＥを使用して、左シャッターコントローラ１８０６および右シャッターコントローラ１８０８の作動を制御し、次にバッテリーセンサ１８１２が検出するバッテリー１２０の状態に応じて、左シャッター１８０２および右シャッター１８０４の作動を制御する。より詳細には、３Ｄ眼鏡１８００のユーザーが３Ｄ眼鏡をシャットダウンすることを選択するか、またはＣＰＵ１８１０が３Ｄ眼鏡のシャットダウンを選択した場合、３Ｄ眼鏡の左シャッター１８０２および右シャッター１８０４に印加される電圧の双方をゼロにセットする。
【０１６７】
図３０、３０ａおよび３０ｂを参照する。これら図には、下記を除き、これまで説明し、図示した３Ｄ眼鏡１０４と構造および作動が実質的に同一の３Ｄ眼鏡３０００の一実施形態が提供されている。この３Ｄ眼鏡３０００は、左シャッター３００２と、右シャッター３００４と、左シャッターコントローラ３００６と、右シャッターコントローラ３０８と、共通シャッターコントローラ３０１０と、ＣＰＵ３０１２と、信号センサ３０１４と、電荷ポンプ３０１６と、電源３０１８とを含む。一実施形態では、３Ｄ眼鏡３０００の左シャッター３００２、右シャッター３００４、左シャッターコントローラ３００６、右シャッターコントローラ３０８、ＣＰＵ３０１２、信号センサ３０１４、電荷ポンプ３０１６の構造と作動は、後述し、本明細書に示すものを除き、これまで説明し、図示した３Ｄ眼鏡１０４の左シャッター１０６、右シャッター１０８、左シャッターコントローラ１１６、右シャッターコントローラ１１８、ＣＰＵ１１４、信号センサ１１２、電荷ポンプ１７００と実質的に同一である。
【０１６８】
一実施形態では、３Ｄ眼鏡３０００は次の部品を含む。
【表５】
2010124466.tif 000007
【０１６９】
一実施例では、左シャッターコントローラ３００６は、デジタル制御されたアナログスイッチＵ１を備え、このアナログスイッチＵ１は、デジタル制御されたアナログスイッチＵ４を含む共通コントローラ３０１０およびＣＰＵ３０１２の制御により作動モードに応じて左シャッターの作動を制御するよう左シャッター３００２の両端に電圧を加える。同様に、右シャッターコントローラ３００８は、デジタル制御されたアナログスイッチＵ６を備え、このアナログスイッチＵ６は、共通コントローラ３０１０およびＣＰＵ３０１２の制御により作動モードに応じて右シャッターの作動を制御するよう右シャッター３００４の両端に電圧を加える。一実施形態では、Ｕ１、Ｕ４およびＵ６は、部品番号ＵＴＣ４０５３としてユニソニックテクノロジーズ（Ｕｎｉｓｏｎｉｃ  Ｔｅｃｈｎｏｌｏｇｉｅｓ）社から入手できる従来の市販のデジタル制御されたアナログスイッチである。
【０１７０】
当業者であれば理解できるように、ＵＴＣ４０５３デジタル制御アナログスイッチは、制御入力信号Ａ、Ｂ、ＣおよびＩＮＨＩＢＩＴ（ＩＮＨ）、スイッチＩ／Ｏ信号Ｘ０、Ｘ１、Ｙ０、Ｙ１、Ｚ０およびＺ１、および出力信号Ｘ、ＹおよびＺを備え、更に次の真理表を提供する。
【表６】
2010124466.tif 000008
更に図３１に示されるように、ＵＴＣ４０５３デジタル制御アナログスイッチは、機能図３１００も提供する。従って、ＵＴＣ４０５３は、各々が３つの独立したスイッチを有するデジタル制御アナログスイッチであり、このスイッチはＣＰＵ３０１２の制御下の左シャッターコントローラ３００６および右シャッターコントローラ３００８、並びに共通シャッターコントローラ３０１０が左シャッター３００２および右シャッター３００４の両端に、制御された電圧を選択的に印加することを可能にし、シャッターの作動を制御できるようにしている。
【０１７１】
一実施形態では、ＣＰＵ３０１２は左シャッターコントローラ３００６、右シャッターコントローラ３００８および共通シャッターコントローラ３０１０のデジタル制御アナログスイッチＵ１、Ｕ６およびＵ４の作動を制御するための出力信号Ａ、Ｂ、Ｃ、Ｄ、Ｅ、ＦおよびＧを発生するマイクロコントローラＵ２を含む。
【０１７２】
マイクロコントローラＵ３の出力制御信号Ａ、Ｂ、Ｃ、Ｄ、Ｅ、ＦおよびＧは、デジタル制御アナログスイッチＵ１、Ｕ６およびＵ４の各々に対し、次の入力制御信号Ａ、Ｂ、ＣおよびＩＮＨを発生する。
【表７】
2010124466.tif 000009
【０１７３】
一実施形態では、Ｕ１の入力制御信号ＩＮＨは、アースに接続されており、Ｕ６の入力制御信号ＣおよびＩＮＨはアースに接続されている。
【０１７４】
一実施形態では、デジタル制御アナログスイッチＵ１、Ｕ６およびＵ４のスイッチＩ／Ｏ信号Ｘ０、Ｘ１、Ｙ０、Ｙ１、Ｚ０およびＺ１には次の入力が供給される。
【表８】
2010124466.tif 000010
【０１７５】
一実施形態では、ＣＰＵ３０１２のマイクロコントローラＵ２はマイクロチップ社から市販されているモデル番号ＰＩＣ１６Ｆ６３６プログラマブルマイクロコントローラである。
【０１７６】
一実施形態では、信号センサ３０１４は信号送信機１１０による同期信号および／またはコンフィギュレーションデータを含む信号の送信を検出するためのフォトダイオードＤ３を含む。一実施形態では、フォトダイオードＤ３は、オスラム社から市販されているモデルＢＰ１０４ＦＳフォトダイオードである。一実施形態では、信号センサ３０１４は、作動増幅器Ｕ５−１、Ｕ５−２およびＵ３、および関連する信号条件化部品、例えば抵抗器Ｒ２、Ｒ３、Ｒ５、Ｒ７、Ｒ８、Ｒ９、Ｒ１０、Ｒ１１、Ｒ１２およびＲ１３、コンデンサＣ１、Ｃ７およびＣ９と、ショットキーダイオードＤ１およびＤ５を更に備え、これら部品は、例えば利得を制御することにより、検出された信号のクリッピングを防止して、信号の条件を定めることができる。
【０１７７】
一実施形態では、電荷ポンプ３０１６は、電荷ポンプを使用し、バッテリー１２０の出力電圧の大きさを３Ｖから−１２Ｖまで増幅する。一実施形態では、電荷ポンプ３０１６はＭＯＳＦＥＴ  Ｑ１と、ショットキーダイオードＤ６と、ィンダクタＬ１と、ツェナーダイオードＤ７とを含む。一実施形態では、電荷ポンプ３０１６の出力信号は、共通シャッターコントローラ３０１０のデジタル制御アナログスイッチＵ４のスイッチＩ／Ｏ信号Ｘ１およびＹ１への入力信号として、更に左シャッターコントローラ３００６、右シャッターコントローラ３００８および共通シャッターコントローラ３０１０のデジタル制御アナログスイッチＵ１、Ｕ６およびＵ４に対する入力電圧ＶＥＥとして供給される。
【０１７８】
一実施形態では、電源３０１８はトランジスタＱ２、コンデンサＣ５および抵抗器Ｒ１およびＲ１６とを含む。一実施形態では、電源３０１８は、共通シャッターコントローラ３０１０のデジタル制御アナログスイッチＵ４のスイッチＩ／Ｏ信号Ｚ１への入力信号として、１Ｖの信号を発生する。一実施形態では、電源３０１８は、アースリフトも提供する。
【０１７９】
図３２に示されるように、一実施形態では３Ｄ眼鏡３００の作動中にＣＰＵ３０１２の制御信号Ａ、Ｂ、Ｃ、Ｄ、Ｅ、ＦおよびＧの制御下にあるデジタル制御アナログスイッチＵ１、Ｕ６、Ｕ４は、左シャッター３００２および右シャッター３００４の一方または双方の両端に種々の電圧を提供できる。より詳細には、制御信号ＣＰＵ３０１２の制御信号Ａ、Ｂ、Ｃ、Ｄ、Ｅ、ＦおよびＧの制御下にあるデジタル制御アナログスイッチＵ１、Ｕ６、Ｕ４は、１）左シャッター３００２および右シャッター３００４の一方または双方の両端に正または負の１５ボルトを供給するか、２）左右シャッターの一方または双方の両端に正または負の２ボルトを供給するか、３）左右シャッターの一方または双方の両端に正または負の３ボルト供給するか、または４）左右シャッターの一方または双方の両端に０ボルトを供給し、すなわち中立状態にすることができる。
【０１８０】
一実施形態では、図３２に示されるように、制御信号Ａは、左右シャッターの両端に印加される出力信号ＸおよびＹを発生する、デジタルアナログスイッチＵ１およびＵ６内のスイッチの作動をそれぞれ制御することにより、制御信号Ａは左シャッター３００２の作動を制御し、制御信号Ｂは右シャッター３００５の作動を制御する。一実施形態では、デジタル制御アナログスイッチＵ１およびＵ６の各々の制御入力ＡおよびＢは、入力信号の２つのペアの間のスイッチングが同時に生じ、選択された入力が左シャッター３００２および右シャッター３００４のターミナルに転送されるよう、共に接続されている。一実施形態では、ＣＰＵ３０１２からの制御信号Ａは、デジタル制御アナログスイッチＵ１内の２つの第１スイッチを制御し、ＣＰＵからの制御信号Ｂはデジタル制御アナログスイッチＵ６内の２つの第１スイッチを制御する。
【０１８１】
一実施形態では、図３２に示されるように、左シャッター３００２および右シャッター３００４の各々のターミナルの１つは、常に３Ｖに接続されている。従って、一実施形態では、ＣＰＵ３０１２の制御信号Ａ、Ｂ、Ｃ、Ｄ、Ｅ、Ｆ、Ｇの制御下にあるデジタル制御アナログスイッチＵ１、Ｕ６およびＵ４は、左シャッター３００２および右シャッター３００４の他のターミナルに−１２Ｖ、３Ｖ、１Ｖまたは０Ｖのいずれかを印加するように作動される。この結果、一実施形態では、ＣＰＵ３０１２の制御信号Ａ、Ｂ、Ｃ、Ｄ、Ｅ、Ｆ、Ｇの制御下にあるデジタル制御アナログスイッチＵ１、Ｕ６およびＵ４は、左シャッター３００２および右シャッター３００４の他のターミナルの両端に１５Ｖ、０Ｖ、２Ｖまたは３Ｖの電位差を発生させるように作動されている。
【０１８２】
一実施形態では、デジタル制御アナログスイッチＵ６の第３スイッチは使用されず、この第３スイッチのためのターミナルのすべてはアースされている。一実施形態では、デジタル制御アナログスイッチＵ１の第３スイッチは省電力のために使用される。
【０１８３】
より詳細には、一実施形態では、図３２に示されるように、制御信号Ｃは、出力信号Ｚを発生するデジタル制御アナログスイッチＵ１内のスイッチの作動を制御する。この結果、制御信号Ｃがデジタルの高い値であるとき、デジタル制御アナログスイッチＵ４のための入力信号ＮＩＨもデジタルの高い値であるので、デジタル制御アナログスイッチＵ４の出力チャンネルのすべてをオフにする。この結果、制御信号Ｃがデジタルの高い値であるとき、左シャッター３００２と右シャッター３００４は短絡されるので、シャッターの間で電荷の半分を転送でき、よって電力を節約し、バッテリー１２０の寿命を長くできる。
【０１８４】
一実施形態では、左シャッター３００２と右シャッター３００４を短絡するために制御信号Ｃを使用することによって、閉状態にあるシャッターに集められた大量の電荷を使用し、他方のシャッターが閉状態となる前に、この他方のシャッターを部分的に充電し、よってこの方法を使用しない場合にバッテリー１２０によってフルに給電しなければならなかった電荷量を節約できる。
【０１８５】
一実施形態では、ＣＰＵ３０１２が発生する制御信号Ｃがデジタルの高い値であるとき、例えば負（−１２Ｖ）に充電された左シャッター３００２のプレートは、次に閉状態では両端の間に１５Ｖの電位差が生じるが、より負に充電された右シャッター３００４のプレートに接続される、次に開状態でやはり＋１Ｖに充電されると、両者の間の電位差が２Ｖとなる。一実施形態では、双方のシャッター３００２および３００４上の正に帯電したプレートは、＋３Ｖに充電される。一実施形態では、ＣＰＵ３０１２が発生した制御信号Ｃは、左シャッター３００２の閉状態の終了近くであって右シャッター３００４の閉状態直前の短時間の間、デジタルの高い値になる。ＣＰＵ３０１２が発生する制御信号Ｃがデジタルの高い値であるとき、デジタル制御アナログスイッチＵ４の禁止ターミナルＩＮＨも、デジタルの高い値となる。この結果、一実施形態では、Ｕ４からの出力チャンネルＸ、ＹおよびＸのすべてがオフ状態となる。これによって左シャッター３００２および右シャッター３００４のプレートの間に蓄積された電荷は、シャッターの間に分散できるので、シャッターの双方の間の電位差は、約１７／２Ｖ、すなわち８．５Ｖとなる。シャッター３００２および３００４の一方のターミナルは常に３Ｖに接続されているので、シャッター３００２および３００４の負のターミナルは−５．５Ｖとなる。一実施形態では、ＣＰＵ３０１２が発生する制御信号Ｃはデジタルの低い値に変化し、よってシャッター３００２の負のターミナルとシャッター３００４の負のターミナルとを互いに切り離す。次に一実施形態では、右シャッター３００４の閉状態が開始し、バッテリー１２０はデジタル制御アナログスイッチＵ４を−１２Ｖに操作することにより、右シャッターの負のターミナルを更に充電する。この結果、一実施形態では、３Ｄ眼鏡３０００の方法３３００を参照して後述するように、正常な作動モードの間で約４０％の省電が得られた。
【０１８６】
一実施形態では、ＣＰＵ３０１２が発生する制御信号Ｃは、ＣＰＵが発生する制御信号ＡまたはＢが高から低へ、または低から高へ変化し、よって次の左シャッターの開状態／右シャッターの閉状態、または右シャッターの開状態／左シャッターの閉状態をスタートさせるときに、高から低へ変化する短時間のパルスとして供給される。
【０１８７】
次に図３３および図３４を参照する。一実施形態では、３Ｄ眼鏡３０００の作動中に３Ｄ眼鏡はノーマルラン作動モード３３００を実施する。この作動モードでは、ＣＰＵ３０１２が発生する制御信号Ａ、Ｂ、Ｃ、Ｄ、Ｅ、ＦおよびＧを使って左シャッターコントローラ３００６、右シャッターコントローラ３００８および中央シャッターコントローラ３０１０の作動を制御し、次に信号センサ３０１４が検出した同期信号のタイプに応じて左シャッター３００２および右シャッター３００４の作動を制御する。
【０１８８】
特に信号センサ３０１４が同期信号を受信したと３３０２でＣＰＵ３０１２が判断した場合、３３０４において、ＣＰＵ３０１２が発生する制御信号Ａ、Ｂ、Ｃ、Ｄ、Ｅ、ＦおよびＧを使って、左シャッターコントローラ３００６、右シャッターコントローラ３００８および中央シャッターコントローラ３０１０の作動を制御し、図３２を参照してこれまで説明したように、左シャッター３００２と右シャッター３００４との間で電荷を転送する。
【０１８９】
一実施形態では、３３０４において、ＣＰＵ３０１２が発生する制御信号Ｃを、約０．２ミリ秒の間、高いデジタル値にセットし、よって左シャッター３００２のターミナルと右シャッター３００４のターミナルとを短絡し、よって左シャッターと右シャッターとの間で電荷を転送する。一実施形態では、３３０４において、ＣＰＵ３０１２が発生する制御信号Ｃを、約０．２ミリ秒の間、高いデジタル値にセットし、よって左シャッター３００２の、より負に充電されたターミナルと右シャッター３００４の、より負に充電されたターミナルとを短絡し、よって左シャッターと右シャッターとの間で電荷を転送する。従って、制御信号ＡまたはＢが高い値から低い値に変化するとき、または低い値から高い値に変化するとき、またはその前に、高い値から低い値に変化する短時間のパルスとして、制御信号Ｃが提供される。この結果、左シャッターを開にし／右シャッターを閉にする状態と、左シャッターを閉にし／右シャッターを開にする状態との間を交互に変化させるサイクルの間で、３Ｄ眼鏡３０００の作動中に省電が得られる。
【０１９０】
ＣＰＵ３０１２は、３３０６で受信される同期信号のタイプを判断する。一実施形態では、２つのパルスを含む同期信号は、左シャッター３００２を開にし、右シャッターを閉にすべきことを示すが、３つのパルスを含む同期信号は右シャッターを開にし、左シャッターを閉にすべきことを示す。一実施形態では、左シャッター３００２および右シャッター３００４の交互の開閉を制御するのに、他の異なる数およびフォーマットの同期信号を使用できる。
【０１９１】
左シャッター３００２を開にし、右シャッター３００４を閉にすべきであることを受信した同期信号が示していると３３０６にてＣＰＵ３０１２が判断した場合、ＣＰＵは、３３０８において、左シャッターコントローラ３００６および右シャッターコントローラ３００８、および共通シャッターコントローラ３０１０に制御信号Ａ、Ｂ、Ｃ、Ｄ、Ｅ、ＦおよびＧを送信し、右シャッター３００４の両端に高い電圧を印加すると共に、左シャッター３００２には電圧を加えず、次にこの左シャッター３００２に低キャッチ電圧を印加する。一実施形態では、３３０８における右シャッター３００４の両端に印加される高い電圧の大きさは１５Ｖである。一実施形態では、３３０８において、左シャッター３００２に印加されるキャッチ電圧の大きさは２Ｖである。３３０８において、制御信号Ｄの作動状態を低に制御し、制御信号Ｆ（この信号は低または高のいずれかでよい）の作動状態を高レベルに制御することにより、左シャッター３００２にキャッチ電圧を印加する。一実施形態では、３３０８において、左シャッター３００２にキャッチ電圧を印加することにより、左シャッターの液晶内の分子の、より高速の回転を可能にするよう、所定時間だけ遅延される。この所定時間の終了後、次にキャッチ電圧を印加することによって、左シャッターが開いている間、左シャッター３００２内の液晶内の分子が過度に長く回転するのが防止される。一実施形態では、３３０８における左シャッター３００２へのキャッチ電圧の印加は、約１ミリ秒だけ遅延される。
【０１９２】
上記とは異なり、左シャッター３００２を閉にし、右シャッター３００４を開にすべきであることを受信した同期信号が示していると３３０６でＣＰＵ３０１２が判断した場合、ＣＰＵは、３３１０において、左シャッターコントローラ３００６および右シャッターコントローラ３００８、および共通シャッターコントローラ３０１０に制御信号Ａ、Ｂ、Ｃ、Ｄ、Ｅ、ＦおよびＧを送信し、左シャッター３００２の両端に高い電圧を印加すると共に、右シャッター３００４には電圧を加えず、次にこの右シャッターに低キャッチ電圧を印加する。一実施形態では、３３１０における左シャッター３００２の両端に印加される高い電圧の大きさは１５Ｖである。一実施形態では、３３１０において、右シャッター３００４に印加されるキャッチ電圧の大きさは２Ｖである。３３１０において、制御信号Ｆを高に制御し、制御信号Ｇを低レベルに制御することにより、右シャッター３００４にキャッチ電圧を印加する。一実施形態では、３３１０において、右シャッター３００４にキャッチ電圧を印加することにより、右シャッターの液晶内の分子の、より高速の回転を可能にするよう、所定時間だけ遅延される。この所定時間の終了後、次にキャッチ電圧を印加することによって、右シャッターが開いている間、右シャッター３００４内の液晶内の分子が過度に大きく回転するのが防止される。一実施形態では、３３１０における右シャッター３００４へのキャッチ電圧の印加は、約１ミリ秒だけ遅延される。
【０１９３】
一実施形態では、方法３３００の間、左シャッター３００２および右シャッター３００４に印加される電圧は、左右シャッターの液晶セルに対する損傷を防止するよう、ステップ３３０８および３３１０のその後の繰り返しの際に、正と負の間で交互に変化される。
【０１９４】
従って、方法３３００は、３Ｄ眼鏡３０００のためのノーマル作動モードまたはラン作動モードで実施される。
【０１９５】
次に図３５および３６を参照する。一実施形態では、３Ｄ眼鏡３０００の作動中、３Ｄ眼鏡はウォームアップ作動方法３５００を実施し、この方法ではＣＰＵ３０１２が発生する制御信号Ａ、Ｂ、Ｃ、Ｄ、Ｅ、ＦおよびＧが、左シャッターコントローラ３００６、右シャッターコントローラ３００８および中央シャッターコントローラ３０１０の作動を制御し、次に左シャッター３００２および右シャッター３００４の作動を制御する。
【０１９６】
３５０２では、３Ｄ眼鏡のＣＰＵ３０１は、３Ｄ眼鏡の電源のオンをチェックする。一実施形態では、ユーザーによる電源オンスイッチの操作、自動ウェイクアップシーケンスおよび／または信号センサ３０１４による有効同期信号の検出のいずれかにより、３Ｄ眼鏡３０００の電源をオンにすることができる。３Ｄ眼鏡３０００の電源がオンにされた場合、この３Ｄ眼鏡のシャッター３００２および３００４は、例えばウォームアップシーケンスを必要とする。ある時間の間、電力が供給されないシャッター３００２および３００４の液晶セルは不定状態となり得る。
【０１９７】
３Ｄ眼鏡３０００のＣＰＵ３０１２が、３５０２において、３Ｄ眼鏡の電源のオンを検出した場合、ＣＰＵは３５０４において、左シャッター３００２および右シャッター３００４へ交流電圧信号を印加する。一実施形態では、左シャッター３００２および右シャッター３００４に印加される電圧は、シャッターの液晶セル内のイオン化の問題を解消するよう、正のピーク値と負のピーク値の間で交互に変化される。一実施形態では、左シャッター３００２および右シャッター３００４に印加される電圧信号は、少なくとも互いに位相がずれていてもよい。一実施形態では、左シャッター３００２および右シャッター３００４に印加される電圧のうちの１つまたは双方は、ゼロ電圧とピーク電圧の間で交流変化させることができる。一実施形態では、シャッターの液晶セルを一定の作動状態にするよう、左シャッター３００２および右シャッター３００４に他のフォームの電圧信号を印加してよい。一実施形態では、左シャッター３００２および右シャッター３００４に電圧信号を印加することによって、同時に、または異なる時間にシャッターが開閉される。
【０１９８】
左シャッター３００２および右シャッター３００４に電圧信号を印加する間、ＣＰＵ３０１２は３５０６においてウォームアップのタイムアウトをチェックする。３５０６においてＣＰＵ３０１２がウォームアップタイムアウトを検出した場合、ＣＰＵは３５０８において左シャッター３００２および右シャッター３００４に対する電圧信号の印加を停止する。
【０１９９】
一実施形態では、３５０４および３５０６において、ＣＰＵ３０１２はシャッターの液晶セルを作動させるのに充分長い時間、左シャッター３００２および右シャッター３００４に電圧信号を印加する。一実施形態では、ＣＰＵ３０１２は、２秒の間左シャッター３００２および右シャッター３００４に電圧信号を印加する。一実施形態では、左シャッター３００２および右シャッター３００４に印加される電圧信号の最大の大きさを１５ボルトとすることができる。一実施形態では、３５０６におけるタイムアウトを２秒とすることができる。一実施形態では、左シャッター３００２および右シャッター３００４に印加される電圧信号の最大の大きさを１５ボルトよりも大または小とすることができ、タイムアウト時間を上記値よりも長くしたり、短くしたりすることもできる。一実施形態では、方法３５００の間、ＣＰＵ３０１２は映画を見るために使用されるレートと異なるレートで、左シャッター３００２および右シャッター３００４を開閉できる。一実施形態では、３５０４において、左シャッター３００２および右シャッター３００４に印加される電圧信号は交互に変化せず、ウォームアップ時間中に一定に印加され、よってシャッターの液晶セルは、全ウォームアップ時間中、不透明状態のままになり得る。一実施形態では、同期信号が存在する状態または存在しない状態で、ウォームアップ方法３５００を実施できる。従って、方法３５００は、３Ｄ眼鏡３０００のためのウォームアップ作動モードを実施する。一実施形態では、ウォームアップ方法３５００を実施した後に、３Ｄ眼鏡３０００は、ノーマル作動モード、ラン作動モードまたはクリア作動モードとされ、次に方法３３００を実施できる。
【０２００】
次に図３７および３８を参照する。一実施形態では、３Ｄ眼鏡３０００の作動中、３Ｄ眼鏡は作動方法３７００を実施し、この方法ではＣＰＵ３０１２０が発生する制御信号Ａ、Ｂ、Ｃ、Ｄ、Ｅ、ＦおよびＧが、使用され、左シャッターコントローラ３００６、右シャッターコントローラ３００８および中央シャッターコントローラ３０１０の作動を制御し、次に信号センサー３０１４が受信する同期信号に応じ左シャッター３００２および右シャッター３００４の作動を制御する。
【０２０１】
３７０２において、ＣＰＵ３０１２は、信号センサ３０１４が受信した同期信号が有効であるか無効であるかをチェックする。３７０２において同期信号が無効であるとＣＰＵ３２１２が判断した場合、ＣＰＵは３７０４において３Ｄ眼鏡３０００の左シャッター３００２および右シャッター３００４に電圧信号を印加する。一実施形態では、左シャッター３００２および右シャッター３００４に印加される電圧は、シャッターの液晶セル内のイオン化の問題を防止するように、正のピーク値と負のピーク値の間で交流状に変化され、６０Ｈｚの周波数を有する矩形波信号を発生する。一実施形態では、３７０４において、左シャッター３００２および右シャッター３００４の一方または双方は、ゼロ電圧とピーク電圧の間で交互に変化してよい。一実施形態では、シャッターの液晶セルを開状態のままにし、よって３Ｄ眼鏡３００のユーザーがシャッターを通して正常に見ることができるように、３７０４において左シャッター３００２および右シャッター３００４に他のフォームの電圧信号を印加してもよい。一実施形態では、３７０４において、左シャッター３００２および右シャッター３００４に電圧信号を印加することによって、シャッターは開とされる。
【０２０２】
３７０４において、左シャッター３００２および右シャッター３００４に電圧信号が印加される間、ＣＰＵ３０１２は３７０６においてクリアリングタイムアウトをチェックする。ＣＰＵ３０１２が３７０６においてクリアリングタイムアウトを検出した場合、ＣＰＵ３０１２は、３７０８においてシャッター３００２および３００４に対する電圧信号の印加を停止する。これによって３Ｄ眼鏡３０００をオフ作動モードにすることができる。一実施形態では、クリアリングタイムアウトの時間長さを、例えば約４時間までとすることができる。
【０２０３】
従って、一実施形態では、３Ｄ眼鏡３０００が有効同期信号を検出しない場合、これら眼鏡はクリア作動モードとなり、方法３７００を実施できる。一実施形態では、このクリア作動モードでは、３Ｄ眼鏡３０００の双方のシャッター３００２および３００４は、ビューアーが３Ｄ眼鏡のシャッターを通して正常に見ることができるように開状態のままである。一実施形態では、３Ｄ眼鏡３０００のシャッター３００２および３００４の液晶セルを透明状態に維持するよう、正の値と負の値を交互にとる定電圧が印加される。この定電圧は２〜３ボルトのレンジ内の値でよいが、この定電圧は適当に透明なシャッターを維持するのに適した他の任意の電圧とすることもできる。一実施形態では、３Ｄ眼鏡３０００のシャッター３００２および３００４は、３Ｄ眼鏡が暗号化信号を有効と判断できるまで、透明状態のままでよい。一実施形態では、３Ｄ眼鏡３０００のシャッター３００２および３００４は、３Ｄ眼鏡のユーザーが正常に見ることができるレートで交互に開閉できる。
【０２０４】
従って、方法３７００は、３Ｄ眼鏡３０００の作動をクリアにする方法を提供し、よってクリア作動モードを提供する。
【０２０５】
次に図３９および４１を参照する。一実施形態では、３Ｄ眼鏡３０００の作動中に３Ｄ眼鏡は作動方法３９００を実施する。この方法では、ＣＰＵ３０１２が発生する制御信号Ａ、Ｂ、Ｃ、Ｄ、Ｅ、ＦおよびＧを使ってシャッター３００２と３００４との間で電荷を転送させる。信号センサ３０１４により有効な同期信号が検出されたかどうかを３９０２でＣＰＵ３０１２が判断する。信号センサ３０１４により有効な同期信号が検出されたとＣＰＵ３０１２が判断した場合、ＣＰＵは一実施形態で約２００μｓ続く短い長さのパルス状をした制御信号Ｃを３９０４で発生する。一実施形態では、方法３９００の間、図３３および３４を参照してこれまで実質的に説明したように、制御信号Ｃの短い長さのパルスの間でシャッター３００２と３００４との間で電荷の転送が生じる。
【０２０６】
３９０６において、ＣＰＵ３０１２は、制御信号Ｃが高から低へ変化したかどうかを判断する。制御信号Ｃが高から低に変化したとＣＰＵ３０１２が判断した場合、ＣＰＵは３９０８にて、制御信号ＡまたはＢの状態を変更し、次に図３３および３４を参照してこれまで説明し図示したように、３Ｄ眼鏡の正常な作動を続けることができる。
【０２０７】
次に図３０ａ、４０および４１を参照する。一実施形態では、３Ｄ眼鏡３０００を作動中に、３Ｄ眼鏡は作動方法４０００を実施する。この方法では、図３２、３３、３４、３５および３６を参照してこれまで説明し、図示したように、３Ｄ眼鏡３０００のノーマル作動モードまたはウォームアップ作動モード中に電荷ポンプ３０１６を作動させるよう、ＣＰＵ３０１２が発生した制御信号ＲＣ４およびＲＣ５を使用する。４００２において、ＣＰＵ３０１２は信号センサによって有効な同期信号が検出されたかどうかを判断する。信号センサ３０１４によって有効な同期信号が検出されたとＣＰＵ３０１２が判断した場合、ＣＰＵは４００４において、一連の短い長さのパルス状をした制御信号ＲＣ４を発生する。
【０２０８】
一実施形態では、制御信号ＲＣ４のパルスはトランジスタＱ１の作動を制御し、よってコンデンサの両端の電圧が所定レベルに達するまで、コンデンサＣ３へ電荷を転送させる。特に制御信号ＲＣ４が低い値に切り換わると、トランジスタＱ１はインダクタＬ１をバッテリー１２０に接続する。この結果、インダクタＬ１はバッテリー１２０からのエネルギーを蓄積する。次に制御信号ＲＣ４が高い値に切り換わると、インダクタＬ１に蓄積されていたエネルギーがコンデンサＣ１３へ転送される。従って、制御信号ＲＣ４のパルスは、コンデンサＣ１３の両端の電圧が所定レベルに達するまで、コンデンサＣ１３へ連続的に電荷を転送させる。一実施形態では、制御信号ＲＣ４はコンデンサＣ１３の両端の電圧が−１２Ｖに達するまで続く。
【０２０９】
一実施形態では、４００６において、ＣＰＵ３０１２は制御信号ＲＣ５を発生する。この結果、コンデンサＣ１３の両端の電圧が増加するにつれ、値が小さくなる入力信号ＲＡ３が提供される。特にコンデンサＣ１３の両端の電圧が所定の値に近づくと、ツェナーダイオードＤ７は電流の伝達を開始し、よって入力制御信号ＲＡ３の大きさを小さくする。４００８において、入力制御信号ＲＡ３の大きさが所定の値未満であるかどうかをＣＰＵ３０１２が判断する。入力制御信号ＲＡ３の大きさが所定の値未満であるとＣＰＵ３０１２が判断した場合、ＣＰＵは４０１０において制御信号ＲＣ４およびＲＣ５の発生を停止させる。この結果、コンデンサＣ１３への電荷の転送が停止する。
【０２１０】
一実施形態では、３Ｄ眼鏡３０００が作動する間、方法３９００の後で方法４０００を実施できる。
【０２１１】
次に図３０ａ、４２および４３を参照する。一実施形態では、３Ｄ眼鏡３０００の作動中に３Ｄ眼鏡は作動方法４２００を実施する。この方法では、ＣＰＵ３０１２が発生した制御信号Ａ、Ｂ、Ｃ、Ｄ、Ｅ、Ｆ、Ｇ、ＲＡ４、ＲＣ４およびＲＣ５を使って、３Ｄ眼鏡３０００がオフ状態に切り換えられたときのバッテリー１２０の作動状態を判断する。４２０２において、ＣＰＵ３０１２は３Ｄ眼鏡３０００がオフであるかオンであるかを判断する。３Ｄ眼鏡３０００がオフであるとＣＰＵ３０１２が判断した場合、ＣＰＵは４２０４において所定のタイムアウト時間が経過したかどうかを４２０４で判断する。一実施形態では、このタイムアウト時間は２秒とされている。
【０２１２】
所定のタイムアウト時間が経過しているとＣＰＵ３０１２が判断した場合、ＣＰＵは所定の前の時間内に信号センサ３１０４が検出した同期パルスの数が所定の値を超えているかどうかを４２０６で判断する。一実施形態では、４２０６での所定の前の時間長さは、最後にバッテリー１２０を交換したときから経過した時間長さとされる。
【０２１３】
所定の前の時間内に信号センサ３１０４が検出した同期パルスの数が、所定の値を超えているとＣＰＵ３０１２が判断した場合、ＣＰＵは短い長さのパルスとして制御信号Ｅを４２０８で発生し、信号センサ３１０４に短い長さのパルスとして制御信号ＲＡ４を４２１０で供給し、制御信号ＡおよびＢの作動状態をそれぞれ４２１２で切り換える。一実施形態では、前の所定の時間内に信号センサ３０１４が検出した同期パルスの数が所定の値を超えていた場合、このことはバッテリー１２０内の残存電力が少ないことを表示し得る。
【０２１４】
所定の前の時間内に信号センサ３０１４が検出した同期パルスの数が、所定の値を超えていないとＣＰＵ３０１２が判断した場合、ＣＰＵは４２１０において、信号センサ３０１４に対し、短い長さのパルスとして制御信号ＲＡ４を供給し、４２１２において制御信号ＡおよびＢの作動状態を切り換える。一実施形態では、所定の前の時間内に信号センサ３０１４が検出した同期パルスの数が所定の値を超えていない場合、このことはバッテリー１２０内の残存電力が少なくはないことを表示し得る。
【０２１５】
一実施形態では、４２０８および４２１２における制御信号ＡとＢの切り換えと、制御信号Ｅの短い長さのパルスとの組み合わせにより、制御信号Ｅの短い長さのパルスの間を除き、３Ｄ眼鏡３０００のシャッター３００２および３００４が閉じられる。この結果、一実施形態では、シャッター３００２および３００４は、短い時間の間、３Ｄ眼鏡のシャッターを開状態にフラッシングすることにより、バッテリー１２０に残存する電力が少ないことを、３Ｄ眼鏡３０００のユーザーに対して視覚的な表示をする。一実施形態では、４２１０において、信号センサ３０１４に対し、短い長さのパルスとして制御信号ＲＡ４を供給することにより、信号センサは提供されるパルスの時間長さの間に同期信号をサーチし、検出することが可能となる。
【０２１６】
一実施形態では、制御信号Ｅの短い時間のパルスを提供しないで、制御信号ＡおよびＢを切り換えることにより、３Ｄ眼鏡３０００のシャッター３００２および３００４は閉状態のままにされる。この結果、一実施形態では、シャッター３００２および３００４は、３Ｄ眼鏡のシャッターを短い時間の間、開状態にフラッシングしないことで、バッテリー１２０内の残存電力が少なくはないことを、３Ｄ眼鏡３０００のユーザーに対し、視覚的に表示する。
【０２１７】
クロノジカルクロックのない実施形態では、同期パルスに関連して時間を測定できる。ＣＰＵ３０１２は、バッテリーが連続して作動できる同期パルスの数のファクターとして、バッテリー１２０内の残存時間を決定し、次にシャッター３００２および３００４をフラッシングすることにより、３Ｄ眼鏡３０００のユーザーに対して視覚的表示を行う。
【０２１８】
次に図４４〜５５を参照する。一実施形態では、３Ｄ眼鏡１０４、１８００および３０００のうちの１つ以上は、フレームフロント４４０２と、ブリッジ４４０４と、右のつる４４０４と、左のつる４４０８とを含む。一実施形態では、フレーム前方部４４０２は、上記３Ｄ眼鏡１０４、１８００および３０００のうちの１つ以上のための制御回路と電源とを収納し、上記左右ＩＳＳシャッターを保持するための右レンズ開口部４４１０および左レンズ開口部４４１２を更に構成する。一実施形態では、フレーム前方部４４０２は、右ウィング４４０２ａおよび左ウィング４４０２ｂを形成するように巻いた状態となっている。一実施形態では、ウィング４４０２ａおよび４４０２ｂの一方または双方に、３Ｄ眼鏡１０４、１８００および３０００のための制御回路の少なくとも一部が収納されている。
【０２１９】
一実施形態では、フレームフロント４４０２から右のつる４４０６および左のつる４４０８が延びており、これらつるは畝４４０６ａおよび４４０８ａを含み、各畝はこれらつるの遠方端の間隔が、フレームフロントに対するそれぞれの接続部の間隔よりも狭い状態で、蛇行した形状となっている。このように、ユーザーが３Ｄ眼鏡１０４、１８００および３０００をかけると、つる４４０６および４４０８の両端は、ユーザーの頭の所定位置にぴったりと保持される。一部の実施形態では、つる４４０６および４４０８のスプリング定数は、二重の曲げ部により強化されているが、一方、畝４４０６ａおよび４４０８ａの間隔および深さが、このスプリング定数を制御している。図５５に示されるように、一部の実施形態は、二重曲げ部の形状を使用せず、簡単にカーブしたつる４４０６および４４０８を使用している。
【０２２０】
次に図４８〜５５を参照する。一実施形態では、右ウィング４４０２ａを含むフレームフロント内に３Ｄ眼鏡１０４、１８００および３０００のうちの１つ以上のための制御回路が収納されており、右ウィング４４０２ａ内にはバッテリーが収納されている。更に一実施形態では、３Ｄ眼鏡３０００のバッテリー１２０へのアクセスは、右ウィング４４０２ａの内側にある開口部を通して行われ、この開口部は右ウィング４４０２ａに嵌合すると共にシール状態で係合するためのｏリングシール４４１６を含むカバー４４１４によってシールされている。
【０２２１】
図４９〜５５を参照する。一実施形態では、カバー４４１４およびカバー内部４４１５によって形成されたバッテリーカバーアセンブリ内にバッテリーが位置している。バッテリーカバー４４１４は、例えば超音波溶着によりバッテリーカバーの内部４４１５に取り付けることができる。バッテリー１２から、例えば右ウィング４４０２ａ内に位置する接点に電気を伝えるよう、カバー内部４４１５から接点４４１７を突き出すことができる。
【０２２２】
カバー内部４４１５は、カバーの内側部分に設けられた円周方向に離間するラジアルキー要素４４１８を有することができ、カバー４４１４は、カバーの外側表面に位置する円周方向に離間する凹部４４２０を有することができる。
【０２２３】
一実施形態では、図４９〜５１に示されるように、カバーの凹部４４２０内に嵌合し、これら凹部に係合するための複数の突起４４２４を含むキー４４２２を使って、カバー４４１４を操作できる。このように閉状態（すなわちロックされた位置）から開状態（すなわちアンロックされた位置）へ、３Ｄ眼鏡１０４、１８００および３０００の右ウィング４４０２ａに対してカバー４４１４を回転できる。このようにキー４４２２を使って３Ｄ眼鏡３０００の右ウィング４４０２ａと、カバー４４１４との係合により、３Ｄ眼鏡１０４、１８００および３０００の制御回路およびバッテリーを環境からシールすることができる。図５５を参照する。別の実施形態では、キー４４２６を使用できる。
【０２２４】
次に図５６を参照する。信号センサ５６００の一実施形態は、デコーダ５６０４に作動的に結合された狭バンドパスフィルタ５６０２を含む。信号センサ５６００はＣＰＵ５６０４に作動的に結合されている。狭バンドパスフィルタ５６０２は、アナログおよび／またはデジタルバンドパスフィルタでよく、このフィルタはバンドノイズをフィルタにかけ、除去しながら、シリアル同期データ信号を通過させることができるパスバンドを有することができる。
【０２２５】
一実施形態では、ＣＰＵ５６０４は、３Ｄ眼鏡１０４、１８００または３０００のそれぞれのＣＰＵ１１４、ＣＰＵ１８１０またはＣＰＵ３０１２とすることができる。
【０２２６】
一実施形態では、作動中に信号センサ５６００は、信号送信機５６０６からの信号を受信する。一実施形態では、信号送信機５６０６は、例えば信号送信機１１０でよい。
【０２２７】
一実施形態では、１つ以上のデータビット５７０２を含む、信号送信機５６０６から信号センサ５６００へ送信される信号５７００は、１つ以上のデータビット５７０２を含み、これらデータビットの各々にクロックパルス５７０４が先行する。一実施形態では、信号センサ５６００の作動中、データの各ビット５７０２にはクロックパルス５７０４が先行するので、信号センサのデコーダ５６０４は長いデータビットワードを容易にデコードできる。従って、信号センサ５６００は信号送信機５６０６からのシリアル同期データ送信信号を容易に受信し、デコードできる。これと対照的に、非同期データ送信信号である長いデータビットワードは、効率的および／または誤りなしの状態で送信し、デコードすることが一般に困難である。従って、信号センサ５６００はデータ送信信号を受信するための改良されたシステムを提供している。更に、信号センサ５６００の作動時に、シリアル同期データ送信信号を使用することによって、長いデータビットワードを容易にデコードできることが保証されている。
【０２２８】
液晶シャッターは、液晶を有し、この液晶は、電圧を印加することにより回転し、次にこの液晶は、１ミリ秒未満で少なくとも２５％の光透過率を達成する。液晶が最大光透過量を有するポイントまで回転すると、デバイスは最大光透過量のポイントで液晶の回転を停止させ、次に、ある時間の間、最大光透過量のポイントで液晶を保持する。これら実施形態のいずれかを容易にするのに、マシンで読み取り可能なメディア上にインストールされたコンピュータプログラムを使用できる。
【０２２９】
第１および第２液晶シャッター、並びに第１液晶シャッターを開にするようになっている制御回路を有する一対の液晶シャッター眼鏡を使用することによって、システムは三次元ビデオ画像を提示する。第１液晶シャッターは１ミリ秒未満で最大光透過量のポイントまで開となることができ、この時点で制御回路は、第１の時間の間、最大光透過量のポイントに第１液晶シャッターを保持し、次に第１液晶シャッターを閉じるためのキャッチ電圧を印加できる。次に制御回路は、第２液晶シャッターを開にする。ここで、第２液晶シャッターは、１ミリ秒未満で最大光透過量のポイントまで開となり、次に第２の時間の間、最大光透過量のポイントに第２液晶シャッターを保持し、次に第２液晶シャッターを閉じるためのキャッチ電圧を印加する。第１の時間は、ビューアーの第１の眼に対する画像の表示に対応し、第２の時間は、ビューアーの第２の眼に対する画像の表示に対応する。本明細書に説明した実施形態のいずれかを容易にするのに、マシンで読み取りできる媒体にインストールされたコンピュータプログラムを使用できる。
【０２３０】
一実施形態では、制御回路は、第１の時間および第２の時間を決定するための同期信号を使用するようになっており、一実施形態では、キャッチ電圧は２ボルトである。
【０２３１】
一実施形態では、最大光透過量のポイントは３２％より多くの光を透過する。
【０２３２】
一実施形態では、信号発生器は同期信号を発生し、この同期信号は制御回路により液晶シャッターのうちの１つを開にする。一実施形態では、同期信号は暗号化された信号を含む。一実施形態では、三次元眼鏡の制御回路は、暗号化された信号を有効と判断した後にしか作動しない。
【０２３３】
一実施形態では、制御回路はバッテリーセンサを有し、低バッテリー状態の表示を行うようにできる。低バッテリー状態の表示は、液晶シャッターがある時間の間閉じ、次にある時間の間開となるようにできる。
【０２３４】
一実施形態では、制御回路は同期信号を検出し、この同期信号の検出後、液晶シャッターの作動を開始するようになっている。
【０２３５】
一実施形態では、暗号化された信号は、暗号化された信号を受信するようになっている制御回路を有する一対の液晶眼鏡だけを作動させる。
【０２３６】
一実施形態では、テスト信号が一対の液晶シャッター眼鏡をつけている人に視認できるレートで液晶シャッターを作動させる。
【０２３７】
一実施形態では、一対の眼鏡が第１液晶シャッターを有する第１レンズと、第２液晶シャッターを有する第２レンズとを備える。双方の液晶シャッターは、１ミリ秒未満の時間で開となることができる液晶と、第１の液晶シャッターと第２の液晶シャッターを交互に開にする制御回路とを有する。液晶シャッターが開になると、この液晶の配向は制御回路がシャッターを閉じるまで、最大光透過量のポイントに保持される。
【０２３８】
一実施形態では、キャッチ電圧が最大光透過量のポイントに液晶を保持する。最大光透過量のポイントは、３２％より多くの光を透過できる。
【０２３９】
一実施形態では、信号発生器は同期信号を発生し、この同期信号は制御回路により液晶シャッターのうちの１つを開にする。一実施形態では、同期信号は暗号化された信号を含む。一実施形態では、制御回路は、暗号化された信号を有効と判断した後にしか作動しない。一実施形態では、制御回路はバッテリーセンサを含み、低バッテリー状態の表示を行うようになっている。低バッテリー状態の表示は、液晶シャッターがある時間の間閉となり、次にある時間の間開となるようにできる。一実施形態では、制御回路は同期信号を検出し、この同期信号の検出後、液晶シャッターの作動を開始するようになっている。
【０２４０】
一実施形態では、暗号化された信号は、暗号化された信号を受信するようになっている制御回路を有する一対の液晶眼鏡しか作動させることができない。
【０２４１】
一実施形態では、一対の液晶シャッター眼鏡をつけている人に視認できるレートでテスト信号が液晶シャッターを作動させる。
【０２４２】
一実施形態では、液晶シャッター眼鏡を使用し、１ミリ秒未満で第１液晶シャッターを開にし、第１時間の間、最大光透過量のポイントに第１液晶シャッターを保持し、第１液晶シャッターを閉じ、次に、１ミリ秒未満の間、第２液晶シャッターを開にし、次に第２時間の間、最大光透過量のポイントに第２液晶シャッターを保持することにより、ビューアーに対して三次元ビデオ画像が提示される。第１時間は、ビューアーの第１の眼に対する画像の表示に対応し、第２時間は、ビューアーの第２の眼に対する画像の表示に対応する。
【０２４３】
一実施形態では、キャッチ電圧により液晶シャッターは、最大光透過量のポイントに保持される。このキャッチ電圧は２ボルトにすることができる。一実施形態では、最大光透過量のポイントは、３２％より多くの光を透過できる。
【０２４４】
一実施形態では、信号発生器は制御回路が液晶シャッターのうちの１つを開にさせる同期信号を発生する。一実施形態では、この同期信号は、暗号化された信号を含む。
【０２４５】
一実施形態では、制御回路は、暗号化信号を有効と判断した後にしか作動しない。
【０２４６】
一実施形態では、バッテリーセンサがバッテリー内の電力量をモニタする。一実施形態では、制御回路が低バッテリー状態の表示を行うようになっている。この低バッテリーの表示は、ある時間の間液晶シャッターが閉となり、ある時間の間、開となるようにできる。
【０２４７】
一実施形態では、制御回路は、同期信号を検出し、この同期信号の検出後、液晶シャッターの作動を開始するようになっている。一実施形態では、暗号化信号を受信するようになっている制御回路を有する一対の液晶眼鏡しか作動させない。
【０２４８】
一実施形態では、一対の液晶シャッター眼鏡をかけている人が視認できるレートでテスト信号が液晶シャッターを作動させる。
【０２４９】
一実施形態では、三次元ビデオ画像を提供するためのシステムは、第１液晶シャッターを有する第１レンズと、第２液晶シャッターを有する第２レンズとを備える一対の眼鏡を含むことができる。これら液晶シャッターは、液晶を有することができ、１ミリ秒未満で開となることができる。制御回路は、第１液晶シャッターと第２液晶シャッターとを交互に開にでき、制御回路がシャッターを閉じるまで、最大光透過量のポイントに液晶の配向を保持できる。更にこのシステムは、バッテリーと、バッテリー内の残存電力量を測定できるセンサと、所定の時間よりも長く前記一対の眼鏡が作動するのにバッテリー内に残存する電力量が十分であるかどうかを判断するコントローラと、所定時間よりも長くは眼鏡が作動しない場合に、このことをビューアーに伝えるインジケータとを含む、低バッテリーインジケータを有することができる。一実施形態では、低バッテリーインジケータは、所定のレートで左液晶シャッターと右液晶シャッターとを開閉する。一実施形態では、この所定の時間長さは３時間よりも長くなっている。一実施形態では、低バッテリーインジケータは、前記対の眼鏡が所定の時間よりも長く作動するにはバッテリー内の残存電力量が十分でないと判断されてから、少なくとも３日間作動できる。一実施形態では、コントローラはバッテリー内に残存する同期パルスの数により時間を測定することによって、バッテリー内に残存する電力量を決定できる。
【０２５０】
三次元ビデオ画像を提供するための実施形態では、第１液晶シャッターおよび第２液晶シャッターを含む一対の三次元ビュー眼鏡を設け、第１液晶シャッターを１ミリ秒未満で開にし、第１の時間の間、最大光透過量のポイントに第１液晶シャッターを保持し、第１液晶シャッターを閉にし、次に１ミリ秒未満で第２液晶シャッターを開にし、第２時間の間、最大光透過量のポイントに第２液晶シャッターを保持することにより、画像が提供される。第１時間は、ビューアーの第１の眼に対する画像の表示に対応し、第２時間は、ビューアーの第２の眼に対する画像の表示に対応する。この実施形態では、三次元ビュー眼鏡はバッテリー内に残存する電力量を検出し、所定の時間よりも長くは前記対の眼鏡が作動するのにバッテリー内に残存する電力量が十分であるかどうかを判断し、次に所定の時間よりも長く眼鏡が作動しない場合に、ビューアーに低バッテリー信号を表示する。このインジケータは所定のレートでレンズを開閉できる。バッテリーが持続する所定の時間は３時間よりも長くすることができる。一実施形態では、低バッテリーインジケータは前記対の眼鏡が所定の時間よりも長く作動するのに、バッテリー内に残存する電力量が十分ではないと判断してから少なくとも３日間作動する。一実施形態では、コントローラは、バッテリーが持続できる同期パルスの数により時間を測定し、バッテリー内に残存する電力量を決定する。
【０２５１】
一実施形態では、三次元ビデオ画像を提供するために、システムは第１液晶シャッターを有する第１レンズと、第２液晶シャッターを有する第２レンズとを含む一対の眼鏡を含み、液晶シャッターは液晶を有すると共に、１ミリ秒未満の開時間を有する。制御回路が第１レンズシャッターと第２液晶シャッターとを交互に開にでき、制御回路がシャッターを閉じるまで、液晶の配向は最大光透過量のポイントに保持される。更に、同期デバイスは、第１の眼に表示される画像に対応する信号を送信する信号送信機と、信号を検出する信号受信機と、第１の眼に対して画像が表示される時間の間、第１シャッターを開にするようになっている制御回路とを含む。一実施形態では、この信号は赤外線光である。
【０２５２】
一実施形態では、信号送信機は反射器に向けて信号を投射し、この信号は反射器で反射され、反射された信号は信号受信機によって検出される。一実施形態では、反射器は映画シアタースクリーンとなっている。一実施形態では、信号送信機は、画像プロジェクタ、例えば映画プロジェクタからのタイミング信号を受信する。一実施形態では、信号は無線周波数信号である。一実施形態では、信号は所定のインターバルの一連のパルスとなっている。一実施形態では、信号が所定のインターバルでの一連パルスである場合、第１の所定の数のパルスが第１の液晶シャッターを開にし、第２の所定の数のパルスが第２液晶シャッターを開にするようになっている。
【０２５３】
三次元ビデオ画像を提供するための一実施形態では、画像を提供する方法は、第１液晶シャッターおよび第２液晶シャッターを含む一対の三次元ビュー眼鏡を設けるステップと、第１液晶シャッターを１ミリ秒未満で開にするステップと、第１の時間の間、最大光透過量のポイントに第１液晶シャッターを保持するステップと、第１液晶シャッターを閉じるステップと、次に１ミリ秒未満の時間内に第２液晶シャッターを開にするステップと、第２時間の間、最大光透過量のポイントに第２液晶シャッターを保持するステップとを備える。第１時間は、ビューアーの左眼に対する画像の表示に対応し、第２時間は、ビューアーの右眼に対する画像の表示に対応する。信号送信機は、左眼に対して表示される画像に対応する信号を送信でき、この信号を検出すると、三次元ビュー眼鏡はこの信号を使って、いつ第１液晶シャッターを開にするかを決定できる。一実施形態では、信号は赤外線光であり、一実施形態では、信号送信機は信号を反射器に向けて投射し、反射器は信号を三次元ビュー眼鏡に向けて反射し、眼鏡内の信号受信機が、反射された信号を検出する。一実施形態では、反射器は映画シアタースクリーンとなっている。
【０２５４】
一実施形態では、信号送信機が画像プロジェクタからのタイミング信号を受信する。一実施形態では、信号は無線周波数信号であり、一実施形態では、信号を所定インターバルの一連のパルスとすることができる。第１の所定の数のパルスが第１液晶シャッターを開にでき、第２の所定の数のパルスが第２の液晶シャッターを開にできる。
【０２５５】
三次元ビデオ画像を提供するためのシステムの一実施形態では、一対の眼鏡が、第１液晶シャッターを有する第１レンズと、第２液晶シャッターを有する第２レンズとを含む一対の眼鏡を含み、液晶シャッターは液晶を有すると共に、１ミリ秒未満の開時間を有する。制御回路は、第１レンズシャッターと第２液晶シャッターとを交互に開にでき、制御回路がシャッターを閉じるまで、液晶の配向は最大表示透過量のポイントに保持される。一実施形態では、同期システムが一対の眼鏡の前に位置する反射デバイスと、この反射デバイスに向けて信号を送る信号送信機とを備える。この信号はビューアーの第１の眼に対して表示される画像に対応し、信号受信機が反射デバイスから反射された信号を検出し、次に第１の眼に対して画像が表示される時間の間、制御回路が第１のシャッターを開にする。
【０２５６】
一実施形態では、信号は赤外線光となっている。一実施形態では、反射器は映画シアタースクリーンである。一実施形態では、信号送信機が画像プロジェクタからのタイミング信号を受信する。この信号は、一定インターバルでの一連のパルスとすることができる。一実施形態では、信号は所定のインターバルへの一連のパルスであり、第１の所定の数のパルスが第１の液晶シャッターを開にし、第２の所定の数のパルスが第２の液晶シャッターを開にする。
【０２５７】
三次元ビデオ画像を提供するための一実施形態では、画像を提供する方法は、第１液晶シャッターおよび第２液晶シャッターを含む一対の三次元ビュー眼鏡を設け、第１液晶シャッターを１ミリ秒未満で開にし、第１の時間の間、最大光透過量のポイントに第１液晶シャッターを保持し、第１液晶シャッターを閉じ、次に１ミリ秒未満で第２液晶シャッターを開にし、第２時間の間、最大光透過量のポイントに第２液晶シャッターを保持することにより、画像を提供できる。第１時間は、ビューアーの第１の眼に対する画像の表示に対応し、第２時間は、ビューアーの第２の眼に対する画像の表示に対応する。一実施形態では、信号送信機は、第１の眼に対して表示される画像に対応する信号を送信する。三次元ビュー眼鏡は、赤外線信号を検出し、この赤外線信号を使って、第１液晶シャッターの開口をトリガする。一実施形態では、反射器は映画シアタースクリーンとなっている。一実施形態では、信号送信機が画像プロジェクタからのタイミング信号を受信する。このタイミング信号は、所定インターバルでの一連のパルスとすることができる。一実施形態では、第１の所定の数のパルスは第１の液晶シャッターを開にし、第２の所定の数のパルスは第２の液晶シャッターを開にする。
【０２５８】
一実施形態では、三次元画像を提供するためのシステムは、第１の液晶シャッターを有する第１レンズと、第２の液晶シャッターを有する第２レンズとを備えた一対の眼鏡を含み、液晶シャッターは液晶を有すると共に、１ミリ秒未満の開時間を有する。このシステムは、第１液晶シャッターと第２液晶シャッターとを交互に開にし、制御回路がシャッターを閉じるまで最大光透過量のポイントに液晶の配向を保持する制御回路も有することができる。このシステムは、信号送信機と、信号受信機と、ビューアーが見ることのできるレートで第１シャッターおよび第２シャッターを開閉するようになっているテストシステム制御回路も有することができる。一実施形態では、信号送信機はプロジェクタからのタイミング信号を受信しない。一実施形態は、信号送信機は赤外線信号を発生する。この赤外線信号を一連のパルスとすることができる。別の実施形態では、信号送信機は無線周波数信号を発生し、この無線周波数信号を一連のパルスとすることができる。
【０２５９】
三次元ビデオ画像を提供するための方法の一実施形態では、画像を提供する方法は、第１液晶シャッターおよび第２液晶シャッターを含む一対の三次元ビュー眼鏡を設けるステップと、第１液晶シャッターを１ミリ秒未満で開にするステップと、第１の時間の間、最大光透過量のポイントに第１液晶シャッターを保持するステップと、第１液晶シャッターを閉じるステップと、次に１ミリ秒未満で第２液晶シャッターを開にするステップと、第２時間の間、最大光透過量のポイントに第２液晶シャッターを保持するステップとを備える。一実施形態では、第１時間は、ビューアーの第１の眼に対する画像の表示に対応し、第２時間は、ビューアーの第２の眼に対する画像の表示に対応する。一実施形態では、信号送信機は、三次元ビュー眼鏡に向けてテスト信号を送信でき、三次元ビュー眼鏡は、次にこの三次元眼鏡上のセンサによりテスト信号を受信し、次にテスト信号の結果として、第１液晶シャッターおよび第２液晶シャッターを開閉するための制御回路を使用し、液晶シャッターは、眼鏡をつけているビューアーに観察できるレートで開閉する。
【０２６０】
一実施形態では、信号送信機は、プロジェクタからのタイミング信号を受信しない。一実施形態では、信号送信機は、一連のパルスとすることができる赤外線信号を発生する。一実施形態では、信号送信機は、無線周波数信号を発生し、一実施形態では無線周波数信号は、一連のパルスとなっている。
【０２６１】
三次元ビデオ画像を提供するためのシステムの一実施形態は、第１液晶シャッターを有する第１レンズと、第２液晶シャッターを有する第２レンズを含む一対の眼鏡を含むことができ、液晶シャッターは、液晶を有すると共に１ミリ秒未満の開時間を有する。このシステムは、第１液晶シャッターと第２液晶シャッターとを交互に開にし、最大光透過量のポイントに液晶の配向を保持し、次にシャッターを閉じる制御回路も有することができる。一実施形態では、オートオンシステムが信号送信機と信号受信機とを備え、制御回路は第１の所定の時間インターバルで信号受信機を附勢し、信号受信機が信号送信機からの信号を受信しているかどうかを判断し、第２の時間内に信号受信機が信号送信機からの信号を受信していない場合に、信号受信機を除勢し、信号受信機が信号送信機からの信号を受信している場合に、信号に対応するインターバルで第１シャッターと第２シャッターとを交互に開にするようになっている。
【０２６２】
一実施形態では、第１の時間は、少なくとも２秒であり、第２の時間を、わずか１００ミリ秒にできる。一実施形態では、信号受信機が信号送信機からの信号を受信するまで、液晶は開状態のままである。
【０２６３】
一実施形態では、三次元ビデオ画像を提供するための方法は、第１液晶シャッターと第２液晶シャッターを備える一対の三次元ビュー眼鏡を設けるステップと、１ミリ秒未満で第１液晶シャッターを開にするステップと、第１時間の間、最大光透過量のポイントに第１液晶シャッターを保持するステップと、第１液晶シャッターを閉じるステップと、１ミリ秒未満で第２液晶シャッターを開にするステップと、第２時間の間、最大光透過量のポイントに第２液晶シャッターを保持するステップとを含むことができる。一実施形態では、第１時間は、ビューアーの第１の眼に対する画像の表示に対応し、第２時間は、ビューアーの第２の眼に対する画像の表示に対応する。一実施形態では、この方法は、第１の所定の時間インターバルで信号受信機を附勢するステップと、信号受信機が信号送信機からの信号を受信しているかどうかを判断するステップと、信号受信機が第２時間内に信号送信機からの信号を受信しない場合に、信号受信機を除勢するステップと、信号受信機が信号送信機からの信号を受信しない場合に、信号に対応するインターバルで、第１シャッターおよび第２シャッターを開閉するステップとを含むことができる。一実施形態では、第１時間は、少なくとも２秒であり、一実施形態では、第２時間はわずか１００ミリ秒にすぎない。一実施形態では、信号受信機が信号送信機からの信号を受信するまで、液晶シャッターは開状態のままである。
【０２６４】
一実施形態では、三次元ビデオ画像を提供するためのシステムは、第１液晶シャッターを有する第１レンズと、第２液晶シャッターを有する第２レンズとを含む一対の眼鏡を備え、液晶シャッターは液晶を有すると共に、１ミリ秒未満の開時間を有する。このシステムは、第１液晶シャッターと第２液晶シャッターとを交互に開にし、制御回路がシャッターを閉じるまで、最大光透過量のポイントに液晶の配向を保持することができる制御回路も有することができる。一実施形態では、制御回路は第１液晶シャッターと第２液晶シャッターを開状態に保持するようになっている。一実施形態では、制御回路が同期信号を検出するまでレンズを開状態に保持する。一実施形態では、液晶シャッターに印加される電圧は、正と負の間で交互に変化する。
【０２６５】
三次元ビデオ画像を提供するためのデバイスの一実施形態では、第１液晶シャッターと第２液晶シャッターとを備え、第１液晶シャッターは、１ミリ秒未満で開状態となることができ、第２液晶シャッターは、１ミリ秒内で開状態となることができる。一対の３次元ビュー眼鏡は、液晶シャッターを透明なレンズに見えるようにするレートで、第１液晶シャッターおよび第２液晶シャッターを開閉する。一実施形態では、制御回路が同期信号を検出するまで、制御回路はレンズを開状態に保持する。一実施形態では、液晶シャッターは正と負の間で交互に変化する。
【０２６６】
一実施形態では、三次元ビデオ画像を提供するためのシステムは、第１液晶シャッターを有する第１レンズと、第２液晶シャッターを有する第２レンズを含む一対の眼鏡を含むことができ、液晶シャッターは、液晶を有すると共に１ミリ秒未満の開時間を有する。このシステムは、第１液晶シャッターと第２液晶シャッターとを交互に開にし、制御回路がシャッターを閉じるまで、液晶を最大光透過量のポイントに保持する制御回路も有することができる。一実施形態では、信号発生器が同期信号を発生することができ、この同期信号の一部は暗号化されている。制御回路に作動的に接続されたセンサが、同期信号を受信するようにでき、暗号化された信号を受信した後に限り、第１および第２液晶シャッターが同期信号に対応するパターンで開閉できる。
【０２６７】
一実施形態では、同期信号は所定のインターバルでの一連のパルスとなっている。一実施形態では、同期信号は所定のインターバルでの一連のパルスとなっており、第１の所定の数のパルスが第１液晶シャッターを開にし、第２の所定の数のパルスが第２の液晶シャッターを開にする。一実施形態では、一連のパルスの一部が暗号化されている。一実施形態では、一連のパルスは暗号化されていない所定の数のパルスと、その後に続く暗号化されている所定の数のパルスとを含む。一実施形態では、第１液晶シャッターと第２液晶シャッターは、連続する２つの暗号化された信号を受信した後に限り、同期信号に対応するパターンで開閉する。
【０２６８】
三次元ビデオ画像を提供するための方法の一実施形態では、この方法は、第１液晶シャッターと第２液晶シャッターを備える一対の三次元ビュー眼鏡を設けるステップと、１ミリ秒未満で第１液晶シャッターを開にするステップと、第１時間の間、最大光透過量のポイントに第１液晶シャッターを保持するステップと、第１液晶シャッターを閉じるステップと、１ミリ秒未満で第２液晶シャッターを開にするステップと、第２時間の間、最大光透過量のポイントに第２液晶シャッターを保持するステップとを含むことができる。一実施形態では、第１時間は、ビューアーの第１の眼に対する画像の表示に対応し、第２時間は、ビューアーの第２の眼に対する画像の表示に対応する。一実施形態では、信号発生器が同期信号を発生し、この同期信号の一部が暗号化されている。一実施形態では、センサが制御回路に作動的に接続されており、同期信号を受信するようになっており、第１液晶シャッターおよび第２液晶シャッターは、暗号化された信号を受信した後に限り、同期信号に対応するパターンで開閉する。
【０２６９】
一実施形態では、同期信号は所定のインターバルでの一連のパルスとなっている。一実施形態では、同期信号は所定のインターバルでの一連のパルスとなっており、第１の所定の数のパルスが第１液晶シャッターを開にし、第２の所定の数のパルスが第２の液晶シャッターを開にする。一実施形態では、一連のパルスの一部が暗号化されている。一実施形態では、一連のパルスは暗号化されていない所定の数のパルスと、その後に続く暗号化されている所定の数のパルスとを含む。一実施形態では、第１液晶シャッターと第２液晶シャッターは、連続する２つの暗号化された信号を受信した後に限り、同期信号に対応するパターンで開閉する。
【０２７０】
液晶を開位置まで回転させ、液晶が１ミリ秒未満で、少なくとも２５％の光透過率を得るようにするステップと、液晶が最大光透過量のポイントまで回転するまで待つステップと、最大光透過量のポイントで液晶の回転を停止させるステップと、所定の時間、最大光透過量のポイントに液晶を保持するステップとを含む、３Ｄ眼鏡で使用するために液晶シャッターを急速に開にするための方法について説明した。一実施形態では、このシステムは、第１液晶シャッターおよび第２液晶シャッターを有する一対の液晶シャッターと、制御回路とを備え、制御回路は、第１液晶シャッターを開にし、第１液晶シャッターは１ミリ秒未満で最大光透過量のポイントまで開となり、制御回路は第１液晶シャッターを第１の時間、最大光透過量のポイントに保持するためのキャッチ電圧を印加し、次に第１液晶シャッターを閉じ、第２液晶シャッターを開にし、この第２液晶シャッターは、１ミリ秒未満で最大光透過量のポイントまで開となり、制御回路は、第１時間の間、最大光透過量のポイントに第２液晶シャッターを保持するためのキャッチ電圧を印加し、次に、第２液晶シャッターを閉じるようになっており、第１時間は、ユーザーの第１の眼に対する画像の表示に対応し、第２時間はユーザーの第２の眼に対する画像の表示に対応する。一実施形態では、制御回路は、第１時間および第２時間を決定するために、同期信号を使用するようになっている。一実施形態では、キャッチ電圧は２ボルトである。一実施形態では、最大光透過量のポイントは、３２％よりも多い光を透過する。一実施形態では、システムは同期信号を発生する信号発生器を更に含み、この同期信号は、制御回路によって液晶シャッターのうちの１つを開にさせる。一実施形態では、同期信号は暗号化された信号を含む。一実施形態では、制御回路は暗号化された信号を有効と判断した後にしか作動しない。一実施形態では、システムは更にバッテリーセンサを含む。一実施形態では、制御回路は低バッテリー状態の表示を発生するようになっている。一実施形態では、この低バッテリー状態の表示は、液晶シャッターをある時間の間閉じ、次にある時間の間開にするようにできる。一実施形態では、制御回路は同期信号を検出し、同期信号の検出後、液晶シャッターの作動を開始するようになっている。一実施形態では、暗号化された信号は、この暗号化された信号を受信するようになっている制御回路を有する一対の液晶眼鏡しか作動させない。一実施形態では、システムは、テスト信号を更に含み、このテスト信号は一対の液晶シャッター眼鏡をつけているユーザーが見ることのできるレートで液晶シャッターを作動させる。
【０２７１】
第１液晶シャッターを有する第１レンズと、第２液晶シャッターを有する第２レンズとを含む一対の眼鏡を備え、液晶シャッターの各々は、液晶と、１ミリ秒未満の開時間を有し、更に第１液晶シャッターと第２液晶シャッターとを交互に開にする制御回路を備え、制御回路により、シャッターを閉じるまで液晶の配向は、最大光透過量のポイントに保持される、三次元ビデオ画像を提供するためのシステムについてこれまで述べた。一実施形態では、キャッチ電圧は最大光透過量のポイントで液晶を保持する。一実施形態では、最大光透過量のポイントは、３２％よりも多い光を透過する。一実施形態では、このシステムは、同期信号を発生する信号発生器を更に含み、この同期信号は、制御回路によって液晶シャッターのうちの１つを開にさせる。一実施形態では、同期信号は暗号化された信号を含む。一実施形態では、制御回路は暗号化された信号を有効と判断した後にしか作動しない。一実施形態では、このシステムは、バッテリーセンサを更に含む。一実施形態では、制御回路は低バッテリー状態の表示を発生するようになっている。一実施形態では、低バッテリー状態の表示は、ある時間の間、液晶シャッターを閉じ、ある時間の間、開にするようにできる。一実施形態では、制御回路は同期信号を検出し、同期信号を検出した後に、液晶シャッターの作動を開始するようになっている。一実施形態では、暗号化された信号は、暗号化された信号を受信するようになっている制御回路を有する一対の液晶眼鏡しか作動させない。一実施形態では、このシステムは、テスト信号を更に含み、このテスト信号は、前記対の液晶シャッター眼鏡をつけている人が見ることのできるレートで液晶シャッターを作動させる。
【０２７２】
１ミリ秒未満で第１液晶シャッターを開にするステップと、第１時間の間、最大光透過量のポイントに第１液晶シャッターを保持するステップと、次に、１ミリ秒未満で第２液晶シャッターを開にするステップと、第１液晶シャッターを閉じるステップと、第２時間の間、最大光透過量のポイントに第２液晶シャッターを保持するステップとを含み、第１時間は、ビューアーの第１の眼に対する画像の表示に対応し、第２時間は、ビューアーの第２の眼に対する画像の表示に対応する、三次元ビデオ画像を提供するための方法について説明した。一実施形態では、この方法は、キャッチ電圧により最大光透過量のポイントに液晶シャッターを保持するステップを更に含む。一実施形態では、キャッチ電圧は２ボルトである。一実施形態では、最大光透過量のポイントは、３２％よりも多い光を透過する。一実施形態では、本方法は、液晶シャッターの作動を制御するための同期信号を発生するステップを更に含む。一実施形態では、この同期信号は、暗号化された信号を含む。一実施形態では、同期信号は暗号化された信号が有効と判断された後にしか、液晶シャッター制御回路の作動を制御しない。一実施形態では、この方法は、バッテリーの電力レベルを検出するステップを更に含む。一実施形態では、この方法は、バッテリーの電力レベルを表示するバッテリーレートの表示を提供するステップを更に含む。一実施形態では、低バッテリー電力レベルの表示を、ある時間の間、液晶シャッターを閉じ、ある時間の間、開にするようにできる。一実施形態では、この方法は、同期信号を検出するステップと、次に同期信号を検出した後に液晶シャッターを作動させるステップとを更に含む。一実施形態では、この方法は、特に液晶シャッターに指定された暗号化された信号を受信した後にしか、液晶シャッターを作動させないステップを含む。一実施形態では、この方法は、ビューアーが見ることのできるレートで液晶シャッターを作動させるテスト信号を発生するステップを更に含む。
【０２７３】
液晶を開位置まで回転させ、液晶が１ミリ秒未満で、少なくとも２５％の光透過率を得るようにするステップと、液晶が最大光透過量のポイントまで回転するまで待つステップと、最大光透過量のポイントで液晶の回転を停止させるステップと、ある時間、最大光透過量のポイントに液晶を保持するステップとを含む、３Ｄ眼鏡のユーザーに三次元ビデオ画像を提供するための、３Ｄ眼鏡用ハウジング内のマシンにより読み取り可能なメディア上にインストールされたコンピュータプログラムについて説明した。
【０２７４】
１ミリ秒未満で第１液晶シャッターを開にするステップと、第１時間の間、最大光透過量のポイントに第１液晶シャッターを保持するステップと、第１液晶シャッターを閉じるステップと、次に、１ミリ秒未満で第２液晶シャッターを開にするステップと、第２時間の間、最大光透過量のポイントに第２液晶シャッターを保持するステップとを含み、第１時間は、ビューアーの第１の眼に対する画像の表示に対応し、第２時間は、ビューアーの第２の眼に対する画像の表示に対応する、３Ｄ眼鏡のユーザーに三次元ビデオ画像を提供するためのマシンで読み取り可能なメディア上にインストールされたコンピュータプログラムについて説明した。一実施形態では、キャッチ電圧により最大光透過量のポイントに液晶シャッターが保持される。一実施形態では、キャッチ電圧は２ボルトである。一実施形態では、最大光透過量のポイントは、３２％よりも多い光を透過する。一実施形態では、本コンピュータプログラムは、液晶シャッターの作動を制御するための同期信号を発生するステップを更に含む。一実施形態では、この同期信号は、暗号化された信号を含む。一実施形態では、このコンピュータプログラムは、暗号化された信号が有効と判断された後にしか、液晶シャッターを作動させないステップを更に含む。一実施形態では、このコンピュータプログラムは、バッテリーの電力レベルを検出するステップを更に含む。一実施形態では、低バッテリー電力レベルの表示をするステップを含む。一実施形態では、このコンピュータプログラムは、ある時間の間、液晶シャッターを閉じ、ある時間の間、開にすることにより、バッテリーの低電力状態を表示するステップを更に含む。一実施形態では、このコンピュータプログラムは、同期信号を検出するステップと、次に同期信号を検出した後に液晶シャッターを作動させるステップとを更に含む。一実施形態では、このコンピュータプログラムは、特に液晶シャッターを制御することから特に指定された暗号化された信号を受信した後にしか、液晶シャッターを作動させないステップを更に含む。一実施形態では、このコンピュータプログラムは、ビューアーが見ることのできるレートで液晶シャッターを作動させるテスト信号を発生するステップを更に含む。
【０２７５】
液晶に電圧を印加することにより、液晶を開位置まで回転させ、液晶が１ミリ秒未満で、少なくとも２５％の光透過率を得るようにする手段と、液晶が最大光透過量のポイントまで回転するまで待つ手段と、最大光透過量のポイントで液晶の回転を停止させる手段と、あるの時間、最大光透過量のポイントに液晶を保持する手段とを含む、液晶シャッターを急速に開にするためのシステムについて説明した。
【０２７６】
１ミリ秒未満で第１液晶シャッターを開にする手段と、第１時間の間、最大光透過量のポイントに第１液晶シャッターを保持する手段と、次に、１ミリ秒未満で第２液晶シャッターを開にする手段と、第１液晶シャッターを閉じる手段と、第２時間の間、最大光透過量のポイントに第２液晶シャッターを保持する手段とを含み、第１時間は、ビューアーの第１の眼に対する画像の表示に対応し、第２時間は、ビューアーの第２の眼に対する画像の表示に対応する、三次元ビデオ画像を提供するためのシステムについて説明した。一実施形態では、キャッチ電圧により第１液晶シャッターと第２液晶シャッターのうちの少なくとも１つが最大光透過量のポイントに保持される。一実施形態では、キャッチ電圧は２ボルトである。一実施形態では、最大光透過量のポイントは、３２％よりも多い光を透過する。一実施形態では、本システムは、液晶シャッターの作動を制御するための同期信号を発生する手段を更に含み、この同期信号は、液晶シャッターのうちの１つを開にする。一実施形態では、この同期信号は、暗号化された信号を含む。一実施形態では、システムは暗号化された信号を有効と判断した後にしか、液晶シャッター制御回路を作動させない手段を更に含む。一実施形態では、このシステムは、バッテリーの電力レベルを検出する手段を更に含む。一実施形態では、このシステムは、低バッテリー状態を表示する手段を更に含む。一実施形態では、低バッテリー電力レベルを表示する手段は、ある時間の間、液晶シャッターを閉じ、次にある時間の間、開にする手段を含む。一実施形態では、このシステムは、同期信号を検出する手段と、次に同期信号を検出した後に液晶シャッターを作動させる手段とを更に含む。一実施形態では、このシステムは、特に液晶シャッターに指定された暗号化された信号を受信した後にしか、液晶シャッターを作動させない手段を含む。一実施形態では、このシステムは、ビューアーが見ることのできるレートで液晶シャッターを作動させる手段を更に含む。
【０２７７】
液晶を開位置まで回転させるステップと、液晶が最大光透過量のポイントまで回転するまで待つステップと、最大光透過量のポイントで液晶の回転を停止させるステップと、ある時間の間、最大光透過量のポイントに液晶を保持するステップとを備え、液晶は、光学的に厚い液晶となっている、３Ｄ眼鏡で使用するための液晶シャッターを急速に開にするための方法について説明した。
【０２７８】
暗号化された同期信号を送信するステップと、暗号化され、受信された同期信号を有効と判断した後に、暗号化された同期信号を遠隔地で受信するステップと、１ミリ秒未満で第１液晶シャッターを開にするステップと、第１時間の間、最大光り透過量のポイントに第１液晶シャッターを保持するステップと、１ミリ秒未満で第２液晶シャッターを開にするステップと、第２時間の間、最大光透過量のポイントに第２液晶シャッターを保持するステップと、バッテリー電力のレベルを検出するステップと、ビューアーが見ることのできるレートで液晶シャッターを開閉することにより、バッテリーの検出された電力レベルの表示をするステップとを備え、第１時間は、ビューアーの第１の眼に対する画像の表示に対応し、第２の時間はビューアーの第２の眼に対する画像の表示に対応し、キャッチ電圧により液晶シャッターを最大光透過量のポイントに保持する、三次元ビデオ画像を提供するための方法について説明した。
【０２７９】
第１液晶シャッターを有する第１レンズと、第２液晶シャッターを有効第２レンズとを含む一対の眼鏡を含み、液晶シャッターは、液晶を有すると共に１ミリ秒未満の開時間を有し、更に第１液晶シャッターと第２液晶シャッターとを交互に開にする制御回路を備え、制御回路がシャッターを閉じるまで最大光透過量のポイントに液晶の配向を保持するようになっており、制御回路に作動的に結合されたバッテリーを含む低バッテリーインジケータと、バッテリーに残存する電力量を測定できるセンサと、対になった眼鏡が所定の時間よりも長く作動するのにバッテリーに残存する電力量が十分であるかどうかを判断するようになっているコントローラと、眼鏡が所定の時間よりも長くは作動しない場合にビューアーに信号を送るためのインジケータとを含む、三次元ビデオ画像を提供するためのシステムについて説明した。一実施形態では、インジケータが信号を送ることは、所定のレートで左右の液晶シャッターを開閉することを含む。一実施形態では、所定の時間は３時間よりも長い。一実施形態では、低バッテリーインジケータは、対になった眼鏡が所定の時間よりも長く作動するのにバッテリーに残存する電力量が十分でないと判断された後に、少なくとも３日間の間、低バッテリーインジケータが作動する。一実施形態では、バッテリーに残存する電力量を測定するようになっているコントローラは、同期パルスの数により時間を測定する。
【０２８０】
第１液晶シャッターおよび第２液晶シャッターを含む一対の三次元ビュー眼鏡を設けるステップと、第１液晶シャッターを１ミリ秒未満で開にするステップと、第１時間の間、最大光透過量のポイントに第１液晶シャッターを保持するステップと、第１液晶シャッターを閉じるステップと、１ミリ秒未満で第２液晶シャッターを開にするステップと、第２時間の間、最大光透過量のポイントに第２液晶シャッターを保持するステップとを備え、第１時間は、ビューアーの第１の眼に対する画像の表示に対応し、第２時間はビューアーの第２の眼に対する画像の表示に対応し、バッテリーに残存する電力量を検出するステップと、三次元ビュー画像の対が所定の時間よりも長く作動するのにバッテリー内に残存する電力量が十分であるかどうかを判断するステップと、三次元ビュー眼鏡が所定の時間よりも長くは作動しない場合に、ビューアーに低バッテリー信号を表示するステップとを備える、三次元ビデオ画像を提供するための方法について説明した。一実施形態では、三次元ビュー眼鏡が所定の時間よりも長くは作動しない場合に低バッテリー信号をビューアーに表示するステップは、所定のレートで第１および第２液晶シャッターを開閉することを含む。一実施形態では、所定の時間は３時間よりも長くなっている。一実施形態では、三次元ビュー眼鏡が所定の時間より長くは作動しない場合にビューアーに低バッテリー信号を表示するステップは、三次元ビュー眼鏡の対が所定の時間よりも長く作動するのにバッテリー内に残存する電力量が十分でないと判断した後に、少なくとも３日間、ビューアーに対して低バッテリー信号を表示することを含む。一実施形態では、バッテリーに残存する電力量を判断するステップは、三次元ビュー眼鏡に送信された同期パルスの数を測定するステップを更に含む。
【０２８１】
第１液晶シャッターを１ミリ秒未満で開にするステップと、第１時間の間、最大光透過量のポイントに第１液晶シャッターを保持するステップと、第１液晶シャッターを閉じるステップと、１ミリ秒未満で第２液晶シャッターを開にするステップと、第２時間の間、最大光透過量のポイントに第２液晶シャッターを保持するステップとを備え、第１時間は、ビューアーの第１の眼に対する画像の表示に対応し、第２時間はビューアーの第２の眼に対する画像の表示に対応し、バッテリーに残存する電力量を検出するステップと、三次元ビュー画像の対が所定の時間よりも長く作動するのにバッテリー内に残存する電力量が十分であるかどうかを判断するステップと、三次元ビュー眼鏡が所定の時間よりも長くは作動しない場合に、ビューアーに低バッテリー信号を表示するステップとを備える、第１液晶シャッターおよび第２液晶シャッターを含む一対の三次元ビュー眼鏡を使用することにより、３次元画像を提供するためのマシンで読み取り可能なメディアにインストールされたコンピュータプログラムについて説明した。一実施形態では、三次元ビュー眼鏡が所定の時間よりも長くは作動しない場合に低バッテリー信号をビューアーに表示するステップは、所定のレートで第１および第２液晶シャッターを開閉することを含む。一実施形態では、所定の時間は３時間よりも長くなっている。一実施形態では、三次元ビュー眼鏡が所定の時間より長くは作動しない場合にビューアーに低バッテリー信号を表示するステップは、三次元ビュー眼鏡の対が所定の時間よりも長く作動するのにバッテリー内に残存する電力量が十分でないと判断した後に、少なくとも３日間、ビューアーに対して低バッテリー信号を表示することを含む。一実施形態では、バッテリーに残存する電力量を判断するステップは、三次元ビュー眼鏡に送信された同期パルスの数を測定するステップを更に含む。
【０２８２】
第１液晶シャッターおよび第２液晶シャッターを含む一対の三次元ビュー眼鏡を設ける手段と、第１液晶シャッターを１ミリ秒未満で開にする手段と、第１時間の間、最大光透過量のポイントに第１液晶シャッターを保持する手段と、第１液晶シャッターを閉じる手段と、１ミリ秒未満で第２液晶シャッターを開にする手段と、第２時間の間、最大光透過量のポイントに第２液晶シャッターを保持する手段とを備え、第１時間は、ビューアーの第１の眼に対する画像の表示に対応し、第２時間はビューアーの第２の眼に対する画像の表示に対応し、バッテリーに残存する電力量を検出する手段と、三次元ビュー画像の対が所定の時間よりも長く作動するのにバッテリー内に残存する電力量が十分であるかどうかを判断する手段と、三次元ビュー眼鏡が所定の時間よりも長くは作動しない場合に、ビューアーに低バッテリー信号を表示する手段とを備える、三次元ビデオ画像を提供するためのシステムについて説明した。一実施形態では、低バッテリー信号は、所定のレートで第１および第２液晶シャッターを開閉することを含む。一実施形態では、所定の時間は３時間よりも長くなっている。一実施形態では、このシステムは、三次元ビュー眼鏡の対が所定の時間よりも長く作動するのにバッテリー内に残存する電力量が十分でないと判断した後に、少なくとも３日間、ビューアーに対して低バッテリー状態を表示するための手段を更に含む。一実施形態では、このシステムは、同期パルスにより時間を測定することによって、バッテリーに残存する電力量を決定するための手段を更に含む。
【０２８３】
第１液晶シャッターを有する第１レンズおよび第２液晶シャッターを有する第２レンズを含む一対の三次元ビュー眼鏡と、第１および第２液晶シャッターの作動を制御するための制御回路と、制御回路に作動的に結合されたバッテリーと、制御回路に作動的に結合された信号センサとを備え、制御回路は、三次元ビュー眼鏡の対が所定の時間よりも長く作動するのにバッテリー内に残存する電力量が十分であるかどうかを、信号センサによって検出された外部信号の数に応じて判断し、バッテリー内に残存する電力量を視覚的に表示するために、第１および第２液晶シャッターを操作するようになっている、三次元ビデオ画像を提供するためのシステムについて説明した。一実施形態では、視覚的表示は所定のレートで第１および第２液晶シャッターを開閉することを含む。
【０２８４】
第１液晶シャッターおよび第２液晶シャッターを含む一対の三次元ビュー眼鏡を設けるステップと、三次元ビュー眼鏡に送信された外部信号の数を測定することにより、バッテリーに残存する電力量を検出するステップと、三次元ビュー眼鏡の対が所定の時間よりも長く作動するのにバッテリー内に残存する電力量が十分であるかどうかを判断するステップと、三次元ビュー眼鏡が所定の時間よりも長くは作動しない場合に、ビューアーに低バッテリー信号を表示するステップとを含む、三次元ビデオ画像を提供するための方法について説明した。一実施形態では、低バッテリー信号は、所定のレートで第１および第２液晶シャッターを開閉することを含む。
【０２８５】
三次元ビュー眼鏡に送信された外部信号の数を測定することにより、バッテリーに残存する電力量を検出するステップと、三次元ビュー眼鏡の対が所定の時間よりも長く作動するのにバッテリー内に残存する電力量が十分であるかどうかを判断するステップと、三次元ビュー眼鏡が所定の時間よりも長くは作動しない場合に、ビューアーに低バッテリー信号を表示するステップとを含む、三次元画像を発生する、第１液晶シャッターおよび第２液晶シャッターを含む一対の三次元ビュー眼鏡を作動させる際に使用するためのメモリデバイスに記憶されたコンピュータプログラムについて説明した。一実施形態では、低バッテリー信号は、所定のレートで第１および第２液晶シャッターを開閉することを含む。
【０２８６】
第１液晶シャッターを１ミリ秒未満で開にするステップと、第１時間の間、最大光透過量のポイントに第１液晶シャッターを保持するステップと、第１液晶シャッターを閉じるステップと、１ミリ秒未満で第２液晶シャッターを開にするステップと、第２時間の間、最大光透過量のポイントに第２液晶シャッターを保持するステップとを備え、第１時間は、ビューアーの第１の眼に対する画像の表示に対応し、第２時間はビューアーの第２の眼に対する画像の表示に対応し、バッテリーに残存する電力量を検出するステップと、三次元ビュー画像の対が所定の時間よりも長く作動するのにバッテリー内に残存する電力量が十分であるかどうかを判断するステップと、三次元ビュー眼鏡が所定の時間よりも長くは作動しない場合に、ビューアーに低バッテリー信号を表示するステップとを備え、三次元ビュー眼鏡が所定の時間よりも長くは作動しない場合に低バッテリー信号をビューアーに表示するステップは、所定のレートで第１および第２液晶シャッターを開閉することを含み、バッテリーに残存する電力量を判断するステップは、三次元ビュー眼鏡に送信された同期パルスの数を測定することを含む、第１液晶シャッターおよび第２液晶シャッターを備える一対の三次元ビュー眼鏡を設けることを備える、三次元ビデオ画像を提供するための方法について説明した。
【０２８７】
第１液晶シャッターを有する第１レンズおよび第２液晶シャッターを有する第２レンズを備える一対の眼鏡を備え、液晶シャッターの各々は、液晶を有すると共に、１ミリ秒未満の開時間を有し、第１液晶シャッターと第２液晶シャッターとを交互に開にする制御回路を更に備え、制御回路がシャッターを閉じるまで液晶の配向は最大光透過量のポイントに保持され、眼鏡のユーザーに表示される画像に対応する同期信号を検出するための信号受信機および送信された同期信号に応じて画像が表示される時間の間、第１液晶シャッターまたは第２液晶シャッターを開にするようになっている制御回路を含み、前記制御回路に作動的に結合された同期デバイスを更に備える、三次元ビデオ画像を提供するためのシステムについて説明した。一実施形態では、同期信号は赤外線光を含む。一実施形態では、このシステムは信号送信機を更に含み、この信号送信機は、反射器に向けて同期信号を投射し、同期信号は反射器によって反射され、信号受信機が反射された同期信号を検出するようになっている。一実施形態では、反射器は映画シアタースクリーンを含む。一実施形態では、信号送信機は画像プロジェクタからのタイミング信号を受信する。一実施形態では、同期信号は無線周波数信号を含む。一実施形態では、同期信号は所定のインターバルでの一連のパルスを含む。一実施形態では、所定のインターバルでの一連のパルスを含み、第１の所定の数のパルスが第１液晶シャッターを開にし、第２の所定の数のパルスが第２液晶シャッターを開にする。一実施形態では、同期信号は暗号化されている。一実施形態では、同期信号は制御回路のための一連のパルスおよびコンフィギュレーションデータを含む。一実施形態では、一連のパルスのうちの少なくとも１つおよびコンフィギュレーションデータが暗号化される。一実施形態では、同期信号は、少なくとも１つのクロックパルスが先行する少なくとも１つのデータビットを含む。一実施形態では、同期信号は同期シリアルデータ信号を含む。一実施形態では、第１液晶シャッターに対する画像の表示と第２液晶シャッターに対する画像の表示との間で、同期信号が検出される。
【０２８８】
第１液晶シャッターおよび第２液晶シャッターを含む一対の三次元ビュー眼鏡を設けるステップと、１ミリ秒未満で第１液晶シャッターを開にするステップと、第１時間の間、最大光透過量のポイントに第１液晶シャッターを保持するステップと、第１液晶シャッターを閉じるステップと、１ミリ秒未満で第２液晶シャッターを開にするステップと、第２時間の間、最大光透過量のポイントに第２液晶シャッターを保持するステップとを備え、第１時間は、ビューアーの第１の眼に対する画像の表示に対応し、第２時間はビューアーの第２の眼に対する画像の表示に対応し、更にビューアーに表示される画像に対応する同期信号を送信するステップと、この同期信号を検出するステップと、第１液晶シャッターまたは第２液晶シャッターをいつ開にするかを決定するために同期信号を使用するステップとを備える、三次元ビデオ画像を提供するための方法について説明した。一実施形態では、同期信号は赤外線光を含む。一実施形態では、本方法は、反射器に向かって同期信号を投射するステップと、反射器から同期信号を反射させるステップと、反射された同期信号を検出するステップを更に含む。一実施形態では、本方法は、映画シアタースクリーンから同期信号を反射させるステップを更に含む。一実施形態では、本方法は、画像プロジェクタからのタイミング信号を受信するステップを更に含む。一実施形態では、同期信号は無線周波数信号を含む。一実施形態では、同期信号は所定パルスでの一連のパルスを含む。一実施形態では、同期信号は所定インターバルでの一連のパルスを含み、第１の所定の数のパルスが第１液晶シャッターを開にし、第２の所定の数のパルスが第２液晶シャッターを開にする。一実施形態では、本方法は同期信号を暗号化するステップを更に含む。一実施形態では、同期信号は制御回路のための一連のパルスおよびコンフィギュレーションデータを含む。一実施形態では、本方法は、一連のパルスおよびコンフィギュレーションデータのうちの少なくとも１つを暗号化するステップを更に含む。一実施形態では、同期信号は少なくとも１つのデータビットと、このデータビットに先行する少なくとも１つのクロックパルスとを含む。一実施形態では、同期信号は、同期シリアルデータ信号を含む。一実施形態では、第１液晶シャッターに対する画像の表示と第２液晶シャッターに対する画像の表示との間で同期信号を検出する。
【０２８９】
第１液晶シャッターを有する第１レンズおよび第２液晶シャッターを有する第２レンズを備えた一対の眼鏡を含み、液晶シャッターは液晶を有すると共に１ミリ秒未満の開時間を有し、第１液晶シャッターと第２液晶シャッターとを交互に開にする制御回路を備え、制御回路がシャッターを閉じるまで液晶の配向を最大光透過量のポイントに保持し、更に同期システムを備え、この同期システムは眼鏡の対の前に位置する反射デバイスと、この反射デバイスに向けて同期信号を送る信号送信機とを含み、同期信号は眼鏡のユーザーに表示される画像に対応し、同期システムは更に、反射デバイスから反射される同期信号を検出信号受信機と、画像が表示される時間の間、第１シャッターまたは第２シャッターを開にするようになっている制御回路とを含む、三次元画像を提供するためのシステムについて説明した。一実施形態では、同期信号は赤外線光を含む。一実施形態では、反射器は映画シアタースクリーンを含む。一実施形態では、信号送信機は画像プロジェクタからのタイミング信号を受信する。一実施形態では、同期信号は所定のインターバルでの一連のパルスを含む。一実施形態では、同期信号は所定のインターバルでの一連のパルスを含み、第１の所定の数のパルスが第１液晶シャッターを開にし、第２の所定の数のパルスが第２の液晶シャッターを開にする。一実施形態では、同期信号は暗号化される。一実施形態では、同期信号は制御回路のための一連のパルスおよびコンフィギュレーションデータを含む。一実施形態では、一連のパルスおよびコンフィギュレーションデータのうちの少なくとも１つが暗号化される。一実施形態では、同期信号は少なくとも１つのデータビットと、これに先行する少なくとも１つのクロックパルスとを含む。一実施形態では、同期信号は同期シリアルデータ信号を含む。一実施形態では、同期信号は第１液晶シャッターに対する画像の表示と第２液晶シャッターに対する画像の表示との間で検出される。
【０２９０】
１ミリ秒未満で第１液晶シャッターを開にするステップと、第１時間の間、最大光透過量のポイントに第１液晶シャッターを保持するステップと、第１液晶シャッターを閉じるステップと、１ミリ秒未満で第２液晶シャッターを開にするステップと、第１時間の間、最大光透過量のポイントに第２液晶シャッターを保持するステップとを備え、第１時間は、ビューアーの第１の眼に対する画像の表示に対応し、第２時間はビューアーの第２の眼に対する画像の表示に対応し、同期信号を検出するステップと、第１液晶シャッターまたは第２液晶シャッターをいつ開にするかを決定するために同期信号を使用するステップとを備え、第１液晶シャッターおよび第２液晶シャッターを含む一対の三次元ビュー眼鏡を使用して、三次元ビデオ画像を提供するための、マシンで読み取り可能なメディアにインストールされたコンピュータプログラムについて説明した。一実施形態では、同期信号は赤外線光を含む。一実施形態では、本コンピュータプログラムは、反射器に向けて同期信号を投射するステップと、反射器から同期信号を反射させるステップと、反射された同期信号を検出するステップを更に含む。一実施形態では、反射器は、映画シアタースクリーンを含む。一実施形態では、本コンピュータプログラムは、画像プロジェクタからのタイミング信号を受信するステップを更に含む。一実施形態では、同期信号は無線周波数信号を含む。一実施形態では、同期信号は所定パルスでの一連のパルスを含む。一実施形態では、同期信号は所定インターバルでの一連のパルスを含み、第１の所定の数のパルスが第１液晶シャッターを開にし、第２の所定の数のパルスが第２液晶シャッターを開にする。一実施形態では、本コンピュータプログラムは、同期信号を暗号化するステップを更に含む。一実施形態では、同期信号は制御回路のための一連のパルスおよびコンフィギュレーションデータを含む。一実施形態では、本コンピュータプログラムは、一連のパルスおよびコンフィギュレーションデータのうちの少なくとも１つを暗号化するステップを更に含む。一実施形態では、同期信号は少なくとも１つのデータビットと、このデータビットに先行する少なくとも１つのクロックパルスとを含む。一実施形態では、同期信号は、同期シリアルデータ信号を含む。一実施形態では、第１液晶シャッターに対する画像の表示と第２液晶シャッターに対する画像の表示との間で同期信号を検出する。
【０２９１】
第１液晶シャッターおよび第２液晶シャッターを含む一対の三次元ビュー眼鏡を有するための手段と、１ミリ秒未満で第１液晶シャッターを開にするための手段と、第１時間の間、最大光透過量のポイントに第１液晶シャッターを保持するための手段と、第１液晶シャッターを閉じるための手段と、１ミリ秒未満で第２液晶シャッターを開にするための手段と、第２時間の間、最大光透過量のポイントに第２液晶シャッターを保持するための手段とを備え、第１時間は、ビューアーの第１の眼に対する画像の表示に対応し、第２時間はビューアーの第２の眼に対する画像の表示に対応し、同期信号を検出するための手段と、第１液晶シャッターまたは第２液晶シャッターをいつ開にするかを決定するために同期信号を使用するための手段とを備え、三次元ビデオ画像を提供するための、システムについて説明した。一実施形態では、同期信号は赤外線光を含む。一実施形態では、本システムは、反射器に向けて同期信号を送信するステップを含む。一実施形態では、反射器は、映画シアタースクリーンを含む。一実施形態では、送信するための手段は、画像プロジェクタからのタイミング信号を受信するための手段を含む。一実施形態では、同期信号は無線周波数信号を含む。一実施形態では、同期信号は所定パルスでの一連のパルスを含む。一実施形態では、同期信号は所定インターバルでの一連のパルスを含み、第１の所定の数のパルスが第１液晶シャッターを開にし、第２の所定の数のパルスが第２液晶シャッターを開にする。一実施形態では、本システムは、同期信号を暗号化する手段を更に含む。一実施形態では、同期信号は制御回路のための一連のパルスおよびコンフィギュレーションデータを含む。一実施形態では、本システムは、一連のパルスおよびコンフィギュレーションデータのうちの少なくとも１つを暗号化するための手段を更に含む。一実施形態では、同期信号は少なくとも１つのデータビットと、このデータビットに先行する少なくとも１つのクロックパルスとを含む。一実施形態では、同期信号は、同期シリアルデータ信号を含む。一実施形態では、本システムは、第１液晶シャッターに対する画像の表示と第２液晶シャッターに対する画像の表示との間で同期信号を検出するための手段を更に含む。
【０２９２】
第１液晶シャッターおよび第２液晶シャッターを含む一対の三次元ビュー眼鏡を設けるステップと、１ミリ秒未満で第１液晶シャッターを開にするステップと、第１時間の間、最大光透過量のポイントに第１液晶シャッターを保持するステップと、第１液晶シャッターを閉じるステップと、１ミリ秒未満で第２液晶シャッターを開にするステップと、第２時間の間、最大光透過量のポイントに第２液晶シャッターを保持するステップとを備え、第１時間は、ビューアーの第１の眼に対する画像の表示に対応し、第２時間は、ビューアーの第２の眼に対する画像の表示に対応し、更に反射器に向けて暗号化された同期信号を投射するステップと、反射器から暗号化された同期信号を反射させるステップと、暗号化され、反射された同期信号を検出するステップと、暗号化され、検出された同期信号を解読するステップと、第１液晶シャッターまたは第２液晶シャッターをいつ開にするかを決定するために、検出された同期信号を使用するステップとを備え、同期信号は赤外線光を含み、同期信号は一連のパルスおよびコンフィギュレーションデータを含み、第１の所定の一連のパルスが第１液晶シャッターを開にし、第２の所定の一連のパルスが第２液晶シャッターを開にし、同期信号は少なくとも１つのデータビットと、これに先行する少なくとも１つのクロックパルスとを含み、同期信号は同期シリアルデータ信号を含み、同期信号は第１液晶シャッターのための画像の表示と第２液晶シャッターのための画像の表示との間で検出される、三次元ビデオ画像を提供するための方法について説明した。
【０２９３】
第１液晶シャッターを有する第１レンズおよび第２液晶シャッターを有する第２レンズを備えた一対の眼鏡を備え、液晶シャッターは液晶および１ミリ秒未満の開時間を有し、更に第１液晶シャッターと第２液晶シャッターとを交互に開にする制御回路を備え、制御回路が液晶シャッターを開にするまで、液晶シャッターのうちの少なくとも１つの配向は、最大光透過量のポイントに保持され、更にテストシステムを備え、このテストシステムは、信号送信機と、信号受信機と、ビューアーに視認できるレートで第１液晶シャッターおよび第２液晶シャッターを開閉するようになっているテストシステム制御回路を含む、三次元ビデオ画像を提供するためのシステムについて説明した。一実施形態では、信号送信機は、プロジェクタからのタイミング信号を受信しない。一実施形態では、信号送信機は赤外線信号を放出する。一実施形態では、赤外線信号は一連のパルスを含む。一実施形態では、信号送信機は無線周波数の信号を放出する。一実施形態では、無線周波数信号が一連のパルスを含む。
【０２９４】
第１液晶シャッターおよび第２液晶シャッターを含む一対の三次元ビュー眼鏡を設けるステップと、１ミリ秒未満で第１液晶シャッターを開にするステップと、第１時間の間、最大光透過量のポイントに第１液晶シャッターを保持するステップと、第１液晶シャッターを閉じるステップと、１ミリ秒未満で第２液晶シャッターを開にするステップと、第２時間の間、最大光透過量のポイントに第２液晶シャッターを保持するステップとを備え、第１時間は、ビューアーの第１の眼に対する画像の表示に対応し、第２時間は、ビューアーの第２の眼に対する画像の表示に対応し、三次元ビュー眼鏡に向けてテスト信号を送信するステップと、三次元眼鏡上のセンサによりテスト信号を受信するステップと、受信したテスト信号の結果として第１液晶シャッターおよび第２液晶シャッターを開閉するための制御回路を使用するステップとを備え、液晶シャッターは眼鏡をつけているビューアーに観察できるレートで開閉する、三次元ビデオ画像を提供するための方法について説明した。一実施形態では、信号送信機はプロジェクタからのタイミング信号を受信しない。一実施形態では、信号送信機は赤外線信号を放出する。一実施形態では、赤外線信号は一連のパルスを含む。一実施形態では、信号送信機は無線周波数信号を放出する。一実施形態では、無線周波数信号は一連のパルスを含む。
【０２９５】
１ミリ秒未満で第１液晶シャッターを開にするステップと、第１時間の間、最大光透過量のポイントに第１液晶シャッターを保持するステップと、第１液晶シャッターを閉じるステップと、１ミリ秒未満で第２液晶シャッターを開にするステップと、第２時間の間、最大光透過量のポイントに第２液晶シャッターを保持するステップとを備え、第１時間は、ビューアーの第１の眼に対する画像の表示に対応し、第２時間は、ビューアーの第２の眼に対する画像の表示に対応し、三次元ビュー眼鏡に向けてテスト信号を送信するステップと、三次元眼鏡上のセンサによりテスト信号を受信するステップと、受信したテスト信号の結果として第１液晶シャッターおよび第２液晶シャッターを開閉するための制御回路を使用するステップとを備え、液晶シャッターは眼鏡をつけているビューアーに観察できるレートで開閉し、第１液晶シャッターおよび第２液晶シャッターを含む一対の三次元ビュー眼鏡を使用して、三次元ビデオ画像を提供するためのマシンで読み取り可能なメディアにインストールされたコンピュータプログラムについて説明した。一実施形態では、信号送信機はプロジェクタからのタイミング信号を受信しない。一実施形態では、信号送信機は赤外線信号を発生する。一実施形態では、赤外線信号は一連のパルスを含む。一実施形態では、信号送信機は無線周波数信号を放出する。一実施形態では、無線周波数信号は一連のパルスを含む。
【０２９６】
第１液晶シャッターおよび第２液晶シャッターを含む一対の三次元ビュー眼鏡を設けるための手段と、１ミリ秒未満で第１液晶シャッターを開にするための手段と、第１時間の間、最大光透過量のポイントに第１液晶シャッターを保持するするための手段と、第１液晶シャッターを閉じるための手段と、１ミリ秒未満で第２液晶シャッターを開にするための手段と、第２時間の間、最大光透過量のポイントに第２液晶シャッターを保持するための手段とを備え、第１時間は、ビューアーの第１の眼に対する画像の表示に対応し、第２時間は、ビューアーの第２の眼に対する画像の表示に対応し、三次元ビュー眼鏡に向けてテスト信号を送信するための手段と、三次元眼鏡上のセンサによりテスト信号を受信するための手段と、受信したテスト信号の結果として第１液晶シャッターおよび第２液晶シャッターを開閉するための制御回路を使用するための手段とを備え、液晶シャッターは眼鏡をつけているビューアーに観察できるレートで開閉する、三次元ビデオ画像を提供するためのシステムについて説明した。一実施形態では、送信するための手段はプロジェクタからのタイミング信号を受信しない。一実施形態では、送信するための手段は、赤外線信号を放出する。一実施形態では、赤外線信号は一連のパルスを含む。一実施形態では、信号を送信するための手段は、無線周波数信号を放出する。一実施形態では、無線周波数信号は一連のパルスを含む。
【０２９７】
第１液晶シャッターおよび第２液晶シャッターを含む一対の三次元ビュー眼鏡を設けるステップと、１ミリ秒未満で第１液晶シャッターを開にするステップと、第１時間の間、最大光透過量のポイントに第１液晶シャッターを保持するステップと、第１液晶シャッターを閉じるステップと、１ミリ秒未満で第２液晶シャッターを開にするステップと、第２時間の間、最大光透過量のポイントに第２液晶シャッターを保持するステップとを備え、第１時間は、ビューアーの第１の眼に対する画像の表示に対応し、第２時間は、ビューアーの第２の眼に対する画像の表示に対応し、三次元ビュー眼鏡に向けて赤外線テスト信号を送信するステップと、三次元眼鏡上のセンサにより赤外線テスト信号を受信するステップと、受信した赤外線テスト信号の結果として第１液晶シャッターおよび第２液晶シャッターを開閉するための制御回路を使用するステップとを備え、液晶シャッターは眼鏡をつけているビューアーに観察できるレートで開閉し、信号送信機はプロジェクタからのタイミング信号を受信せず、信号送信機は赤外線信号を発生し、赤外線信号は一連のパルスを含み、赤外線信号は、１つ以上のデータビットを含み、各ビットには、少なくとも１つのクロックサイクルが先行し、赤外線信号は、同期シリアルデータ信号を含む、三次元ビデオ画像を提供するための方法について説明した。
【０２９８】
第１液晶シャッターを有する第１レンズおよび第２液晶シャッターを有する第２レンズを備えた一対の眼鏡を備え、液晶シャッターの各々は液晶および１ミリ秒未満の開時間を有し、更に第１液晶シャッターと第２液晶シャッターとを交互に開にする制御回路を備え、制御回路が液晶シャッターを閉じるまで、液晶の配向は、最大光透過量のポイントに保持され、更に制御回路に作動的に結合された信号受信器を備え、制御回路は、第１の所定の時間インターバルで信号受信機を作動させ、信号受信機が有効信号を受信しているかどうかを判断し、信号受信機が第２の所定インターバル内で有効信号を受信しない場合に信号受信機を除勢するようになっており、信号受信機が有効信号を受信した場合に有効信号に対応するインターバルで第１および第２シャッターを交互に開閉する、三次元ビデオ画像を提供するためのシステムについて説明した。一実施形態では、第１時間は、少なくとも２秒を含む。一実施形態では、第２時間は、わずか１００ミリ秒を含むにすぎない。一実施形態では、液晶シャッターの双方は、信号受信機が有効信号を受信するまで開状態または閉状態のいずれかに留まる。
【０２９９】
第１液晶シャッターおよび第２液晶シャッターを含む一対の三次元ビュー眼鏡を設けるステップと、１ミリ秒未満で第１液晶シャッターを開にするステップと、第１時間の間、最大光透過量のポイントに第１液晶シャッターを保持するステップと、第１液晶シャッターを閉じるステップと、１ミリ秒未満で第２液晶シャッターを開にするステップと、第２時間の間、最大光透過量のポイントに第２液晶シャッターを保持するステップとを備え、第１時間は、ビューアーの第１の眼に対する画像の表示に対応し、第２時間は、ビューアーの第２の眼に対する画像の表示に対応し、第１の所定時間インターバルで信号受信機を附勢するステップと、信号受信機が信号送信機からの有効信号を受信しているかどうかを判断するステップと、第２時間の間に信号受信機が信号送信機からの有効信号を受信しない場合に、信号受信機を除勢するステップと、信号受信機が信号送信機からの有効信号を受信しない場合に、有効信号に対応するインターバルで第１および第２シャッターを開閉するステップとを備えた、三次元ビデオ画像を提供するための方法について説明した。一実施形態では、第１時間は、少なくとも２秒を含む。一実施形態では、第２時間は、わずか１００ミリ秒を含むにすぎない。一実施形態では、液晶シャッターの双方は、信号受信機が有効信号を受信するまで開状態または閉状態のいずれかのままである。
【０３００】
第１液晶シャッターを有する第１レンズおよび第２液晶シャッターを有する第２レンズを備えた一対の眼鏡を備え、液晶シャッターは液晶および１ミリ秒未満の開時間を有し、更に第１液晶シャッターと第２液晶シャッターとを交互に開にできる制御回路を備え、制御回路が液晶シャッターを閉じるまで、液晶の配向は、最大光透過量のポイントに保持され、制御回路は、第１液晶シャッターおよび第２液晶シャッターの双方を開状態に保持するようになっている、三次元ビデオ画像を提供するためのシステムについて説明した。一実施形態では、制御回路は同期信号を検出するまで、第１液晶シャッターおよび第２液晶シャッターを開状態に保持する。一実施形態では、第１および第２液晶シャッターに印加される電圧は、正と負の間で交互に変化する。
【０３０１】
第１液晶シャッターおよび第２液晶シャッターを有する一対の三次元ビュー眼鏡を設けるステップを備え、第１液晶シャッターは１ミリ秒未満で開となることができ、第２液晶シャッターは１ミリ秒未満で開となることができ、第１および第２液晶シャッターがユーザーに対して透明に見えるようにするレートで第１および第２液晶シャッターを開閉するステップとを備える、三次元ビデオ画像を提供するための方法について説明した。一実施形態では、本方法は、有効同期信号を検出するまで第１および第２液晶シャッターがユーザーに対して透明に見えるようにするレートで第１および第２液晶シャッターを開閉するステップを更に備える。一実施形態では、本方法は、有効同期信号を検出するまで正と負の間で交互に変化する電圧を第１および第２液晶シャッターに印加するステップを更に備える。
【０３０２】
１ミリ秒未満で第１液晶シャッターを開にするステップと、第１時間の間、最大光透過量のポイントに第１液晶シャッターを保持するステップと、第１液晶シャッターを閉じるステップと、１ミリ秒未満で第２液晶シャッターを開にするステップと、第２時間の間、最大光透過量のポイントに第２液晶シャッターを保持するステップとを備え、第１時間は、ビューアーの第１の眼に対する画像の表示に対応し、第２時間は、ビューアーの第２の眼に対する画像の表示に対応し、第１の所定時間インターバルで信号受信機を附勢するステップと、信号受信機が信号送信機からの有効信号を受信しているかどうかを判断するステップと、第２時間の間に信号受信機が信号送信機からの有効信号を受信しない場合に、信号受信機を除勢するステップと、信号受信機が信号送信機からの有効信号を受信しない場合に、有効信号に対応するインターバルで第１および第２シャッターを開閉するステップとを備え、第１液晶シャッターおよび第２液晶シャッターを含む一対の三次元ビュー眼鏡で使用する、三次元ビデオ画像を提供するためのマシンで読み取り可能なメディアにインストールされたコンピュータプログラムについて説明した。一実施形態では、第１時間は、少なくとも２秒を含む。一実施形態では、第２時間は、わずか１００ミリ秒を含むにすぎない。一実施形態では、第１および第２液晶シャッターは、信号受信機が信号送信機からの有効信号を受信するまで開状態のままである。
【０３０３】
第１液晶シャッターおよび第２液晶シャッターを有し、第１液晶シャッターは１ミリ秒未満で開となることができ、第２液晶シャッターは１ミリ秒未満で開となることができる、一対の三次元ビュー眼鏡を使用する、三次元ビデオ画像を提供するためのマシンで読み取り可能なメディアにインストールされたコンピュータプログラムであって、第１および第２液晶シャッターがユーザーに対して透明に見えるようにするレートで第１および第２液晶シャッターを開閉するステップとを備える、三次元ビデオ画像を提供するためのマシンで読み取り可能なメディアにインストールされたコンピュータプログラムについて説明した。一実施形態では、本コンピュータプログラムは、有効同期信号を検出するまで第１および第２液晶シャッターを開状態に保持するステップを更に備える。一実施形態では、本コンピュータプログラムは、有効同期信号を検出するまで正と負の間で交互に変化する電圧を第１および第２液晶シャッターに印加するステップを更に備える。
【０３０４】
第１液晶シャッターおよび第２液晶シャッターを含む一対の三次元ビュー眼鏡を設けるための手段と、１ミリ秒未満で第１液晶シャッターを開にするためのステップと、第１時間の間、最大光透過量のポイントに第１液晶シャッターを保持するための手段と、第１液晶シャッターを閉じるための手段と、１ミリ秒未満で第２液晶シャッターを開にするための手段と、第２時間の間、最大光透過量のポイントに第２液晶シャッターを保持するための手段とを備え、第１時間は、ビューアーの第１の眼に対する画像の表示に対応し、第２時間は、ビューアーの第２の眼に対する画像の表示に対応し、第１の所定時間インターバルで信号受信機を附勢するための手段と、信号受信機が信号送信機からの有効信号を受信しているかどうかを判断するための手段と、第２時間の間に信号受信機が信号送信機からの有効信号を受信しない場合に、信号受信機を除勢するための手段と、信号受信機が信号送信機からの有効信号を受信しない場合に、有効信号に対応するインターバルで第１および第２シャッターを開閉するための手段とを備える、三次元ビデオ画像を提供する方法について説明した。一実施形態では、第１時間は、少なくとも２秒を含む。一実施形態では、第２時間は、わずか１００ミリ秒を含むにすぎない。一実施形態では、第１および第２液晶シャッターは、信号受信機が信号送信機からの有効信号を受信するまで開状態のままである。
【０３０５】
第１液晶シャッターを有する第１レンズおよび第２液晶シャッターを有する第２レンズを含む一対の眼鏡を備え、液晶シャッターは液晶および１ミリ秒未満の開時間を有し、第１液晶シャッターと第２液晶シャッターとを交互に開にできる制御回路を更に備え、制御回路が液晶シャッターを閉じるまで、液晶の配向は、最大光透過量のポイントに保持され、制御回路は、所定の時間の間眼鏡に給電された後第１液晶シャッターおよび第２液晶シャッターを開閉するようになっている、三次元ビデオ画像を提供するためのシステムについて説明した。一実施形態では、制御回路は所定の時間の間、眼鏡に給電された後に、第１液晶シャッターおよび第２液晶シャッターを交互に開閉する。一実施形態では、制御回路は、所定の時間の後で制御回路が受信した同期信号に応じ、第１液晶シャッターおよび第２液晶シャッターを開閉する。一実施形態では、同期信号は所定のインターバルでの一連のパルスを含む。一実施形態では、同期信号は所定のインターバルでの一連のパルスを含み、第１の所定の数のパルスが第１液晶シャッターを開にし、第２の所定の数のパルスが第２液晶シャッターを開にする。一実施形態では、一連のパルスの一部が暗号化される。一実施形態では、一連のパルスは暗号化されていない所定の数のパルスと、その後に続く暗号化されたデータとを含む。一実施形態では、同期信号は１つ以上のデータビットを含み、このデータビットの各々には１つ以上のクロックパルスが先行する。一実施形態では、同期信号は同期シリアルデータ信号を含む。
【０３０６】
第１液晶シャッターおよび第２液晶シャッターを含む一対の三次元ビュー眼鏡を設けるステップと、１ミリ秒未満で第１液晶シャッターを開にするステップと、第１時間の間、最大光透過量のポイントに第１液晶シャッターを保持するステップと、第１液晶シャッターを閉じるステップと、１ミリ秒未満で第２液晶シャッターを開にするステップと、第２時間の間、最大光透過量のポイントに第２液晶シャッターを保持するステップとを備え、第１時間は、ビューアーの第１の眼に対する画像の表示に対応し、第２時間は、ビューアーの第２の眼に対する画像の表示に対応し、眼鏡に給電するステップと、眼鏡に給電した後の所定の時間の間、第１液晶シャッターおよび第２液晶シャッターを開閉するステップとを備える、三次元ビデオ画像を提供するための方法について説明した。一実施形態では、この方法は、一部が暗号化されている同期信号を提供するステップと、同期信号を検出するステップとを更に備え、第１および第２液晶シャッターは、所定の時間後、暗号化された信号を受信した後に限り、検出された同期信号に対応するパターンで開閉する。一実施形態では、同期信号は所定のインターバルでの一連のパルスを含み、第１の所定の数のパルスが第１液晶シャッターを開にし、第２の所定の数のパルスが第２の液晶シャッターを開にする。一実施形態では、一連のパルスの一部が暗号化される。一実施形態では、一連のパルスは暗号化されていない所定の数のパルスと、その後に続く暗号化された所定の数のパルスとを含む。一実施形態では、第１および第２液晶シャッターは、２つの連続する暗号化された信号を受信した後に限り、同期信号に対応するパターンで開閉する。一実施形態では、同期信号は１つ以上のデータビットを含み、このデータビットの各々には１つ以上のクロックパルスが先行する。一実施形態では、同期信号は同期シリアルデータ信号を含む。
【０３０７】
１ミリ秒未満で第１液晶シャッターを開にするステップと、第１時間の間、最大光透過量のポイントに第１液晶シャッターを保持するステップと、第１液晶シャッターを閉じるステップと、１ミリ秒未満で第２液晶シャッターを開にするステップと、第２時間の間、最大光透過量のポイントに第２液晶シャッターを保持するステップとを備え、第１時間は、ビューアーの第１の眼に対する画像の表示に対応し、第２時間は、ビューアーの第２の眼に対する画像の表示に対応し、眼鏡に給電するステップと、眼鏡に給電した後の所定の時間の間、第１液晶シャッターおよび第２液晶シャッターを開閉するステップとを備え、第１液晶シャッターおよび第２液晶シャッターを含む一対の三次元ビュー眼鏡を使用して、三次元ビデオ画像を提供するためのマシンで読み取り可能なメディアにインストールされたコンピュータプログラムについて説明した。一実施形態では、この、コンピュータプログラムは、一部が暗号化されている同期信号を提供するステップと、同期信号を検出するステップとを更に備え、第１および第２液晶シャッターは、所定の時間後、暗号化された信号を受信した後に限り、検出された同期信号に対応するパターンで開閉する。一実施形態では、同期信号は所定のインターバルでの一連のパルスを含み、第１の所定の数のパルスが第１液晶シャッターを開にし、第２の所定の数のパルスが第２の液晶シャッターを開にする。一実施形態では、一連のパルスの一部が暗号化される。一実施形態では、一連のパルスは暗号化されていない所定の数のパルスと、その後に続く暗号化された所定の数のパルスとを含む。一実施形態では、第１および第２液晶シャッターは、２つの連続する暗号化された信号を受信した後に限り、同期信号に対応するパターンで開閉する。一実施形態では、同期信号は１つ以上のデータビットを含み、このデータビットの各々には１つ以上のクロックパルスが先行する。一実施形態では、同期信号は同期シリアルデータ信号を含む。
【０３０８】
第１液晶シャッターおよび第２液晶シャッターを含む一対の三次元ビュー眼鏡を設けるための手段を含み、第１液晶シャッターは１ミリ秒未満で開となることができ、第２液晶シャッターは１ミリ秒未満で開となることができ、所定の時間の間、眼鏡に給電した後に、第１および第２液晶シャッターを開閉するための手段を含む、三次元ビデオ画像を提供するためのシステムについて説明した。一実施形態では、このシステムは所定の時間の後で同期信号を受信した際に、第１および第２液晶シャッターを開閉するための手段を更に含む。一実施形態では、同期信号は１つ以上のデータビットを含み、これらデータビットの各々には１つ以上のクロックパルスが先行する。一実施形態では、同期信号は同期シリアルデータ信号を含む。
【０３０９】
第１液晶シャッターおよび第２液晶シャッターを含む一対の三次元ビュー眼鏡を設けるための手段と、１ミリ秒未満で第１液晶シャッターを開にするための手段と、第１時間の間、最大光透過量のポイントに第１液晶シャッターを保持するための手段と、第１液晶シャッターを閉じるための手段と、１ミリ秒未満で第２液晶シャッターを開にするための手段と、第２時間の間、最大光透過量のポイントに第２液晶シャッターを保持するための手段とを備え、第１時間は、ビューアーの第１の眼に対する画像の表示に対応し、第２時間は、ビューアーの第２の眼に対する画像の表示に対応し、所定の時間の間眼鏡に給電した後に、第１液晶シャッターおよび第２液晶シャッターを開閉するための手段とを備える、三次元ビデオ画像を提供するためのシステムついて説明した。一実施形態では、このシステムは、一部が暗号化されている同期信号を送信するための手段と、同期信号を検出するための手段と、所定の時間後、暗号化された信号を受信した後に限り、検出された同期信号に対応するパターンで第１および第２液晶シャッターを開閉するための手段とを備える。一実施形態では、同期信号は所定のインターバルでの一連のパルスを含み、第１の所定の数のパルスが第１液晶シャッターを開にし、第２の所定の数のパルスが第２の液晶シャッターを開にする。一実施形態では、一連のパルスの一部が暗号化される。一実施形態では、一連のパルスは暗号化されていない所定の数のパルスと、その後に続く暗号化された所定の数のパルスとを含む。一実施形態では、第１および第２液晶シャッターは、２つの連続する暗号化された信号を受信した後に限り、同期信号に対応するパターンで開閉する。一実施形態では、同期信号は１つ以上のデータビットを含み、このデータビットの各々には１つ以上のクロックパルスが先行する。一実施形態では、同期信号は同期シリアルデータ信号を含む。
【０３１０】
左右ビューシャッターを受けるための左右レンズ開口部を構成するフレームフロントと、３Ｄ眼鏡のユーザーの頭部に装着するための、フレーム前方部に結合されると共にこのフレーム前方部から延びる左右のつるとを含み、左右のつるの各々は蛇行した形状を含む、左右ビューシャッターを有する３Ｄ眼鏡のためのフレームについて記述した。一実施形態では、左右のつるの各々は１つ以上の畝を含む。一実施形態では、フレームは左ビューシャッターの作動を制御するための、フレーム内に取り付けられた左シャッターコントローラと、右ビューシャッターの作動を制御するための、フレーム内に取り付けられた右シャッターコントローラと、左右シャッターコントローラの作動を制御するための、フレーム内に取り付けられた中央コントローラと、外部ソースからの信号を検出するための、中央コントローラに作動的に結合された信号センサと、左右シャッターコントローラ、中央コントローラおよび信号センサに作動的に結合され、左右シャッターコントローラ、中央コントローラおよび信号センサに給電するための、フレーム内に取り付けられたバッテリーとを備える。一実施形態では、ビューシャッターの各々は、１ミリ秒未満の開時間を有する液晶を含む。一実施形態では、フレームはバッテリーおよび中央コントローラに作動的に結合され、バッテリーの作動状態をモニタすると共に、バッテリーの作動状態を示す信号を中央コントローラに提供するバッテリーセンサを更に含む。一実施形態では、フレームはバッテリーおよび中央コントローラに作動的に結合され、左右シャッターコントローラに高い電圧を供給するための電荷ポンプを更に含む。一実施形態では、フレームは中央コントローラに作動的に結合され、左右シャッターコントローラの作動を制御するための共通シャッターコントローラを更に含む。一実施形態では、信号センサは狭バンドパスフィルタとデコーダとを含む。
【０３１１】
左右ビューシャッターを支持するための左右レンズ開口部を構成するフレームと、左右ビューシャッターの作動を制御するための中央コントローラと、コントローラの少なくとも一部にアクセスするための開口部を構成する、中央コントローラを収納するようフレームに結合されたハウジングと、ハウジング内の開口部内に支持され、この開口部にシールされた状態で係合するカバーとを含む、左右ビューシャッターを有する３Ｄ眼鏡について説明した。一実施形態では、カバーはハウジング内の開口部にシールされた状態で係合するためのＯリングシールを含む。一実施形態では、カバーはハウジング内の開口部内に形成された相補的リセスに係合するための１つ以上のキー部材を含む。一実施形態では、３Ｄ眼鏡は、左ビューシャッターの作動を制御するための、ハウジング内に取り付けられた左シャッターコントローラと、右ビューシャッターの作動を制御するための、ハウジング内に取り付けられた右シャッターコントローラと、外部ソースからの信号を検出するための、中央コントローラに作動的に結合された信号センサと、左右シャッターコントローラ、中央コントローラおよび信号センサに作動的に結合され、左右シャッターコントローラ、中央コントローラおよび信号センサに給電するための、ハウジング内に取り付けられたバッテリーとを備える。一実施形態では、ビューシャッターの各々は、１ミリ秒未満の開時間を有する液晶を含む。一実施形態では、３Ｄ眼鏡は、バッテリーおよび中央コントローラに作動的に結合され、バッテリーの作動状態をモニタすると共に、バッテリーの作動状態を示す信号を中央コントローラに提供するバッテリーセンサを更に含む。一実施形態では、３Ｄ眼鏡はバッテリーおよび中央コントローラに作動的に結合され、左右シャッターコントローラに高い電圧を供給するための電荷ポンプを更に含む。一実施形態では、３Ｄ眼鏡は中央コントローラに作動的に結合され、左右シャッターコントローラの作動を制御するための共通シャッターコントローラを更に含む。一実施形態では、信号センサは狭バンドパスフィルタとデコーダとを含む。
【０３１２】
ユーザーにつけるための左右ビュー要素を支持するためのフレームを設けるステップと、３Ｄ眼鏡のためのコントローラを収納するためのハウジングをフレーム内に設けるステップと、ハウジングにシール状態で係合するためのシール要素を有する取り外し自在なカバーを使用して、フレーム内にハウジングをシールするステップとを備える、左右のビュー要素を有する３Ｄ眼鏡のためのコントローラを収納する方法について説明した。一実施形態では、カバーは１つ以上の凹部を含む。一実施形態では、ハウジングをシールするステップは、ハウジングのカバー内に凹部を係合させるためにキーを作動させることを含む。一実施形態では、ハウジングは３Ｄ眼鏡のためのコントローラに給電するための取り外し自在なバッテリーを更に収納する。
【０３１３】
電源と、この電源に作動的に結合された第１および第２液晶シャッターと、電源および液晶シャッターに作動的に結合され、第１時間の間、第１液晶シャッターを開にし、第２時間の間、第１液晶シャッターを閉じ、第２時間の間、第２液晶シャッターを開にし、第１時間の間、第２液晶シャッターを閉じ、第１時間および第２時間のうちの少なくとも一方の一部の間で第１液晶シャッターと第２液晶シャッターとの間で電荷を転送するようになっている制御回路とを備え、第１時間はユーザーの第１の眼に対する画像の表示に対応し、第２時間はユーザーの第２の眼に対する画像の表示に対応する、３Ｄ眼鏡のユーザーに対して三次元ビデオ画像を提供するためのシステムについて説明した。一実施形態では、制御回路は第１時間および第２時間を決定するために、同期信号を使用するようになっている。一実施形態では、システムは同期信号を発生するための発生器を更に備え、この同期信号によって制御回路は液晶シャッターのうちの１つを開にする。一実施形態では、同期信号は暗号化された信号を含む。一実施形態では、制御回路は暗号化信号を有効と判断した後にしか作動しない。一実施形態では、制御回路は同期信号を検出し、この同期信号を検出した後に液晶シャッターの作動を開始させるようになっている。一実施形態では、暗号化された信号は、暗号化された信号を受信するようになっている制御回路を有する一対の液晶眼鏡しか作動させない。一実施形態では、同期信号は１つ以上のデータビットを含み、これらデータビットの各々には１つ以上のクロックパルスが先行する。一実施形態では、同期信号は同期シリアルデータ信号を備える。
【０３１４】
第１液晶シャッターを有する第１レンズおよび第２液晶シャッターを有する第２レンズを備える一対の眼鏡を含み、これら液晶シャッターの各々は液晶を有し、更に第１液晶シャッターと第２液晶シャッターとを交互に開にし、これら液晶シャッターの間で電荷を転送する制御回路を含む、三次元ビデオ画像を提供するためのシステムについて説明した。一実施形態では、このシステムは同期信号を発生する発生器を更に含み、この同期信号により、制御回路は液晶シャッターのうちの一方を開にする。一実施形態では、同期信号は暗号化された信号を含む。一実施形態では、制御回路は暗号化信号を有効と判断した後にしか作動しない。一実施形態では、制御回路は同期信号を検出し、この同期信号を検出した後に液晶シャッターの作動を開始させるようになっている。一実施形態では、暗号化された信号は、暗号化された信号を受信するようになっている制御回路を有する一対の液晶眼鏡しか作動させない。一実施形態では、同期信号は１つ以上のデータビットを含み、これらデータビットの各々には１つ以上のクロックパルスが先行する。一実施形態では、同期信号は同期シリアルデータ信号を備える。
【０３１５】
第１液晶シャッターを閉じると共に第２液晶シャッターを開にするステップと、第２液晶シャッターを閉じると共に第１液晶シャッターを開にするステップと、第１液晶シャッターと第２液晶シャッターとの間で電荷を転送するステップとを含む、第１および第２液晶シャッターを使用して三次元ビデオ画像を提供するための方法について説明した。一実施形態では、この方法は、同期信号を発生するステップと、この同期信号に応答して液晶シャッターのうちの一方を開にするステップを更に含む。一実施形態では、同期信号は暗号化された信号を含む。一実施形態では、この方法は暗号化信号を有効と判断した後にしか作動しないステップを更に含む。この方法は同期信号検出するステップと、同期信号を検出した後に液晶シャッターの作動を開始させるステップとを更に含む。一実施形態では、同期信号は１つ以上のデータビットを含み、これらデータビットの各々には１つ以上のクロックパルスが先行する。一実施形態では、同期信号は同期シリアルデータ信号を備える。
【０３１６】
第１液晶シャッターを閉じると共に第２液晶シャッターを開にするステップと、第２液晶シャッターを閉じると共に第１液晶シャッターを開にするステップと、第１液晶シャッターと第２液晶シャッターとの間で電荷を転送するステップとを含む、３Ｄ眼鏡のユーザーに対して三次元ビデオ画像を提供するための、第１および第２液晶シャッターを有する３Ｄ眼鏡のためのハウジング内のマシンで読み取り可能なメディアにインストールされたコンピュータプログラムについて説明した。一実施形態では、このコンピュータプログラムは、同期信号を発生するステップと、この同期信号に応答して液晶シャッターのうちの一方を開にするステップを更に含む。一実施形態では、同期信号は暗号化された信号を含む。一実施形態では、このコンピュータプログラムは暗号化信号の有効性を判断するステップを更に含む。このコンピュータプログラムは同期信号を検出するステップと、同期信号を検出した後に液晶シャッターの作動を開始させるステップとを更に含む。一実施形態では、同期信号は１つ以上のデータビットを含み、これらデータビットの各々には１つ以上のクロックパルスが先行する。一実施形態では、同期信号は同期シリアルデータ信号を備える。
【０３１７】
第１液晶シャッターを閉じると共に第２液晶シャッターを開にする手段と、第２液晶シャッターを閉じると共に第１液晶シャッターを開にする手段と、第１液晶シャッターと第２液晶シャッターとの間で電荷を転送する手段とを含む、第１および第２液晶シャッターを使用して三次元ビデオ画像を提供するためのシステムについて説明した。一実施形態では、このシステムは、同期信号を発生する手段と、この同期信号により液晶シャッターのうちの一方を開にする手段を更に含む。一実施形態では、同期信号は暗号化された信号を含む。一実施形態では、このシステムは暗号化信号を有効と判断した後にしか作動しない手段を更に含む。一実施形態では、同期信号は１つ以上のデータビットを含み、これらデータビットの各々には１つ以上のクロックパルスが先行する。一実施形態では、同期信号は同期シリアルデータ信号を備える。このシステムは同期信号検出する手段と、同期信号を検出した後に液晶シャッターを作動させる手段とを更に含む。
【０３１８】
左右液晶シャッターに作動的に結合されたコントローラと、このコントローラに作動的に結合されたバッテリーと、コントローラに作動的に結合された電荷ポンプとを含み、コントローラは、左右シャッターのいずれかの作動状態を変更する際に左液晶シャッターと右液晶シャッターとの間で電荷を転送するようになっており、電荷ポンプは、コントローラが左右液晶シャッターのいずれかの作動状態を変更する際に電位を累積するようになっている、左液晶シャッターおよび右液晶シャッターを含む３Ｄ眼鏡に給電するためのシステムについて説明した。一実施形態では、電荷ポンプは電位のレベルが所定のレベルに等しくなったときに電位の累積を停止するようになっている。
【０３１９】
左右液晶シャッターのいずれかの作動状態を変更する際に、左液晶シャッターと右液晶シャッターとの間で電荷を転送するステップと、左右液晶シャッターのいずれかの作動状態を変更する際に、電位を累積するステップとを含む、左液晶シャッターおよび右液晶シャッターを含む３Ｄ眼鏡に給電するための方法について説明した。一実施形態では、この方法は、電位レベルが所定レベルに等しくなったときに電位の累積を停止するステップを更に含む。
【０３２０】
左右液晶シャッターのいずれかの作動状態を変更する際に、左液晶シャッターと右液晶シャッターとの間で電荷を転送するステップと、左右液晶シャッターのいずれかの作動状態を変更する際に、電位を累積するステップとを含む、左液晶シャッターおよび右液晶シャッターを含む３Ｄ眼鏡に給電するための、ハウジング内のマシンで読み取り可能なメディアにインストールされたコンピュータプログラムについて説明した。一実施形態では、このコンピュータプログラムは、電位レベルが所定レベルに等しくなったときに電位の累積を停止するステップを更に含む。
【０３２１】
左右液晶シャッターのいずれかの作動状態を変更する際に、左液晶シャッターと右液晶シャッターとの間で電荷を転送するための手段と、左右液晶シャッターのいずれかの作動状態を変更する際に、電位を累積するための手段とを含む、左液晶シャッターおよび右液晶シャッターを含む３Ｄ眼鏡に給電するための、システムについて説明した。一実施形態では、このシステムは、電位レベルが所定レベルに等しくなったときに電位の累積を停止する手段を更に含む。
【０３２２】
信号送信機から受信した信号をフィルタにかけるためのバンドパスフィルタと、フィルタにかけられた信号をデコードし、デコードされた信号を３Ｄ眼鏡のコントローラに送るよう、バンドパスフィルタに作動的に結合されたデコーダとを含み、信号送信機から受信した信号を受信し、３Ｄ眼鏡を作動させるためのコントローラにデコードされた信号を送るための、３Ｄ眼鏡内で使用するための信号センサについて説明した。一実施形態では、信号送信機から受信した信号は、１つ以上のデータビットと、データビットのうちの対応する１つに先行する１つ以上のクロックパルスとを含む。一実施形態では、信号送信機から受信した信号は同期シリアルデータ送信信号を含む。一実施形態では、信号送信機から受信した信号は３Ｄ眼鏡の作動を制御するための同期信号を含む。
【０３２３】
信号送信機から受信した信号をフィルタにかけるためのバンドパスフィルタと、フィルタにかけられた信号をデコードするようバンドパスフィルタに作動的に結合されたデコーダと、デコードされた信号を受信するよう、バンドパスフィルタに作動的に結合されたコントローラと、コントローラに作動的に結合されており、デコードされた信号に応じてコントローラによって制御される左右光学的シャッターとを含む、３Ｄ眼鏡について説明した。一実施形態では、信号送信機から受信した信号は、１つ以上のデータビットと、データビットのうちの対応する１つに先行する１つ以上のクロックパルスとを含む。一実施形態では、信号送信機から受信した信号は同期シリアルデータ送信信号を含む。
【０３２４】
３Ｄ眼鏡に同期シリアルデータ信号を送信するステップを含む、３Ｄ眼鏡にデータ信号を送信する方法について説明した。一実施形態では、データ信号は１つ以上のデータビットを含み、これらデータビットの各々には対応する１つのクロックパルスが先行する。一実施形態では、この方法は、バンドノイズを除去するよう、データ信号をフィルタにかけるステップを更に含む。一実施形態では、同期シリアルデータ信号は、３Ｄ眼鏡の作動を制御するための同期信号を含む。
【０３２５】
３Ｄ眼鏡に同期シリアルデータ信号を送信するステップと、データ信号で符号化されたデータに応じて左右光学的シャッターの作動を制御するステップとを含む、３Ｄ眼鏡を作動させる方法について説明した。一実施形態では、データ信号は１つ以上のデータビットを含み、これらデータビットの各々には対応する１つのクロックパルスが先行する。一実施形態では、この方法は、バンドノイズを除去するよう、データ信号をフィルタにかけるステップを更に含む。
【０３２６】
３Ｄ眼鏡に同期シリアルデータ信号を送信するステップを含む、３Ｄ眼鏡にデータ信号を送信するコンピュータプログラムについて説明した。一実施形態では、データ信号は１つ以上のデータビットを含み、これらデータビットの各々には対応する１つのクロックパルスが先行する。一実施形態では、このコンピュータプログラムは、バンドノイズを除去するよう、データ信号をフィルタにかけるステップを更に含む。一実施形態では、同期シリアルデータ信号は、３Ｄ眼鏡の作動を制御するための同期信号を含む。
【０３２７】
３Ｄ眼鏡に同期シリアルデータ信号を送信するステップと、データ信号で符号化されたデータに応じて左右光学的シャッターの作動を制御するステップとを含む、３Ｄ眼鏡を作動させるコンピュータプログラムについて説明した。一実施形態では、データ信号は１つ以上のデータビットを含み、これらデータビットの各々には対応する１つのクロックパルスが先行する。一実施形態では、このコンピュータプログラムは、バンドノイズを除去するよう、データ信号をフィルタにかけるステップを更に含む。
【０３２８】
一対の三次元ビュー眼鏡内の光学的シャッターのうちの１つ以上の作動を制御するための、１つ以上のデータビットと、これらデータビットの各々に先行する１つ以上のクロックパルスとを含む、一対の三次元ビュー眼鏡内の１つ以上の光学的シャッターを作動させるための、マシンで読み取り可能なメディア内に記憶された同期信号について説明した。一実施形態では、この信号は送信機に作動的に結合されたマシンで読み取り可能なメディア内に記憶される。一実施形態では、送信機は赤外線送信機を含む。一実施形態では、送信機は可視光送信機を含む。一実施形態では、送信機は無線周波数送信機を含む。一実施形態では、信号は受信機に作動的に結合されたマシンで読み取り可能なメディア内に記憶される。一実施形態では、送信機は赤外線送信機を含む。一実施形態では、送信機は可視光送信機を含む。一実施形態では、送信機は無線周波数送信機を含む。
【０３２９】
本発明の範囲から逸脱することなく、上記実施形態で変形を行うことができると理解できよう。以上で、特定の実施形態について図示し、説明したが、当業者であれば本発明の要旨から逸脱することなく変形を行うことができよう。本明細書に説明した実施形態は、単に例示にすぎず、発明を限定するものではない。本発明の範囲内で多くの変形および変更を行うことができる。更に、実施形態のうちの１つ以上の要素を省略したり、全体または一部を他の実施形態の１つ以上の要素と組み合わせたり、他の実施形態の１つ以上の要素に置換することができる。従って、本発明の保護範囲はこれまで説明した実施形態だけに限定されず、本発明の保護範囲は、特許請求の範囲のみによって定められるものであり、本発明の範囲は特許請求の範囲の要旨のすべての均等物も含むものである。
【図１】
2010124466.tif 000011
【図２】
2010124466.tif 000012
【図３】
2010124466.tif 000013
【図４】
2010124466.tif 000014
【図５】
2010124466.tif 000015
【図６】
2010124466.tif 000016
【図７】
2010124466.tif 000017
【図８】
2010124466.tif 000018
【図９】
2010124466.tif 000019
【図１０】
2010124466.tif 000020
【図１１】
2010124466.tif 000021
【図１２】
2010124466.tif 000022
【図１３】
2010124466.tif 000023
【図１４】
2010124466.tif 000024
【図１５】
2010124466.tif 000025
【図１６】
2010124466.tif 000026
【図１７】
2010124466.tif 000027
【図１８】
2010124466.tif 000028
【図１８ａ】
2010124466.tif 000029
【図１８ｂ】
2010124466.tif 000030
【図１９】
2010124466.tif 000031
【図２０】
2010124466.tif 000032
【図２１】
2010124466.tif 000033
【図２２】
2010124466.tif 000034
【図２３】
2010124466.tif 000035
【図２４】
2010124466.tif 000036
【図２５】
2010124466.tif 000037
【図２６】
2010124466.tif 000038
【図２７】
2010124466.tif 000039
【図２８】
2010124466.tif 000040
【図２９】
2010124466.tif 000041
【図３０】
2010124466.tif 000042
【図３０ａ】
2010124466.tif 000043
【図３０ｂ】
2010124466.tif 000044
【図３１】
2010124466.tif 000045
【図３３】
2010124466.tif 000046
【図３４】
2010124466.tif 000047
【図３５】
2010124466.tif 000048
【図３６】
2010124466.tif 000049
【図３７】
2010124466.tif 000050
【図３８】
2010124466.tif 000051
【図３９】
2010124466.tif 000052
【図４０】
2010124466.tif 000053
【図４１】
2010124466.tif 000054
【図４２】
2010124466.tif 000055
【図４３】
2010124466.tif 000056
【図４４】
2010124466.tif 000057
【図４５】
2010124466.tif 000058
【図４６】
2010124466.tif 000059
【図４７】
2010124466.tif 000060
【図４８】
2010124466.tif 000061
【図４９】
2010124466.tif 000062
【図５０】
2010124466.tif 000063
【図５１】
2010124466.tif 000064
【図５２】
2010124466.tif 000065
【図５３】
2010124466.tif 000066
【図５４】
2010124466.tif 000067
【図５５】
2010124466.tif 000068
【図５６】
2010124466.tif 000069
【図５７】
2010124466.tif 000070
【図３２】
2010124466.tif 000071
【外国語明細書】
2010124466000001.pdf